(57)【要約】  移動機（１０３）は、小セル（１２１）よりセル半径が大きく収容数が多いマクロセル（１１１）に接続可能であり、小セル（１２１）に接続中である。第２無線基地局（１２０）は、移動機（１０３）の通信量が所定量以下、または移動機（１０３）の移動速度が所定速度以上である場合に、移動機（１０３）の接続先をマクロセル（１１１）に切り替える制御を行う。これにより、小セル（１２１）の無線リソースの利用効率の向上を図ることができる。
2016051536.tif 000002
【特許請求の範囲】
【請求項１】
自セルに接続している移動機であって、自セルよりセル半径が大きく収容数が多い他セルに接続可能な移動機の通信量および前記移動機の移動速度を示す各情報を取得する取得部と、
前記取得部によって取得された前記各情報に基づいて、前記通信量が所定量以下、または前記移動速度が所定速度以上である場合に、前記移動機の接続先を前記他セルに切り替える制御を行う制御部と、
を備えることを特徴とする無線基地局装置。
【請求項２】
前記制御部は、前記通信量が前記所定量より高く、かつ前記移動速度が前記所定速度より低い場合に、前記移動機の接続先を前記他セルに切り替えないことを特徴とする請求項１に記載の無線基地局装置。
【請求項３】
前記他セルは、自セルより移動機ごとの最高通信速度が低いセルであることを特徴とする請求項１または２に記載の無線基地局装置。
【請求項４】
前記他セルは、前記移動機の接続先が前記他セルに切り替えられた場合に、前記移動機において測定された前記他セルおよび前記他セルと異なるセルの各通信品質の差分と閾値との比較結果に基づいて前記移動機をハンドオーバさせるセルであり、
前記制御部は、前記移動機の接続先を前記他セルに切り替える場合に、前記他セルにおける前記閾値を、前記移動機において測定された自セルおよび前記他セルの各通信品質の差分に基づいて算出した閾値に設定させる、
ことを特徴とする請求項１〜３のいずれか一つに記載の無線基地局装置。
【請求項５】
自セルに接続している移動機であって、自セルよりセル半径が小さく収容数が少ない他セルに接続可能な移動機の通信量および前記移動機の移動速度を示す各情報を取得する取得部と、
前記取得部によって取得された前記各情報に基づいて、前記通信量が所定量より多く、かつ前記移動速度が所定速度より低い場合に、前記移動機の接続先を前記他セルに切り替える制御を行う制御部と、
を備えることを特徴とする無線基地局装置。
【請求項６】
前記制御部は、前記通信量が前記所定量以下、または前記移動速度が前記所定速度以上である場合に、前記移動機の接続先を前記他セルに切り替えないことを特徴とする請求項５に記載の無線基地局装置。
【請求項７】
第１セルを形成する第１無線基地局装置と、
前記第１セルに接続可能な移動機と、
前記第１セルよりセル半径が小さく収容数が少ない第２セルを形成する第２無線基地局装置であって、前記第２セルに接続している前記移動機の通信量および前記移動機の移動速度を示す各情報に基づいて、前記通信量が所定量以下、または前記移動速度が所定速度以上である場合に、前記移動機の接続先を前記第１セルに切り替える制御を行う第２無線基地局装置と、
を含むことを特徴とする無線通信システム。
【請求項８】
第１セルを形成する第１無線基地局装置と、
前記第１セルに接続可能な移動機と、
前記第１セルよりセル半径が大きく収容数が多い第２セルを形成する第２無線基地局装置であって、前記第２セルに接続している前記移動機の通信量および前記移動機の移動速度を示す各情報に基づいて、前記通信量が所定量より多く、かつ前記移動速度が所定速度より低い場合に、前記移動機の接続先を前記第１セルに切り替える制御を行う第２無線基地局装置と、
を含むことを特徴とする無線通信システム。
【請求項９】
無線基地局装置が、
自セルに接続している移動機であって、自セルよりセル半径が大きく収容数が多い他セルに接続可能な移動機の通信量および前記移動機の移動速度を示す各情報を取得し、
取得した前記各情報に基づいて、前記通信量が所定量以下、または前記移動速度が所定速度以上である場合に、前記移動機の接続先を前記他セルに切り替える制御を行う、
ことを特徴とする制御方法。
【請求項１０】
無線基地局装置が、
自セルに接続している移動機であって、自セルよりセル半径が小さく収容数が少ない他セルに接続可能な移動機の通信量および前記移動機の移動速度を示す各情報を取得し、
取得した前記各情報に基づいて、前記通信量が所定量より多く、かつ前記移動速度が所定速度より低い場合に、前記移動機の接続先を前記他セルに切り替える制御を行う、
ことを特徴とする制御方法。
【発明の詳細な説明】
【技術分野】
【０００１】
本発明は、無線基地局装置、無線通信システムおよび制御方法に関する。
【背景技術】
【０００２】
従来、セル半径が大きいマクロセル内に、セル半径が小さい小セルを配置する技術が知られている。また、セルチェンジの変更元の基地局が、セルチェンジのタイミングよりも早いタイミングで、データ流入量を示す流入量制御信号を制御局へ送信する技術が知られている（たとえば、下記特許文献１参照。）。【０００３】
また、基地局にてトラヒック量および移動速度の監視を行い、マクロセルおよび小セルの切り替えを実施する技術が知られている（たとえば、下記特許文献２参照。）。また、無線基地局が収容するセルから移動端末を追い出すように無線基地局の送信電力を制御する技術が知られている（たとえば、下記特許文献３参照。）。
【先行技術文献】
【特許文献】
【０００４】
【特許文献１】特開２００７−８９１４１号公報
【特許文献２】特開平９−２６１７２３号公報
【特許文献３】国際公開第２０１２／０２０４８５号
【発明の概要】
【発明が解決しようとする課題】
【０００５】
しかしながら、上述した従来技術では、たとえば、小セルに対して、短時間で小セルの圏外となる移動中の移動機や、大容量通信を行わない移動機などが接続すると、小セルの無線リソースを効率よく利用することができないという問題がある。【０００６】
１つの側面では、本発明は、無線リソースの利用効率の向上を図ることができる無線基地局装置、無線通信システムおよび制御方法を提供することを目的とする。
【課題を解決するための手段】
【０００７】
上述した課題を解決し、目的を達成するため、本発明の一側面によれば、自セルに接続している移動機であって、自セルよりセル半径が大きく収容数が多い他セルに接続可能な移動機の通信量および前記移動機の移動速度を示す各情報を取得し、取得した前記各情報に基づいて、前記通信量が所定量以下、または前記移動速度が所定速度以上である場合に、前記移動機の接続先を前記他セルに切り替える制御を行う無線基地局装置、無線通信システムおよび制御方法が提案される。【０００８】
本発明の別の側面によれば、自セルに接続している移動機であって、自セルよりセル半径が小さく収容数が少ない他セルに接続可能な移動機の通信量および前記移動機の移動速度を示す各情報を取得し、取得した前記各情報に基づいて、前記通信量が所定量より多く、かつ前記移動速度が所定速度より低い場合に、前記移動機の接続先を前記他セルに切り替える制御を行う無線基地局装置、無線通信システムおよび制御方法が提案される。
【発明の効果】
【０００９】
本発明の一側面によれば、無線リソースの利用効率の向上を図ることができる。
【図面の簡単な説明】
【００１０】
【図１Ａ】実施の形態１にかかる無線通信システムの一例を示す図である。
【図１Ｂ】実施の形態１にかかる無線基地局装置の一例を示す図である。
【図１Ｃ】図１Ｂに示した無線基地局装置における信号の流れの一例を示す図である。
【図２】無線基地局装置のハードウェア構成の一例を示す図である。
【図３】無線通信装置の構成の一例を示す図である。
【図４】ＣＮＴの一例を示す図である。
【図５Ａ】ＡＰＬの呼制御に関する構成の一例を示す図である。
【図５Ｂ】図５Ａに示したＡＰＬの呼制御に関する構成における信号の流れの一例を示す図である。
【図６Ａ】マクロセルから小セルへの切替の一例を示すシーケンス図（その１）である。
【図６Ｂ】マクロセルから小セルへの切替の一例を示すシーケンス図（その２）である。
【図７】セル切替元の無線基地局装置による処理（その１）の一例を示すフローチャートである。
【図８】セル切替元の無線基地局装置による処理（その２）の一例を示すフローチャートである。
【図９】セル切替先の無線基地局装置によるハンドオーバ処理の一例を示すフローチャートである。
【図１０】セル切替用の近隣セル情報の測定指示に用いるメッセージの一例を示す図である。
【図１１】近隣セル情報の報告に用いるメッセージの一例を示す図である。
【図１２】近隣セル情報の一例を示す図である。
【図１３】移動速度管理テーブルの一例を示す図である。
【図１４】通信速度管理テーブルの一例を示す図である。
【図１５】ＨＡＮＤＯＶＥＲ  ＲＥＱＵＥＳＴで通知されるＣａｕｓｅの一例を示す図である。
【図１６】バタツキ回避用のハンドオーバ閾値の通知に用いるメッセージの一例を示す図である。
【図１７】移動機への測定指示に用いるメッセージの一例を示す図である。
【図１８Ａ】小セルからマクロセルへの切替の一例を示すシーケンス図（その１）である。
【図１８Ｂ】小セルからマクロセルへの切替の一例を示すシーケンス図（その２）である。
【図１９】セル切替元の無線基地局装置による処理の一例を示すフローチャートである。
【図２０】近隣セル情報の一例を示す図である。
【図２１】セル切替先の無線基地局装置によるハンドオーバ処理の一例を示すフローチャートである。
【図２２】バタツキ回避用のハンドオーバ閾値の指定の通知に用いるメッセージの一例を示す図である。
【図２３】セル切替先の無線基地局装置によるハンドオーバ処理の一例を示すフローチャートである。
【図２４】バタツキ回避用のハンドオーバ閾値の指定の通知に用いるメッセージの一例を示す図である。
【発明を実施するための形態】
【００１１】
以下に図面を参照して、本発明にかかる無線基地局装置、無線通信システムおよび制御方法の実施の形態を詳細に説明する。
【００１２】
（実施の形態１）
（実施の形態１にかかる無線通信システム）
図１Ａは、実施の形態１にかかる無線通信システムの一例を示す図である。図１Ａに示すように、実施の形態１にかかる無線通信システム１００は、第１無線基地局１１０と、第２無線基地局１２０と、移動機１０１〜１０４と、を含む。第１無線基地局１１０は、マクロセル１１１を形成するマクロ基地局である。
【００１３】
第２無線基地局１２０は、小セル１２１（スモールセル）を形成するスモール基地局である。小セル１２１は、たとえば、マクロセル１１１よりセル半径が小さく、かつマクロセル１１１より収容数が少ないセルである。収容数は、たとえば接続可能な移動機の数である。また、小セル１２１は、移動機ごとの最高通信速度がマクロセル１１１より高いセルであってもよい。小セル１２１には、一例としては、フェムトセル、ピコセル、マイクロセルなど各種のセルを適用することができる。
【００１４】
移動機１０１〜１０４は、マクロセル１１１に在圏しており、第１無線基地局１１０との間で無線通信が可能である。また、移動機１０３，１０４は、小セル１２１にも在圏しており、第２無線基地局１２０との間で無線通信が可能である。
【００１５】
本実施の形態において、通信状態の移動機が接続先のセルを切り替える処理であって、移動機の通信速度および移動速度に基づいて行われる動作をセル切替と称する。また、本実施の形態において、通信状態の移動機が接続先のセルを切り替える動作であって、移動機における近隣セルの電波状況が自セルの電波状況を上回ったことによって行われる動作をハンドオーバと称する。
【００１６】
図１Ｂは、実施の形態１にかかる無線基地局装置の一例を示す図である。図１Ｃは、図１Ｂに示した無線基地局装置における信号の流れの一例を示す図である。図１Ａに示した第２無線基地局１２０は、たとえば図１Ｂ，図１Ｃに示す無線基地局装置１３０により実現することができる。無線基地局装置１３０は、取得部１３１と、制御部１３２と、を備える。
【００１７】
取得部１３１は、自セル（小セル１２１）に接続しており、かつマクロセル１１１（他セル）に接続可能な移動機１０３について、移動機１０３の通信速度を示す通信速度情報と、移動機１０３の通信量を示す通信量情報と、を取得する。そして、取得部１３１は、取得した各情報を制御部１３２へ出力する。
【００１８】
移動機１０３の通信量は、たとえば、小セル１２１による移動機１０３の上り通信および下り通信の少なくともいずれかの通信量である。また、通信量は、たとえば時間あたりの通信量（通信速度）である。たとえば、取得部１３１は、自セルと移動機１０３との間の時間あたりの通信量を測定することによって通信量情報を取得することができる。
【００１９】
また、取得部１３１は、移動機１０３の移動速度を直接的または間接的に示す情報を移動機１０３から受信することによって移動速度情報を取得することができる。なお、移動機１０３の移動速度を示す移動速度情報は、たとえば移動機１０３が移動中（移動速度＞０）であるか停止中（移動速度＝０）であるかを示す情報であってもよい。
【００２０】
制御部１３２は、取得部１３１から出力された各情報に基づいて、移動機１０３の通信量が所定量以下、または移動機１０３の移動速度が所定速度以上である場合に、移動機１０３の接続先をマクロセル１１１に切り替える制御を行う。たとえば、制御部１３２は、移動機１０３および第１無線基地局１１０の少なくともいずれかへ、移動機１０３の接続先をマクロセル１１１に切り替えることを指示する制御信号を送信する。一方、制御部１３２は、移動機１０３の通信量が所定量より高く、かつ移動機１０３の移動速度が所定速度より低い場合は、移動機１０３の接続先をマクロセル１１１に切り替えない。
【００２１】
また、たとえば、マクロセル１１１（第１無線基地局１１０）は、移動機１０３の接続先がマクロセル１１１に切り替えられた場合に、移動機１０３において測定されたマクロセル１１１およびマクロセル１１１と異なるセルの各通信品質を取得する。マクロセル１１１と異なるセルには、たとえば小セル１２１が含まれる。
【００２２】
そして、マクロセル１１１は、取得した各通信品質の差分と閾値との比較結果に基づいて、移動機１０３をマクロセル１１１と異なるセルへハンドオーバさせる。たとえば、マクロセル１１１は、各通信品質の差分が閾値を超えた場合に、移動機１０３をマクロセル１１１と異なるセルへハンドオーバさせる。
【００２３】
この場合に、第２無線基地局１２０の制御部１３２は、移動機１０３の接続先をマクロセル１１１に切り替える際に、移動機１０３において測定された小セル１２１およびマクロセル１１１の各通信品質の差分に基づく閾値を算出してもよい。そして、制御部１３２は、マクロセル１１１における移動機１０３のハンドオーバの閾値を、算出した閾値に設定させる制御を行う。
【００２４】
たとえば、制御部１３２は、移動機１０３の接続先をマクロセル１１１に切り替える場合に、算出した閾値を第１無線基地局１１０へ通知することにより、マクロセル１１１における移動機１０３のハンドオーバの閾値を、算出した閾値に設定させる。これにより、セル切替元のセルとセル切替先との間の切戻りによるバタツキを回避することができる。
【００２５】
また、図１Ｂ，図１Ｃに示す無線基地局装置１３０を、図１Ａに示した第１無線基地局１１０に適用してもよい。たとえば、移動機１０３が、無線基地局装置１３０（第１無線基地局１１０）が形成するマクロセル１１１に接続しているとする。
【００２６】
この場合に、制御部１３２は、移動機１０３の通信量が所定量より高く、かつ移動機１０３の移動速度が所定速度より低い場合に、移動機１０３の接続先を小セル１２１に切り替える制御を行う。たとえば、制御部１３２は、移動機１０３および第２無線基地局１２０の少なくともいずれかへ、移動機１０３の接続先を小セル１２１に切り替えることを指示する制御信号を送信する。一方、制御部１３２は、移動機１０３の通信量が所定量以下、または移動機１０３の移動速度が所定速度以上である場合は、移動機１０３の接続先を小セル１２１に切り替えない。
【００２７】
また、図１Ｂ，図１Ｃに示す無線基地局装置１３０を、図１Ａに示した第１無線基地局１１０および第２無線基地局１２０の両方に適用してもよい。
【００２８】
（無線基地局装置のハードウェア構成）
図２は、無線基地局装置のハードウェア構成の一例を示す図である。図１Ｂに示した無線基地局装置１３０（第１無線基地局１１０および第２無線基地局１２０の少なくともいずれか）は、たとえば図２に示す無線基地局装置２００により実現することができる。無線基地局装置２００は、プロセッサ２０１と、記憶装置２０２と、ＢＢ処理回路２０３と、ＲＦ信号処理回路２０４と、アンテナ２０５と、ＮＩＦ回路２０６と、を備える。プロセッサ２０１、記憶装置２０２、ＢＢ処理回路２０３、ＲＦ信号処理回路２０４およびＮＩＦ回路２０６は、たとえばバス２０９によって接続される。
【００２９】
プロセッサ２０１は、無線基地局装置２００の全体の制御を司る。たとえば、プロセッサ２０１は、ＢＢ処理回路２０３が行う処理以外のユーザ管理処理や無線基地局装置２００の動作の制御などを行う。
【００３０】
記憶装置２０２には、たとえば主記憶装置および補助記憶装置が含まれる。主記憶装置は、たとえばＲＡＭ（Ｒａｎｄｏｍ  Ａｃｃｅｓｓ  Ｍｅｍｏｒｙ）である。主記憶装置は、プロセッサ２０１のワークエリアとして使用される。補助記憶装置は、たとえば磁気ディスク、フラッシュメモリなどの不揮発メモリである。補助記憶装置には、無線基地局装置２００を動作させる各種のプログラムが記憶されている。補助記憶装置に記憶されたプログラムは、主記憶装置にロードされてプロセッサ２０１によって実行される。
【００３１】
ＢＢ処理回路２０３は、移動機１０１〜１０４と無線基地局装置２００との間で送受信されるＢＢ信号の処理を行う。ＢＢ信号の処理には、たとえば、符号化、変調、復調、復号、通信プロトコル処理、スケジューリングに関する処理などが含まれる。
【００３２】
ＲＦ信号処理回路２０４は、移動機１０１〜１０４と無線基地局装置２００との間で送受信される無線信号のＲＦ（Ｒａｄｉｏ  Ｆｒｅｑｕｅｎｃｙ：高周波）処理を行う。ＲＦ処理には、たとえば、デジタルアナログ変換、アナログデジタル変換、周波数変換、信号増幅およびフィルタリングなどが含まれる。
【００３３】
ＮＩＦ回路２０６は、携帯電話網を経由した他の無線基地局との信号の送受信のための信号処理を行うネットワークインタフェース回路である。
【００３４】
（無線通信装置）
図３は、無線通信装置の構成の一例を示す図である。図３に示すように、無線基地局装置２００は、ＲＯＭ３０１と、ＳＯＡＰ３０２と、ＲＲＣ３０３と、Ｓ１ＡＰ３０４と、Ｘ２ＡＰ３０５と、ＭＥＭ３０６と、ＲＦ処理部３０７と、アンテナ３０８と、を備える。また、無線基地局装置２００は、Ｌ１／Ｌ２処理部３０９と、トランスポート処理部３１０と、ＣＮＴ３１１と、を備える。ＳＯＡＰ３０２、ＲＲＣ３０３、Ｓ１ＡＰ３０４、Ｘ２ＡＰ３０５、ＭＥＭ３０６、ＲＦ処理部３０７、Ｌ１／Ｌ２処理部３０９およびトランスポート処理部３１０は、バス３２０によって接続されている。
【００３５】
ＲＯＭ３０１（Ｒｅａｄ  Ｏｎｌｙ  Ｍｅｍｏｒｙ）は、無線基地局装置２００を動作させるためのプログラム、局データファイル、その他の各種のファイルなどを記憶する。
【００３６】
ＳＯＡＰ３０２（Ｓｉｍｐｌｅ  Ｏｂｊｅｃｔ  Ａｃｃｅｓｓ  Ｐｒｏｔｏｃｏｌ）は、無線基地局装置２００におけるコンフィグレーション管理、統計管理、フォルト管理、セキュリティ管理などの処理を行う。
【００３７】
ＲＲＣ３０３（Ｒａｄｉｏ  Ｒｅｓｏｕｒｃｅ  Ｃｏｎｔｒｏｌ：無線リソース制御）は、移動機間のコネクション管理を行う。
【００３８】
Ｓ１ＡＰ３０４（Ｓ１  Ａｐｐｌｉｃａｔｉｏｎ  Ｐｒｏｔｏｃｏｌ：Ｓ１アプリケーションプロトコル）は、ＥＰＣ（Ｅｖｏｌｖｅｄ  Ｐａｃｋｅｔ  Ｃｏｒｅ：モバイルコア）間のシグナリングサービスに関する処理を行う。
【００３９】
Ｘ２ＡＰ３０５（Ｘ２  Ａｐｐｌｉｃａｔｉｏｎ  Ｐｒｏｔｏｃｏｌ：Ｘ２アプリケーションプロトコル）は、無線基地局間のシグナリングサービスに関する処理を行う。
【００４０】
ＭＥＭ３０６は、揮発性メモリ、各ブロックが使用するワークメモリである。
【００４１】
ＲＦ処理部３０７は、移動機１０１〜１０４と無線基地局装置２００との間で送受信される無線信号のＲＦ処理を行う。ＲＦ処理には、たとえば、デジタルアナログ変換、アナログデジタル変換、周波数変換、信号増幅およびフィルタリングなどが含まれる。
【００４２】
Ｌ１／Ｌ２処理部３０９は、パケット制御や、ＲＬＣ（Ｒａｄｉｏ  Ｌｉｎｋ  Ｃｏｎｔｒｏｌ）／ＰＤＣＰ（Ｐａｃｋｅｔ  Ｄａｔａ  Ｃｏｎｖｅｒｇｅｎｃｅ  Ｐｒｏｔｏｃｏｌ）／ＭＡＣ（Ｍｅｄｉａ  Ａｃｃｅｓｓ  Ｃｏｎｔｒｏｌ）／ＰＨＹ（物理層）の各レイヤのプロトコル処理を行う。
【００４３】
トランスポート処理部３１０は、携帯電話網との間の通信の信号終端処理を行う。携帯電話網との間の通信の信号終端処理には、たとえば、ＧＴＰ−Ｕ（ＧＰＲＳ  Ｔｕｎｎｅｌｉｎｇ  Ｐｒｏｔｏｃｏｌ  ｆｏｒ  Ｕｓｅｒ  Ｐｌａｎｅ）、ＩＣＭＰ（Ｉｎｔｅｒｎｅｔ  Ｃｏｎｔｒｏｌ  Ｍｅｓｓａｇｅ  Ｐｒｏｔｏｃｏｌ）、ＵＤＰ（Ｕｓｅｒ  Ｄａｔａｇｒａｍ  Ｐｒｏｔｏｃｏｌ）、ＳＣＴＰ（Ｓｔｒｅａｍ  Ｃｏｎｔｒｏｌ  Ｔｒａｎｓｍｉｓｓｉｏｎ  Ｐｒｏｔｏｃｏｌ）、ＴＣＰ（Ｔｒａｎｓｍｉｓｓｉｏｎ  Ｃｏｎｔｒｏｌ  Ｐｒｏｔｏｃｏｌ）などの信号終端処理が含まれる。
【００４４】
ＣＮＴ３１１は、ＩＰ（Ｉｎｔｅｒｎｅｔ  Ｐｒｏｔｏｃｏｌ）のプロトコル処理、呼制御処理、保守運用に関するＯＡＭ（Ｏｐｅｒａｔｉｏｎ  Ａｄｍｉｎｉｓｔｒａｔｉｏｎ  Ｍａｉｎｔｅｎａｎｃｅ）処理、Ｓ１／Ｘ２回線終端処理、ＮＡＴ（Ｎｅｔｗｏｒｋ  Ａｄｄｒｅｓｓ  Ｔｒａｎｓｌａｔｉｏｎ）処理、帯域制御処理、装置障害監視処理などを行う制御部である。また、ＣＮＴ３１１は、一点鎖線に示すように、ＲＦ処理部３０７、Ｌ１／Ｌ２処理部３０９、トランスポート処理部３１０などの装置内制御を行う。
【００４５】
ＳＯＡＰ３０２、ＲＲＣ３０３、Ｓ１ＡＰ３０４、Ｘ２ＡＰ３０５およびＣＮＴ３１１は、たとえば図２に示したプロセッサ２０１および記憶装置２０２により実現することができる。ＲＯＭ３０１およびＭＥＭ３０６は、たとえば図２に示した記憶装置２０２により実現することができる。Ｌ１／Ｌ２処理部３０９は、たとえば図２に示したＢＢ処理回路２０３により実現することができる。ＲＦ処理部３０７は、たとえば図２に示したＲＦ信号処理回路２０４により実現することができる。トランスポート処理部３１０は、たとえば図２に示したＮＩＦ回路２０６により実現することができる。
【００４６】
（ＣＮＴ）
図４は、ＣＮＴの一例を示す図である。図３に示したＣＮＴ３１１は、たとえば、図４に示すように、ＡＰＬ４１０と、ＰＦ４２０と、ＯＳ４３０と、を備える。ＡＰＬ４１０は、呼制御処理、ＯＡＭ処理、無線基地局装置の設定や運用を行うアプリケーション処理部である。ＡＰＬ４１０は、ＯＡＭ４１１（保守運用）および呼処理４１２に関する処理や、無線基地局装置２００の設定や運用に関する処理を行う。
【００４７】
ＯＡＭ４１１には、たとえば、再開制御、装置制御、ＳＷ（スイッチ）更新、運用管理、セル管理、保守ＩＦ（インタフェース）制御などが含まれる。呼処理４１２には、たとえば、呼制御、規制制御、リソース管理、共通ＣＨ（チャネル）制御、局間制御などが含まれる。
【００４８】
ＰＦ４２０（ＰｌａｔＦｏｒｍ）は、無線基地局装置２００におけるプラットフォーム層の処理を行う。ＯＳ４３０（Ｏｐｅｒａｔｉｎｇ  Ｓｙｓｔｅｍ：オペレーティングシステム）は、無線基地局装置２００におけるＯＳ層の処理を行う。
【００４９】
（ＡＰＬの呼制御に関する構成）
図５Ａは、ＡＰＬの呼制御に関する構成の一例を示す図である。図５Ｂは、図５Ａに示したＡＰＬの呼制御に関する構成における信号の流れの一例を示す図である。図５Ａ，図５Ｂに示すように、ＡＰＬ４１０は、呼制御に関する構成として、無線通信部５０１と、ネットワーク通信部５０２と、測定指示制御部５０３と、測定情報監視部５０４と、セル切替制御部５０５と、を備える。また、ＡＰＬ４１０は、呼制御に関する構成として、移動速度監視部５０６と、移動速度管理テーブル記憶部５０７と、通信速度監視部５０８と、通信速度管理テーブル記憶部５０９と、を備える。
【００５０】
無線通信部５０１は、Ｌ１／Ｌ２処理部３０９を介して、移動機１０１〜１０４のうちの自局に接続した移動機との制御信号の送受信およびユーザデータの送受信を行う。ネットワーク通信部５０２は、トランスポート処理部３１０を介して、携帯電話網との間で制御信号の送受信を行う。
【００５１】
測定指示制御部５０３は、移動機１０１〜１０４のうちの自局に接続した移動機に対して、セル切替のトリガを検出するため、およびセル切替先を選択するために、無線通信部５０１を介して近隣セル情報の測定指示を行う。この場合に、測定指示制御部５０３は、多くの近隣セルを検出できるよう、移動機に対し、最低レベルの閾値での近隣セル情報の測定指示を行うことによりＥｖｅｎｔ  Ａ４（Ｎｅｉｇｈｂｏｕｒ  ｂｅｃｏｍｅｓ  ｂｅｔｔｅｒ  ｔｈａｎ  ｔｈｒｅｓｈｏｌｄ）による定期測定を実施する。
【００５２】
また、測定指示制御部５０３は、自局がセル切替先である場合に、セル切替元の無線基地局から通知されたバタツキ回避用のハンドオーバ閾値での近隣セル情報の測定を指示する測定指示を行う。これにより、セル切替元のセルとセル切替先との間の切戻りによるバタツキを回避することができる。
【００５３】
測定情報監視部５０４は、無線通信部５０１を介して、自局に接続した移動機から報告される測定情報の監視を行う。そして、測定情報監視部５０４は、移動機から報告されるセル切替用の近隣セル情報の測定報告をトリガに、報告された近隣セル情報からセル切替先の選択と、バタツキ回避用のハンドオーバ閾値の算出と、を行う。また、測定情報監視部５０４は、セル切替制御部５０５に対してセル切替判定要求を行う。
【００５４】
たとえば、測定情報監視部５０４は、自セルがマクロセル１１１（自局が第１無線基地局１１０である場合）である場合は、報告された近隣セル情報に小セルが含まれる場合に、近隣セル情報のリスト中の最上位の小セルをセル切替先として選択する。
【００５５】
また、測定情報監視部５０４は、自セルが小セル１２１（自局が第２無線基地局１２０である場合）である場合は、報告された近隣セル情報にマクロセルが含まれる場合に、近隣セル情報のリスト中の最上位のマクロセルをセル切替先として選択する。
【００５６】
また、測定情報監視部５０４は、バタツキ回避用のハンドオーバ閾値を、移動機から報告された自セルのＲＳＲＰ（Ｒｅｆｅｒｅｎｃｅ  Ｓｉｇｎａｌ  Ｒｅｃｅｉｖｅｄ  Ｐｏｗｅｒ：基準信号受信電力）と、選択したセル切替先のＲＳＲＰと、に基づいて算出することができる。
【００５７】
セル切替制御部５０５は、移動速度情報と通信速度情報をベースにセル切替の要否を判定する。そして、セル切替制御部５０５は、セル切替を要すると判断した場合は、測定情報監視部５０４で選択されたセル切替先を対象として、測定情報監視部５０４で算出されたバタツキ回避用のハンドオーバ閾値をセル切替指示用のメッセージに設定する。そして、セル切替制御部５０５は、無線通信部５０１とネットワーク通信部５０２に対してセル切替指示を行う。セル切替の要否の判断については後述する。
【００５８】
セル切替制御部５０５は、セル切替を要すると判断した場合は、測定情報監視部５０４から通知されたバタツキ回避用のハンドオーバ閾値をセル切替先に通知するメッセージに設定する。そして、セル切替制御部５０５は、測定情報監視部５０４で選択したセル切替先を対象として、無線通信部５０１とネットワーク通信部５０２に対してセル切替指示を行う。
【００５９】
移動速度監視部５０６は、移動機（ユーザ）の移動速度を特定可能な移動速度情報を、Ｌ１／Ｌ２処理部３０９を介して移動機から受信する。そして、移動速度監視部５０６は、受信した移動速度情報、または移動速度情報から特定した移動速度を移動速度管理テーブル記憶部５０７に書き込む。
【００６０】
移動機（たとえば移動機１０３）は、たとえば、ＧＰＳ（Ｇｌｏｂａｌ  Ｐｏｓｉｔｉｏｎｉｎｇ  Ｓｙｓｔｅｍ：全地球測位システム）や加速度センサなどを用いて自機の移動速度を測定する。そして、移動機は、測定した移動速度を示す移動速度情報を第１無線基地局１１０へ送信する。または、移動機は、ＧＰＳなどを用いて自機の位置を測定し、測定した位置を示す移動速度情報を第１無線基地局１１０へ送信してもよい。この場合は、移動速度監視部５０６は、移動速度情報が示す移動機の位置の変化に基づいて移動機の移動速度を特定することができる。
【００６１】
通信速度監視部５０８は、移動機（ユーザ）の通信速度を示す通信速度情報を、たとえばＬ１／Ｌ２処理部３０９（ＢＢ処理回路２０３）へ移動機の通信速度を問い合わせることにより取得する。そして、通信速度監視部５０８は、取得した通信速度情報を通信速度管理テーブル記憶部５０９に書き込む。
【００６２】
Ｌ１／Ｌ２処理部３０９を実現するＢＢ処理回路２０３は、移動機の通信を監視することにより移動機の通信速度を測定し、通信速度監視部５０８からの問い合わせに対して移動機の通信速度の測定結果を通信速度監視部５０８へ通知する。
【００６３】
図１Ｂ，図１Ｃに示した取得部１３１は、たとえば移動速度監視部５０６および通信速度監視部５０８により実現することができる。図１Ｂ，図１Ｃに示した制御部１３２は、たとえば無線通信部５０１、ネットワーク通信部５０２、測定指示制御部５０３、測定情報監視部５０４およびセル切替制御部５０５により実現することができる。
【００６４】
（マクロセルから小セルへの切替）
図６Ａおよび図６Ｂは、マクロセルから小セルへの切替の一例を示すシーケンス図である。図６Ａ，図６Ｂに示す例では、マクロセル１１１を形成する第１無線基地局１１０（セル切替元）に接続している移動機１０３について、小セル１２１を形成する第２無線基地局１２０（セル切替先）へのセル切替を行う場合について説明する。
【００６５】
＜セル切替用測定指示シーケンス＞
まず、移動機１０３と第１無線基地局１１０との間で呼接続が完了すると（ステップＳ６０１）、セル切替のトリガを検出してセル切替先を選択するため、「セル切替用測定指示シーケンス」が実行される。
【００６６】
すなわち、第１無線基地局１１０が、移動機１０３に対して、セル切替判断用の近隣セル情報の測定指示を行う（ステップＳ６０２）。セル切替判断用の測定指示は、たとえばＥｖｅｎｔ  Ａ４による測定の指示である。また、セル切替判断用の測定指示は、たとえばＲＲＣの「ＲＲＣ  ＣＯＮＮＥＣＴＩＯＮ  ＲＥＣＯＮＦＩＧＵＲＡＴＩＯＮ」メッセージにより行われる。また、セル切替判断用の測定指示は、多くの近隣セルを検出できるように、たとえば最低レベルの閾値での近隣セル情報の測定を指示する測定指示である。
【００６７】
ステップＳ６０２により、移動機１０３は、ステップＳ６０２において通知された最低レベルの閾値でのセル切替用の近隣セル情報の測定を開始する。すなわち、移動機１０３は、近隣の各セルのＲＳＲＰを測定し、ＲＳＲＰが最低レベルの閾値を超えるセルに関する情報をセル切替用の近隣セル情報として第１無線基地局１１０へ報告する。
【００６８】
＜移動速度情報・通信速度情報取得シーケンス＞
また、移動機１０３と第１無線基地局１１０との間において、「移動速度情報・通信速度情報取得シーケンス」が実行される。すなわち、第１無線基地局１１０は、移動機１０３の移動速度を特定可能な移動速度情報を移動機１０３から周期的に取得する（ステップＳ６０３）。ステップＳ６０３は、たとえばＲＲＣの「ＭＥＡＳＵＲＥＭＥＮＴ  ＲＥＰＯＲＴ」を用いて行うことができる。
【００６９】
また、第１無線基地局１１０は、移動機１０３の通信速度を示す通信速度情報を周期的に取得する（ステップＳ６０４）。たとえば、第１無線基地局１１０は、第１無線基地局１１０と移動機１０３との間の通信における時間あたりのトラヒック量を測定することにより通信速度情報を取得することができる。
【００７０】
第１無線基地局１１０は、ステップＳ６０３，Ｓ６０４により取得した情報をテーブルに書き込む（ステップＳ６０５）。たとえば、第１無線基地局１１０は、ステップＳ６０３により取得した移動速度情報を第１無線基地局１１０の移動速度管理テーブル記憶部５０７の移動速度管理テーブルに書き込む。また、第１無線基地局１１０は、ステップＳ６０４により取得した通信速度情報を第１無線基地局１１０の通信速度管理テーブル記憶部５０９の通信速度管理テーブルに書き込む。
【００７１】
＜セル切替判定・セル切替実行シーケンス＞
つぎに、「セル切替判定・セル切替実行シーケンス」が実行される。すなわち、移動機１０３が、第１無線基地局１１０に対してセル切替用の近隣セル情報を周期的に報告する（ステップＳ６０６）。
【００７２】
これに対して、第１無線基地局１１０は、セル切替後のバタツキ回避用のハンドオーバ閾値を算出するとともに、移動機１０３の小セル１２１へのセル切替の要否を判断する（ステップＳ６０７）。バタツキ回避用のハンドオーバ閾値は、たとえば上述した最低レベルの閾値より高い閾値である。第１無線基地局１１０は、たとえば、ステップＳ６０７において、以下の（１）〜（３）の条件をすべて満たす場合に、移動機１０３の小セル１２１へのセル切替を要すると判断する。
【００７３】
（１）移動機１０３の近隣セルに小セル１２１が存在する。
（２）移動機１０３の移動速度が閾値未満である。
（３）移動機１０３の通信速度が閾値を超過している。
【００７４】
（１）は、ステップＳ６０６によって報告されたセル切替用の近隣セル情報に基づいて判断することができる。（２）は、ステップＳ６０５によって移動速度管理テーブル記憶部５０７に格納された移動速度情報に基づいて判断することができる。（３）は、ステップＳ６０５によって通信速度管理テーブル記憶部５０９に記憶された通信速度情報に基づいて判断することができる。図６Ａ，図６Ｂに示す例では、第１無線基地局１１０は、ステップＳ６０７において、移動機１０３の小セル１２１へのセル切替を要すると判断したとする。
【００７５】
この場合は、第１無線基地局１１０は、小セル１２１（第２無線基地局１２０）に対するセル切替要求を実施する（ステップＳ６０８）。ステップＳ６０８は、たとえばＳ１ＡＰの「ＨＡＮＤＯＶＥＲ  ＲＥＱＵＩＲＥＤ」メッセージや「ＨＡＮＤＯＶＥＲ  ＲＥＱＵＥＳＴ」メッセージを用いて行われる。または、ステップＳ６０８は、Ｘ２ＡＰの「ＨＡＮＤＯＶＥＲ  ＲＥＱＵＥＳＴ」メッセージを用いて行われる。また、ステップＳ６０８において、第１無線基地局１１０は、ステップＳ６０７において算出したバタツキ回避用のハンドオーバ閾値を第２無線基地局１２０へ通知する。
【００７６】
つぎに、第２無線基地局１２０が、第１無線基地局１１０を介して、移動機１０３に対して、小セル１２１へのセル切替指示と、ハンドオーバ用の近隣セル情報の測定指示と、を行う（ステップＳ６０９）。また、第２無線基地局１２０は、ステップＳ６０９において、移動機１０３に対して、ステップＳ６０８によって通知されたバタツキ回避用のハンドオーバ閾値でのハンドオーバ用の近隣セル情報の測定指示を行う。
【００７７】
つぎに、移動機１０３が、接続先をマクロセル１１１（第１無線基地局１１０）から小セル１２１（第２無線基地局１２０）へ切り替える（ステップＳ６１０）。また、移動機１０３は、ステップＳ６０９において通知されたバタツキ回避用のハンドオーバ閾値でのハンドオーバ用の近隣セル情報の測定を開始する。
【００７８】
すなわち、移動機１０３は、近隣の各セルのＲＳＲＰを測定し、ＲＳＲＰがバタツキ回避用のハンドオーバ閾値を超えるセルに関する情報をハンドオーバ用の近隣セル情報として第２無線基地局１２０へ報告する。これに対して、第２無線基地局１２０は、移動機１０３から報告されたハンドオーバ用の近隣セル情報に基づいて移動機１０３のハンドオーバを行う。
【００７９】
これにより、セル切替の直後に移動機１０３が第１無線基地局１１０に切り戻るバタツキを回避することができる。「セル切替判定・セル切替実行シーケンス」の後においては、第２無線基地局１２０は、移動機１０３に関してセル切替元となる。
【００８０】
＜セル切替用測定指示シーケンス＞
つぎに、移動機１０３と第２無線基地局１２０との間で「セル切替用測定指示シーケンス」が実行される。すなわち、第２無線基地局１２０が、移動機１０３に対して、セル切替判断用の近隣セル情報の測定指示を行う（ステップＳ６１２）。ステップＳ６１２における測定指示は、ステップＳ６０２における第１無線基地局１１０による測定指示と同様である。
【００８１】
ステップＳ６１２により、移動機１０３は、ステップＳ６１２において通知された最低レベルの閾値でのセル切替用の近隣セル情報の測定を開始する。すなわち、移動機１０３は、近隣の各セルのＲＳＲＰを測定し、ＲＳＲＰが最低レベルの閾値を超えるセルに関する情報をセル切替用の近隣セル情報として第２無線基地局１２０へ報告する。
【００８２】
また、移動機１０３は、セル切替用の近隣セル情報の測定とともに、ステップＳ６０９において通知されたバタツキ回避用のハンドオーバ閾値でのハンドオーバ用の近隣セル情報の測定も行う。
【００８３】
＜移動速度情報・通信速度情報取得シーケンス＞
また、移動機１０３と第２無線基地局１２０との間において、「移動速度情報・通信速度情報取得シーケンス」が実行される。すなわち、第２無線基地局１２０は、移動機１０３の移動速度を特定可能な移動速度情報を移動機１０３から周期的に取得する（ステップＳ６１３）。ステップＳ６１３は、たとえばＲＲＣの「ＭＥＡＳＵＲＥＭＥＮＴ  ＲＥＰＯＲＴ」を用いて行うことができる。また、第２無線基地局１２０は、移動機１０３の通信速度を示す通信速度情報を周期的に取得する（ステップＳ６１４）。
【００８４】
第２無線基地局１２０は、ステップＳ６１３，Ｓ６１４により取得した情報をテーブルに書き込む（ステップＳ６１５）。たとえば、第２無線基地局１２０は、ステップＳ６１３により取得した移動速度情報を第２無線基地局１２０の移動速度管理テーブル記憶部５０７の移動速度管理テーブルに書き込む。また、第２無線基地局１２０は、ステップＳ６１４により取得した通信速度情報を第２無線基地局１２０の通信速度管理テーブル記憶部５０９の通信速度管理テーブルに書き込む。
【００８５】
（セル切替元の無線基地局装置による処理）
図７は、セル切替元の無線基地局装置による処理（その１）の一例を示すフローチャートである。第１無線基地局１１０は、移動機１０３が自局に接続している場合に、移動機１０３について図７に示す各ステップを実行する。たとえば、第１無線基地局１１０は、図７に示す各ステップを一定時間（一例としては１分）ごとに実行する。
【００８６】
まず、第１無線基地局１１０は、移動機１０３に対してセル切替用の近隣セル情報の測定指示を行う（ステップＳ７０１）。ステップＳ７０１は、たとえば測定指示制御部５０３が無線通信部５０１を介して移動機１０３へ制御信号を送信することにより行われる。
【００８７】
つぎに、第１無線基地局１１０は、移動機１０３に対して移動速度情報を問い合わせる（ステップＳ７０２）。ステップＳ７０２は、たとえば移動速度監視部５０６がＬ１／Ｌ２処理部３０９を介して移動機１０３へ制御信号を送信することにより行われる。
【００８８】
つぎに、第１無線基地局１１０は、移動機１０３から移動速度情報を受信する（ステップＳ７０３）。ステップＳ７０３は、たとえば移動速度監視部５０６がＬ１／Ｌ２処理部３０９を介して移動機１０３から制御信号を受信することにより行われる。
【００８９】
つぎに、第１無線基地局１１０は、移動速度管理テーブル記憶部５０７の移動速度管理テーブルに、ステップＳ７０３によって受信した移動機１０３の移動速度情報を書き込む（ステップＳ７０４）。ステップＳ７０４は、たとえば移動速度監視部５０６により行われる。ステップＳ７０４において、移動速度監視部５０６は、移動速度管理テーブルに移動機１０３の移動速度情報がすでに記憶されている場合は、たとえば新たな移動速度情報を上書きで移動速度管理テーブルに書き込む。
【００９０】
つぎに、第１無線基地局１１０は、移動機１０３の通信速度を測定する（ステップＳ７０５）。ステップＳ７０５は、たとえば通信速度監視部５０８がＬ１／Ｌ２処理部３０９（ＢＢ処理回路２０３）へ移動機１０３の通信速度を問い合わせることにより行われる。
【００９１】
つぎに、第１無線基地局１１０は、通信速度管理テーブル記憶部５０９の通信速度管理テーブルに、ステップＳ７０５によって測定した通信速度を示す移動機１０３の通信速度情報を書き込み（ステップＳ７０６）、一連の処理を終了する。ステップＳ７０６は、たとえば通信速度監視部５０８により行われる。ステップＳ７０６において、通信速度監視部５０８は、通信速度管理テーブルに移動機１０３の通信速度情報がすでに記憶されている場合は、たとえば新たな通信速度情報を上書きで通信速度管理テーブルに書き込む。
【００９２】
図８は、セル切替元の無線基地局装置による処理（その２）の一例を示すフローチャートである。第１無線基地局１１０は、移動機１０３が自局に接続している場合に、移動機１０３について図８に示す各ステップを繰り返し実行する。たとえば、第１無線基地局１１０は、図７に示した各ステップとともに、図８に示す各ステップを繰り返し実行する。
【００９３】
まず、第１無線基地局１１０は、移動機１０３からセル切替用の近隣セル情報の報告があったか否かを判断し（ステップＳ８０１）、セル切替用の近隣セル情報の報告があるまで待つ（ステップＳ８０１：Ｎｏのループ）。ステップＳ８０１は、たとえば測定情報監視部５０４が無線通信部５０１を介して移動機１０３からの近隣セル情報の受信を監視することにより行われる。
【００９４】
ステップＳ８０１において、セル切替用の近隣セル情報の報告があると（ステップＳ８０１：Ｙｅｓ）、第１無線基地局１１０は、近隣セル情報のリスト中に小セルがあるか否かを判断する（ステップＳ８０２）。ステップＳ８０２は、たとえば測定情報監視部５０４により行われる。近隣セル情報のリスト中に小セルがない場合（ステップＳ８０２：Ｎｏ）は、第１無線基地局１１０は、セル切替を行わずにステップＳ８０１へ戻る。
【００９５】
ステップＳ８０２において、近隣セル情報のリスト中に小セルがある場合（ステップＳ８０２：Ｙｅｓ）は、第１無線基地局１１０は、近隣セル情報のリスト中の最上位の小セル（たとえば小セル１２１）をセル切替先に選定する（ステップＳ８０３）。リスト中の最上位の小セルは、たとえば、リスト中で移動機１０３との間の通信品質（たとえばＲＳＲＰ）が最も高い小セルである。ステップＳ８０３は、たとえば測定情報監視部５０４により行われる。
【００９６】
つぎに、第１無線基地局１１０は、近隣セル情報によって移動機１０３から報告された自セルのＲＳＲＰと、ステップＳ８０３によりセル切替先に選定した小セルのＲＳＲＰと、からバタツキ回避用のハンドオーバ閾値を算出する（ステップＳ８０４）。ステップＳ８０４において用いる各ＲＳＲＰは、移動機１０３から受信した近接セル情報から取得することができる。ステップＳ８０４は、たとえば測定情報監視部５０４により行われる。
【００９７】
つぎに、第１無線基地局１１０は、移動速度管理テーブル記憶部５０７に記憶された移動速度管理テーブルから移動機１０３の移動速度情報を読み出す（ステップＳ８０５）。また、第１無線基地局１１０は、通信速度管理テーブル記憶部５０９に記憶された通信速度管理テーブルから移動機１０３の通信速度情報を読み出す（ステップＳ８０６）。ステップＳ８０５，Ｓ８０６は、たとえばセル切替制御部５０５により行われる。
【００９８】
つぎに、第１無線基地局１１０は、ステップＳ８０５により読み出した移動速度情報が示す移動速度が閾値未満か否かを判断する（ステップＳ８０７）。ステップＳ８０７における閾値は、一例としては、平均歩行速度を想定した６［ｋｍ／ｈ］とすることができる。ステップＳ８０７は、たとえばセル切替制御部５０５により行われる。
【００９９】
ステップＳ８０７において、移動速度が閾値以上である場合（ステップＳ８０７：Ｎｏ）は、第１無線基地局１１０は、移動機１０３のセル切替を行わずに、一連の処理を終了する（セル切替未実施）。この場合は、移動機１０３は、マクロセル１１１による通信を継続する。
【０１００】
ステップＳ８０７において、移動速度が閾値未満である場合（ステップＳ８０７：Ｙｅｓ）は、第１無線基地局１１０は、ステップＳ８０６により読み出した通信速度情報が示す通信速度が閾値を超過しているか否かを判断する（ステップＳ８０８）。ステップＳ８０８における閾値は、一例としては５［Ｍｂｐｓ］とすることができる。ステップＳ８０８は、たとえばセル切替制御部５０５により行われる。
【０１０１】
ステップＳ８０８において、通信速度が閾値を超過していない場合（ステップＳ８０８：Ｎｏ）は、第１無線基地局１１０は、移動機１０３のセル切替を行わずに、一連の処理を終了する（セル切替未実施）。この場合は、移動機１０３は、マクロセル１１１による通信を継続する。
【０１０２】
ステップＳ８０８において、通信速度が閾値を超過している場合（ステップＳ８０８：Ｙｅｓ）は、第１無線基地局１１０は、セル切替指示用のメッセージを編集する（ステップＳ８０９）。セル切替指示用のメッセージには、たとえば「ＨＡＮＤＯＶＥＲ  ＲＥＱＵＥＳＴ」メッセージを用いることができる。「ＨＡＮＤＯＶＥＲ  ＲＥＱＵＥＳＴ」メッセージは、たとえばＳ１ＡＰやＸ２ＡＰの「ＨＡＮＤＯＶＥＲ  ＲＥＱＵＥＳＴ」メッセージである。ステップＳ８０９は、たとえばセル切替制御部５０５により行われる。
【０１０３】
つぎに、第１無線基地局１１０は、ステップＳ８０３によってセル切替先に選定した小セルへの移動機１０３のセル切替を実施し（ステップＳ８１０）、一連の処理を終了する（セル切替実施）。ステップＳ８１０は、ステップＳ８０９によって編集したセル切替指示用のメッセージを第２無線基地局１２０へ送信することにより行われる。また、ステップＳ８０９は、たとえばセル切替制御部５０５がネットワーク通信部５０２を介して第２無線基地局１２０へ制御信号を送信することにより行われる。
【０１０４】
なお、バタツキ回避用のハンドオーバ閾値は、たとえばステップＳ８０８において、通信速度が閾値を超過していると判断された場合、すなわち移動機１０３のセル切替を行うと判断した場合にのみ算出するようにしてもよい。また、ステップＳ８０７，Ｓ８０８の順序は入れ替えてもよい。
【０１０５】
（セル切替先の無線基地局装置によるハンドオーバ処理）
図９は、セル切替先の無線基地局装置によるハンドオーバ処理の一例を示すフローチャートである。セル切替先の第２無線基地局１２０は、たとえば図９に示す各ステップを繰り返し実行する。
【０１０６】
まず、第２無線基地局１２０は、第１無線基地局１１０からの「ＨＡＮＤＯＶＥＲ  ＲＥＱＵＥＳＴ」メッセージを受信したか否かを判断し（ステップＳ９０１）、受信するまで待つ（ステップＳ９０１：Ｎｏのループ）。ステップＳ９０１は、たとえば測定指示制御部５０３により行われる。
【０１０７】
ステップＳ９０１において、「ＨＡＮＤＯＶＥＲ  ＲＥＱＵＥＳＴ」メッセージを受信すると（ステップＳ９０１：Ｙｅｓ）、第２無線基地局１２０は、ステップＳ９０２へ移行する。すなわち、第２無線基地局１２０は、受信した「ＨＡＮＤＯＶＥＲ  ＲＥＱＵＥＳＴ」メッセージによって第１無線基地局１１０から通知されたＣａｕｓｅの判定を行う。たとえば、第２無線基地局１２０は、「ＨＡＮＤＯＶＥＲ  ＲＥＱＵＥＳＴ」メッセージの「Ｒａｄｉｏ  Ｎｅｔｗｏｒｋ  Ｌａｙｅｒ  Ｃａｕｓｅ」が“Ｒｅｄｕｃｅ  Ｌｏａｄ  ｉｎ  Ｓｅｒｖｉｎｇ  Ｃｅｌｌ”であるか否かを判断する（ステップＳ９０２）。ステップＳ９０２は、たとえば測定指示制御部５０３により行われる。
【０１０８】
ステップＳ９０２において、“Ｒｅｄｕｃｅ  Ｌｏａｄ  ｉｎ  Ｓｅｒｖｉｎｇ  Ｃｅｌｌ”である場合（ステップＳ９０２：Ｙｅｓ）は、「ＨＡＮＤＯＶＥＲ  ＲＥＱＵＥＳＴ」メッセージにバタツキ回避用のハンドオーバ閾値が格納されていると判断できる。すなわち、「ＨＡＮＤＯＶＥＲ  ＲＥＱＵＥＳＴ」メッセージが、通常のハンドオーバではなく本実施の形態におけるセル切替を指示していると判断できる。
【０１０９】
この場合に、第２無線基地局１２０は、たとえばＲＲＣコンテナ内に格納されているバタツキ回避用のハンドオーバ閾値を取得する。そして、第２無線基地局１２０は、セル切替元の第１無線基地局１１０から通知されたバタツキ回避用のハンドオーバ閾値でのハンドオーバ用の近隣セル情報の測定を移動機１０３に指示し（ステップＳ９０３）、ステップＳ９０５へ移行する。ステップＳ９０３は、たとえば測定指示制御部５０３が無線通信部５０１を介して移動機１０３へ制御信号を送信することにより行われる。
【０１１０】
ステップＳ９０２において、“Ｒｅｄｕｃｅ  Ｌｏａｄ  ｉｎ  Ｓｅｒｖｉｎｇ  Ｃｅｌｌ”でない場合（ステップＳ９０２：Ｎｏ）は、「ＨＡＮＤＯＶＥＲ  ＲＥＱＵＥＳＴ」メッセージにバタツキ回避用のハンドオーバ閾値が格納されていないと判断できる。すなわち、「ＨＡＮＤＯＶＥＲ  ＲＥＱＵＥＳＴ」メッセージが、本実施の形態におけるセル切替ではなく通常のハンドオーバを指示していると判断できる。この場合は、第２無線基地局１２０は、第２無線基地局１２０において予め定義されているハンドオーバ閾値でのハンドオーバ用の近隣セル情報の測定を移動機１０３に指示する（ステップＳ９０４）。ステップＳ９０４は、たとえば測定指示制御部５０３が無線通信部５０１を介して移動機１０３へ制御信号を送信することにより行われる。
【０１１１】
つぎに、第２無線基地局１２０は、移動機１０３から、ハンドオーバ用の近隣セル情報を受信する（ステップＳ９０５）。ステップＳ９０５は、たとえば測定指示制御部５０３が無線通信部５０１を介して移動機１０３から制御信号を受信することにより行われる。つぎに、第２無線基地局１２０は、ステップＳ９０５によって受信した近隣セル情報に基づいて、移動機１０３のハンドオーバを要する場合は移動機１０３のハンドオーバを実施し（ステップＳ９０６）、一連の処理を終了する。
【０１１２】
ステップＳ９０６において、たとえば、第２無線基地局１２０は、ステップＳ９０５によって受信した近隣セル情報が示す各近隣セルのＲＳＲＰ（通信品質）のうちの最高のＲＳＲＰと自セルのＲＳＲＰとの差分を算出する。そして、第２無線基地局１２０は、算出した差分（該最高のＲＳＲＰ−自セルのＲＳＲＰ）が閾値を超えた場合に、該最高のＲＳＲＰに対応する近隣セルへ移動機１０３をハンドオーバさせる。閾値は、たとえば後述の「ａ３−Ｏｆｆｓｅｔ」や「ｈｙｓｔｅｒｅｓｉｓ」である。
【０１１３】
（セル切替用の近隣セル情報の測定指示に用いるメッセージ）
図１０は、セル切替用の近隣セル情報の測定指示に用いるメッセージの一例を示す図である。たとえば図７に示したステップＳ７０１において、第１無線基地局１１０は、たとえば図１０に示すメッセージ１０００を移動機１０３へ送信することによってセル切替用の近隣セル情報の測定指示を行うことができる。
【０１１４】
メッセージ１０００は、３ＧＰＰにおいて規定されている「ＲＲＣ  ＣＯＮＮＥＣＴＩＯＮ  ＲＥＣＯＮＦＩＧＵＲＡＴＩＯＮ」メッセージの「Ｍｅａｓｕｒｅｍｅｎｔ  Ｃｏｎｆｉｇｕｒａｔｉｏｎ」の「Ｒｅｐｏｒｔ  Ｃｏｎｆｉｇ  ＥＵＴＲＡ  ｉｎｆｏｒｍａｔｉｏｎ  ｅｌｅｍｅｎｔ」である。
【０１１５】
メッセージ１０００の「ｅｖｅｎｔＡ４」は、測定イベント（Ｎｅｉｇｈｂｏｕｒ  ｂｅｃｏｍｅｓ  ｂｅｔｔｅｒ  ｔｈａｎ  ｔｈｒｅｓｈｏｌｄ）を示す。メッセージ１０００の「ｔｈｒｅｓｈｏｌｄ−ＲＳＲＰ」は、測定閾値である。たとえば、第１無線基地局１１０は、多くの近隣セルを検出できるように、「ｔｈｒｅｓｈｏｌｄ−ＲＳＲＰ」に最低レベルの閾値を設定する。
【０１１６】
メッセージ１０００の「ｒｅｐｏｒｔＡｍｏｕｎｔ」は、測定回数を示す。たとえば、第１無線基地局１１０は、定期的に報告が行われるように、「ｒｅｐｏｒｔＡｍｏｕｎｔ」に“ｉｎｆｉｎｉｔｙ”を設定する。
【０１１７】
（近隣セル情報の報告に用いるメッセージ）
図１１は、近隣セル情報の報告に用いるメッセージの一例を示す図である。移動機１０３は、たとえば図１１に示すメッセージ１１００を第１無線基地局１１０へ送信することによって、測定した近隣セル情報を第１無線基地局１１０へ報告することができる。なお、メッセージ１１００は、ハンドオーバ用およびセル切替用の各近隣セル情報の測定に用いることができる。
【０１１８】
メッセージ１１００は、３ＧＰＰにおいて規定されているＲＲＣの「ＭＥＡＳＵＲＥＭＥＮＴ  ＲＥＰＯＲＴ」メッセージの「ｍｅａｓＲｅｓｕｌｔｓ  ｉｎｆｏｒｍａｔｉｏｎ  ｅｌｅｍｅｎｔ」である。
【０１１９】
たとえば、移動機１０３は、メッセージ１１００の「ｍｅａｓＩｄ」に、セル切替用のｍｅａｓＩｄとして自セル（マクロセル１１１）のＰＣＩ（Ｐｈｙｓｉｃａｌ  Ｃｅｌｌ  Ｉｄｅｎｔｉｔｙ：物理セルＩＤ）を設定する。また、移動機１０３は、メッセージ１１００の「ｒｓｒｐＲｅｓｕｌｔ」（ＭＰ）に自セル（マクロセル１１１）のＲＳＲＰを設定する。
【０１２０】
また、移動機１０３は、メッセージ１１００の「ｐｈｙｓＣｅｌｌＩｄ」に自セルと異なる近隣セルのＰＣＩを設定する。また、移動機１０３は、メッセージ１１００の「ｒｓｒｐＲｅｓｕｌｔ」（ＯＰ）に、自セルと異なる近隣セルのＲＳＲＰを設定する。
【０１２１】
（近隣セル情報）
図１２は、近隣セル情報の一例を示す図である。移動機１０３は、たとえば図１１に示したメッセージ１１００を用いて、たとえば図１２に示す近隣セル情報１２００を第１無線基地局１１０へ報告する。近隣セル情報１２００は、自セル（たとえばマクロセル１１１）と、近隣セルＡ〜Ｃ，…Ｘのそれぞれについて、対応するセルのＲＳＲＰ［ｄＢｍ］およびＰＣＩを示すリストである。
【０１２２】
また、近隣セル情報１２００においては、各セルの項目が、ＲＳＲＰが高い順に並べられている。また、近隣セル情報１２００のＲＳＲＰは、ＲＳＲＰの実際の値と対応付けられたインデックスによって表現されている。たとえば、近隣セル情報１２００の自セルのＲＳＲＰには、−８０［ｄＢｍ］を示すインデックスである“６０”が格納されている。
【０１２３】
また、第１無線基地局１１０は、ＰＣＩが示すセルの種別（たとえばマクロセルおよび小セル）を示す情報をＰＣＩごとに記憶している。このため、第１無線基地局１１０は、近隣セル情報１２００が示す各セルがマクロセルおよび小セルのいずれであるかをＰＣＩから判断することができる。
【０１２４】
また、第１無線基地局１１０は、セル切替用の近隣セル情報として近隣セル情報１２００を受信した場合は、近隣セル情報１２００に基づいて移動機１０３のセル切替の要否を判断する。図１２に示した例においては、近隣セル情報１２００の中に小セルが含まれているため、第１無線基地局１１０は、移動機１０３のセル切替を行うか否かを移動機１０３の通信速度および移動速度に基づいて判断する。そして、第１無線基地局１１０は、移動機１０３のセル切替を行うと判断すると、近隣セル情報１２００の各近隣セルに含まれＲＳＲＰが最も高い小セルである近隣セルＢをセル切替先として選定する。
【０１２５】
この場合は、第１無線基地局１１０は、近隣セル情報１２００が示す自セルのＲＳＲＰ（６０）と、近隣セルＢのＲＳＲＰ（４５）と、の差分に基づいてバタツキ回避用のハンドオーバ閾値を算出する。たとえば、第１無線基地局１１０は、自セルのＲＳＲＰ値と近隣セルＢのＲＳＲＰ値の差が＋１５［ｄＢ］であるため、バタツキ回避用のハンドオーバ閾値として１５以上の閾値（「ａ３−Ｏｆｆｓｅｔ」または「ｈｙｓｔｅｒｅｓｉｓ」）を算出する。
【０１２６】
また、第１無線基地局１１０は、ハンドオーバ用の近隣セル情報として近隣セル情報１２００を受信した場合は、近隣セル情報１２００に基づいて移動機１０３のハンドオーバを実施する。たとえば、第１無線基地局１１０は、自セルのＲＳＲＰと近隣セルのＲＳＲＰとを比較し、自セルのＲＳＲＰより近隣セルのＲＳＲＰの方が所定値以上高い場合は移動機１０３を近隣セルへハンドオーバさせる。
【０１２７】
（移動速度管理テーブル）
図１３は、移動速度管理テーブルの一例を示す図である。移動速度管理テーブル記憶部５０７には、たとえば図１３に示す移動速度管理テーブル１３００が記憶される。移動速度管理テーブル１３００は、ユーザ（移動機）ごとに、ユーザ名および移動速度［ｋｍ／ｈ］を示す。移動速度監視部５０６は、移動機１０３から移動速度情報を受信すると、移動速度情報が示す移動速度によって、移動速度管理テーブル１３００における移動機１０３に対応する移動速度を更新する。
【０１２８】
（通信速度管理テーブル）
図１４は、通信速度管理テーブルの一例を示す図である。通信速度管理テーブル記憶部５０９には、たとえば図１４に示す通信速度管理テーブル１４００が記憶される。通信速度管理テーブル１４００は、ユーザ（移動機）ごとに、ユーザ名および通信速度［Ｍｂｐｓ］を示す。通信速度監視部５０８は、移動機１０３から通信速度情報を受信すると、通信速度情報が示す通信速度によって、通信速度管理テーブル１４００における移動機１０３に対応する通信速度を更新する。
【０１２９】
（ＨＡＮＤＯＶＥＲ  ＲＥＱＵＥＳＴで通知されるＣａｕｓｅ）
図１５は、ＨＡＮＤＯＶＥＲ  ＲＥＱＵＥＳＴで通知されるＣａｕｓｅの一例を示す図である。第１無線基地局１１０は、たとえば図８に示したステップＳ８０９，Ｓ８１０において、図１５に示すメッセージ１５００をセル切替指示用のメッセージとして用いる。
【０１３０】
メッセージ１５００は、３ＧＰＰにおいて規定されたＳ１ＡＰの「ＨＡＮＤＯＶＥＲ  ＲＥＱＵＥＳＴ」メッセージの「Ｃａｕｓｅ  ｉｎｆｏｒｍａｔｉｏｎ  ｅｌｅｍｅｎｔ」である。たとえば、第１無線基地局１１０は、メッセージ１５００をセル切替指示用のメッセージとして用いる場合は、「Ｒａｄｉｏ  Ｎｅｔｗｏｒｋ  Ｌａｙｅｒ  Ｃａｕｓｅ」に“Ｒｅｄｕｃｅ  Ｌｏａｄ  ｉｎ  Ｓｅｒｖｉｎｇ  Ｃｅｌｌ”を設定する。
【０１３１】
第２無線基地局１２０は、たとえば図９に示したステップＳ９０２において、「Ｒａｄｉｏ  Ｎｅｔｗｏｒｋ  Ｌａｙｅｒ  Ｃａｕｓｅ」を参照することで、受信したメッセージがセル切替指示用のメッセージか否かを判断することができる。
【０１３２】
ここではＳ１ＡＰの「ＨＡＮＤＯＶＥＲ  ＲＥＱＵＥＳＴ」メッセージを用いる場合について説明したが、Ｘ２ＡＰの「ＨＡＮＤＯＶＥＲ  ＲＥＱＵＥＳＴ」メッセージを用いる場合も同様である。また、一例として「Ｒａｄｉｏ  Ｎｅｔｗｏｒｋ  Ｌａｙｅｒ  Ｃａｕｓｅ」を用いる場合について説明したが、他のＣａｕｓｅを用いてもよい。
【０１３３】
（バタツキ回避用のハンドオーバ閾値の通知に用いるメッセージ）
図１６は、バタツキ回避用のハンドオーバ閾値の通知に用いるメッセージの一例を示す図である。第１無線基地局１１０は、たとえば図１６に示すメッセージ１６００を、バタツキ回避用のハンドオーバ閾値の通知に用いることができる。
【０１３４】
メッセージ１６００は、３ＧＰＰにおいて規定された、Ｓ１ＡＰの「ＨＡＮＤＯＶＥＲ  ＲＥＱＵＥＳＴ」メッセージの「Ｓｏｕｒｃｅ  ｅＮＢ  ｔｏ  Ｔａｒｇｅｔ  ｅＮＢ  Ｔｒａｎｓｐａｒｅｎｔ  Ｃｏｎｔａｉｎｅｒ  ｉｎｆｏｒｍａｔｉｏｎ  ＲＲＣ  Ｃｏｎｔａｉｎｅｒ」（ＲＲＣコンテナ）である。
【０１３５】
メッセージ１６００の「ＲｅｐｏｒｔＣｏｎｆｉｇＴｏＡｄｄＭｏｄＬｉｓｔ」は、最大で３２のリスト情報である。たとえば、「ＲｅｐｏｒｔＣｏｎｆｉｇＴｏＡｄｄＭｏｄＬｉｓｔ」の３２番目の情報（未使用エリア）をバタツキ回避用のハンドオーバ閾値の通知に使用することができる。
【０１３６】
メッセージ１６００の「ｅｖｅｎｔＡ３」は、測定イベント（Ｎｅｉｇｈｂｏｕｒ  ｂｅｃｏｍｅｓ  ｏｆｆｓｅｔ  ｂｅｔｔｅｒ  ｔｈａｎ  ｓｅｒｖｉｎｇ）を示す。
【０１３７】
メッセージ１６００の「ａ３−Ｏｆｆｓｅｔ」は、測定基準オフセット値を示す。近隣セル（Ｎｅｉｇｈｂｏｕｒ）の測定結果が「ａ３−Ｏｆｆｓｅｔ」の分だけ自セル（ｓｅｒｖｉｎｇ）より良ければ測定報告が開始される。また、近隣セル（Ｎｅｉｇｈｂｏｕｒ）の測定結果が「ａ３−Ｏｆｆｓｅｔ」の分だけ自セル（ｓｅｒｖｉｎｇ）より良くなければ測定報告が終了する。
【０１３８】
メッセージ１６００の「ｈｙｓｔｅｒｅｓｉｓ」は、バタツキ回避用のオフセット値を示す。「ｈｙｓｔｅｒｅｓｉｓ」を大きく（たとえば最大値に）すると、測定報告の開始／終了条件に適合しにくくなり、ハンドオーバによるバタツキが抑制される。
【０１３９】
第１無線基地局１１０は、セル切替指示用のメッセージを第２無線基地局１２０へ送信する場合に、たとえばメッセージ１６００の「ａ３−Ｏｆｆｓｅｔ」や「ｈｙｓｔｅｒｅｓｉｓ」に、算出したバタツキ回避用のハンドオーバ閾値を設定する。
【０１４０】
第２無線基地局１２０は、第１無線基地局１１０からセル切替指示用のメッセージを受信した場合に、メッセージ１６００の「ａ３−Ｏｆｆｓｅｔ」や「ｈｙｓｔｅｒｅｓｉｓ」からバタツキ回避用のハンドオーバ閾値を取得する。
【０１４１】
ここではＳ１ＡＰの「ＨＡＮＤＯＶＥＲ  ＲＥＱＵＥＳＴ」メッセージを用いる場合について説明したが、Ｘ２ＡＰの「ＨＡＮＤＯＶＥＲ  ＲＥＱＵＥＳＴ」メッセージを用いる場合も同様である。
【０１４２】
（移動機への測定指示に用いるメッセージ）
図１７は、移動機への測定指示に用いるメッセージの一例を示す図である。第１無線基地局１１０や第２無線基地局１２０は、たとえば図１７に示すメッセージ１７００を移動機１０３への近隣セル情報の測定指示に用いることができる。
【０１４３】
メッセージ１７００は、３ＧＰＰにおいて規定された、「ＲＲＣ  ＣＯＮＮＥＣＴＩＯＮ  ＲＥＣＯＮＦＩＧＵＲＡＴＩＯＮ」メッセージの「Ｍｅａｓｕｒｅｍｅｎｔ  Ｃｏｎｆｉｇｕｒａｔｉｏｎ」の「Ｒｅｐｏｒｔ  Ｃｏｎｆｉｇ  ＥＵＴＲＡ  ｉｎｆｏｒｍａｔｉｏｎ  ｅｌｅｍｅｎｔ」である。
【０１４４】
たとえば、図６Ｂに示したステップＳ６０９において、第２無線基地局１２０は、第１無線基地局１１０を介してメッセージ１７００を移動機１０３へ送信することにより、移動機１０３に対してハンドオーバ用の近隣セル情報の測定指示を行う。また、第２無線基地局１２０は、メッセージ１７００の任意の項目（たとえば「ａ３−Ｏｆｆｓｅｔ」や「ｈｙｓｔｅｒｅｓｉｓ」）に、セル切替元の第１無線基地局１１０から通知されたバタツキ回避用のハンドオーバ閾値を格納する。
【０１４５】
このように、実施の形態１によれば、通信速度が高く移動速度が低い移動機１０３をマクロセル１１１から小セル１２１へ切り替えることで、小セル１２１における無線リソースの利用効率の向上を図ることができる。
【０１４６】
たとえば、通信速度が高く移動速度が低い移動機１０３は、小セル１２１に長時間在圏するとともに小セル１２１による大容量通信を要する可能性が高い。このため、通信速度が高く移動速度が低い移動機１０３が小セル１２１に接続することで、小セル１２１における無線リソースの利用効率の向上を図ることができる。
【０１４７】
また、セル切替元の第１無線基地局１１０が、セル切替先の第２無線基地局１２０における移動機１０３のハンドオーバの閾値を、移動機１０３において測定されたマクロセル１１１および小セル１２１の各ＲＳＲＰの差分に基づいて算出した閾値に設定させる。これにより、移動機１０３がセル切替の直後にセル切替元へ切り戻ることを回避し、セル切替元セルとセル切替先との間でのバタツキを回避することが可能になる。
【０１４８】
（実施の形態２）
実施の形態２について、実施の形態１と異なる部分について説明する。実施の形態２においては、小セル１２１を形成する第２無線基地局１２０に接続している移動機１０３について、マクロセル１１１を形成する第１無線基地局１１０へのセル切替を行う場合について説明する。
【０１４９】
（小セルからマクロセルへの切替）
図１８Ａおよび図１８Ｂは、小セルからマクロセルへの切替の一例を示すシーケンス図である。図１８Ａ，図１８Ｂに示す例では、小セル１２１を形成する第２無線基地局１２０（セル切替元）に接続している移動機１０３について、マクロセル１１１を形成する第１無線基地局１１０（セル切替先）へのセル切替を行う場合について説明する。
【０１５０】
＜セル切替用測定指示シーケンス＞
まず、移動機１０３と第２無線基地局１２０との間で呼接続が完了すると（ステップＳ１８０１）、セル切替のトリガを検出してセル切替先を選択するため、「セル切替用測定指示シーケンス」が実行される。すなわち、第２無線基地局１２０が、移動機１０３に対して、セル切替判断用の近隣セル情報の測定指示を行う（ステップＳ１８０２）。ステップＳ１８０２における測定指示は、図６Ａに示したステップＳ６０２における第１無線基地局１１０による測定指示と同様である。
【０１５１】
ステップＳ１８０２により、移動機１０３は、ステップＳ１８０２において通知された最低レベルの閾値でのセル切替用の近隣セル情報の測定を開始する。すなわち、移動機１０３は、近隣の各セルのＲＳＲＰを測定し、ＲＳＲＰが最低レベルの閾値を超えるセルに関する情報をセル切替用の近隣セル情報として第２無線基地局１２０へ報告する。
【０１５２】
＜移動速度情報・通信速度情報取得シーケンス＞
また、移動機１０３と第２無線基地局１２０との間において、「移動速度情報・通信速度情報取得シーケンス」が実行される。すなわち、第２無線基地局１２０は、移動機１０３の移動速度を特定可能な移動速度情報を移動機１０３から周期的に取得する（ステップＳ１８０３）。ステップＳ１８０３は、たとえばＲＲＣの「ＭＥＡＳＵＲＥＭＥＮＴ  ＲＥＰＯＲＴ」を用いて行うことができる。また、第２無線基地局１２０は、移動機１０３の通信速度を示す通信速度情報を周期的に取得する（ステップＳ１８０４）。
【０１５３】
第２無線基地局１２０は、ステップＳ１８０３，Ｓ１８０４により取得した情報をテーブルに書き込む（ステップＳ１８０５）。たとえば、第２無線基地局１２０は、ステップＳ１８０３により取得した移動速度情報を第２無線基地局１２０の移動速度管理テーブル記憶部５０７の移動速度管理テーブルに書き込む。また、第２無線基地局１２０は、ステップＳ１８０４により取得した通信速度情報を第２無線基地局１２０の通信速度管理テーブル記憶部５０９の通信速度管理テーブルに書き込む。
【０１５４】
＜セル切替判定・セル切替実行シーケンス＞
つぎに、「セル切替判定・セル切替実行シーケンス」が実行される。すなわち、移動機１０３が、第２無線基地局１２０に対してセル切替用の近隣セル情報を周期的に報告する（ステップＳ１８０６）。
【０１５５】
これに対して、第２無線基地局１２０は、セル切替後のバタツキ回避用のハンドオーバ閾値を算出するとともに、移動機１０３のマクロセル１１１へのセル切替の要否を判断する（ステップＳ１８０７）。バタツキ回避用のハンドオーバ閾値は、たとえば上述した最低レベルの閾値より高い閾値である。
【０１５６】
ステップＳ１８０７による判断は、図６Ｂに示したステップＳ６０７における第１無線基地局１１０による判断と同様である。図１８Ａ，図１８Ｂに示す例では、第２無線基地局１２０は、ステップＳ１８０７において、移動機１０３のマクロセル１１１へのセル切替を要すると判断したとする。
【０１５７】
この場合は、第２無線基地局１２０は、マクロセル１１１（第１無線基地局１１０）に対するセル切替要求を実施する（ステップＳ１８０８）。ステップＳ１８０８によるセル切替要求は、図６Ｂに示したステップＳ６０８における第１無線基地局１１０によるセル切替要求と同様である。
【０１５８】
つぎに、第１無線基地局１１０が、第２無線基地局１２０を介して、移動機１０３に対して、マクロセル１１１へのセル切替指示と、ハンドオーバ用の近隣セル情報の測定指示と、を行う（ステップＳ１８０９）。また、第１無線基地局１１０は、ステップＳ１８０９において、移動機１０３に対して、ステップＳ１８０８によって通知されたバタツキ回避用のハンドオーバ閾値でのハンドオーバ用の近隣セル情報の測定指示を行う。
【０１５９】
つぎに、移動機１０３が、接続先を小セル１２１（第２無線基地局１２０）からマクロセル１１１（第１無線基地局１１０）へ切り替える（ステップＳ１８１０）。また、移動機１０３は、ステップＳ１８０９において通知されたバタツキ回避用のハンドオーバ閾値でのハンドオーバ用の近隣セル情報の測定を開始する。
【０１６０】
すなわち、移動機１０３は、近隣の各セルのＲＳＲＰを測定し、ＲＳＲＰがバタツキ回避用のハンドオーバ閾値を超えるセルに関する情報をハンドオーバ用の近隣セル情報として第１無線基地局１１０へ報告する。これに対して、第１無線基地局１１０は、移動機１０３から報告されたハンドオーバ用の近隣セル情報に基づいて移動機１０３のハンドオーバを行う。
【０１６１】
これにより、セル切替の直後に移動機１０３が第２無線基地局１２０に切り戻るバタツキを回避することができる。「セル切替判定・セル切替実行シーケンス」の後においては、第１無線基地局１１０は、移動機１０３に関してセル切替元となる。
【０１６２】
＜セル切替用測定指示シーケンス＞
つぎに、移動機１０３と第１無線基地局１１０との間で「セル切替用測定指示シーケンス」が実行される。すなわち、第１無線基地局１１０が、移動機１０３に対して、セル切替判断用の近隣セル情報の測定指示を行う（ステップＳ１８１１）。ステップＳ１８１１における測定指示は、ステップＳ１８０２における第２無線基地局１２０による測定指示と同様である。
【０１６３】
ステップＳ１８１１により、移動機１０３は、ステップＳ１８１１において通知された最低レベルの閾値でのセル切替用の近隣セル情報の測定を開始する。すなわち、移動機１０３は、近隣の各セルのＲＳＲＰを測定し、ＲＳＲＰが最低レベルの閾値を超えるセルに関する情報をセル切替用の近隣セル情報として第１無線基地局１１０へ報告する。
【０１６４】
また、移動機１０３は、セル切替用の近隣セル情報の測定とともに、ステップＳ１８０９において通知されたバタツキ回避用のハンドオーバ閾値でのハンドオーバ用の近隣セル情報の測定も行う。
【０１６５】
＜移動速度情報・通信速度情報取得シーケンス＞
また、移動機１０３と第１無線基地局１１０との間において、「移動速度情報・通信速度情報取得シーケンス」が実行される。すなわち、第１無線基地局１１０は、移動機１０３の移動速度を特定可能な移動速度情報を移動機１０３から周期的に取得する（ステップＳ１８１２）。ステップＳ１８１２は、たとえばＲＲＣの「ＭＥＡＳＵＲＥＭＥＮＴ  ＲＥＰＯＲＴ」を用いて行うことができる。また、第１無線基地局１１０は、移動機１０３の通信速度を示す通信速度情報を周期的に取得する（ステップＳ１８１３）。
【０１６６】
第１無線基地局１１０は、ステップＳ１８１２，Ｓ１８１３により取得した情報をテーブルに書き込む（ステップＳ１８１４）。たとえば、第１無線基地局１１０は、ステップＳ１８１２により取得した移動速度情報を第１無線基地局１１０の移動速度管理テーブル記憶部５０７の移動速度管理テーブルに書き込む。また、第１無線基地局１１０は、ステップＳ１８１３により取得した通信速度情報を第１無線基地局１１０の通信速度管理テーブル記憶部５０９の通信速度管理テーブルに書き込む。
【０１６７】
（セル切替元の無線基地局装置による処理）
図１９は、セル切替元の無線基地局装置による処理の一例を示すフローチャートである。実施の形態２においてセル切替元である第２無線基地局１２０は、移動機１０３が自局に接続している場合に、移動機１０３について図１９に示す各ステップを繰り返し実行する。たとえば、第２無線基地局１２０は、図７に示した第１無線基地局１１０による処理と同様の処理を行うとともに、図１９に示す各ステップを繰り返し実行する。
【０１６８】
まず、第２無線基地局１２０は、移動機１０３からセル切替用の近隣セル情報の報告があったか否かを判断し（ステップＳ１９０１）、セル切替用の近隣セル情報の報告があるまで待つ（ステップＳ１９０１：Ｎｏのループ）。ステップＳ１９０１は、たとえば測定情報監視部５０４が無線通信部５０１を介して移動機１０３からの近隣セル情報の受信を監視することにより行われる。
【０１６９】
ステップＳ１９０１において、セル切替用の近隣セル情報の報告があると（ステップＳ１９０１：Ｙｅｓ）、第２無線基地局１２０は、近隣セル情報のリスト中にマクロセルがあるか否かを判断する（ステップＳ１９０２）。ステップＳ１９０２は、たとえば測定情報監視部５０４により行われる。近隣セル情報のリスト中にマクロセルがない場合（ステップＳ１９０２：Ｎｏ）は、第２無線基地局１２０は、セル切替を行わずにステップＳ１９０１へ戻る。
【０１７０】
ステップＳ１９０２において、近隣セル情報のリスト中にマクロセルがある場合（ステップＳ１９０２：Ｙｅｓ）は、第２無線基地局１２０は、近隣セル情報のリスト中の最上位のマクロセル（たとえばマクロセル１１１）をセル切替先に選定する（ステップＳ１９０３）。リスト中の最上位のマクロセルは、たとえば、リスト中で移動機１０３との間の通信品質（たとえばＲＳＲＰ）が最も高いマクロセルである。ステップＳ１９０３は、たとえば測定情報監視部５０４により行われる。
【０１７１】
つぎに、第２無線基地局１２０は、近隣セル情報によって移動機１０３から報告された自セルのＲＳＲＰと、ステップＳ１９０３によりセル切替先に選定したマクロセルのＲＳＲＰと、からバタツキ回避用のハンドオーバ閾値を算出する（ステップＳ１９０４）。ステップＳ１９０４において用いる各ＲＳＲＰは、移動機１０３から受信した近接セル情報から取得することができる。ステップＳ１９０４は、たとえば測定情報監視部５０４により行われる。
【０１７２】
つぎに、第２無線基地局１２０は、移動速度管理テーブル記憶部５０７に記憶された移動速度管理テーブルから移動機１０３の移動速度情報を読み出す（ステップＳ１９０５）。また、第２無線基地局１２０は、通信速度管理テーブル記憶部５０９に記憶された通信速度管理テーブルから移動機１０３の通信速度情報を読み出す（ステップＳ１９０６）。ステップＳ１９０５，Ｓ１９０６は、たとえばセル切替制御部５０５により行われる。
【０１７３】
つぎに、第２無線基地局１２０は、ステップＳ１９０５により読み出した移動速度情報が示す移動機１０３の移動速度が閾値未満か否かを判断する（ステップＳ１９０７）。ステップＳ１９０７における閾値は、一例としては、平均歩行速度を想定した６［ｋｍ／ｈ］とすることができる。ステップＳ１９０７は、たとえばセル切替制御部５０５により行われる。
【０１７４】
ステップＳ１９０７において、移動速度が閾値以上である場合（ステップＳ１９０７：Ｎｏ）は、第２無線基地局１２０は、ステップＳ１９０９へ移行する。移動速度が閾値未満である場合（ステップＳ１９０７：Ｙｅｓ）は、第２無線基地局１２０は、ステップＳ１９０６により読み出した通信速度情報が示す移動機１０３の通信速度が閾値を超過しているか否かを判断する（ステップＳ１９０８）。ステップＳ１９０８における閾値は、一例としては５［Ｍｂｐｓ］とすることができる。ステップＳ１９０８は、たとえばセル切替制御部５０５により行われる。
【０１７５】
ステップＳ１９０８において、通信速度が閾値を超過している場合（ステップＳ１９０８：Ｙｅｓ）は、第２無線基地局１２０は、移動機１０３のセル切替を行わずに、一連の処理を終了する（セル切替未実施）。この場合は、移動機１０３は、小セル１２１による通信を継続する。通信速度が閾値を超過していない場合（ステップＳ１９０８：Ｎｏ）は、第２無線基地局１２０は、セル切替指示用のメッセージを編集する（ステップＳ１９０９）。ステップＳ１９０９は、たとえばセル切替制御部５０５により行われる。
【０１７６】
つぎに、第２無線基地局１２０は、ステップＳ１９０３によってセル切替先に選定したマクロセルへの移動機１０３のセル切替を実施し（ステップＳ１９１０）、一連の処理を終了する（セル切替実施）。ステップＳ１９１０は、ステップＳ１９０９によって編集したセル切替指示用のメッセージを第１無線基地局１１０へ送信することにより行われる。また、ステップＳ１９０９は、たとえばセル切替制御部５０５がネットワーク通信部５０２を介して第１無線基地局１１０へ制御信号を送信することにより行われる。
【０１７７】
（近隣セル情報）
図２０は、近隣セル情報の一例を示す図である。実施の形態２において、移動機１０３は、たとえば図１１に示したメッセージ１１００を用いて、たとえば図２０に示す近隣セル情報２０００を第２無線基地局１２０へ報告する。近隣セル情報２０００のフォーマットは、たとえば図１２に示した近隣セル情報１２００と同様である。
【０１７８】
第２無線基地局１２０は、セル切替用の近隣セル情報として近隣セル情報２０００を受信した場合は、近隣セル情報２０００に基づいて移動機１０３のセル切替の要否を判断する。図２０に示した例においては、近隣セル情報２０００の中にマクロセルが含まれているため、第２無線基地局１２０は、移動機１０３のマクロセルへのセル切替を行うか否かを移動機１０３の通信速度および移動速度に基づいて判断する。
【０１７９】
そして、第２無線基地局１２０は、移動機１０３のセル切替を行うと判断すると、近隣セル情報２０００の各近隣セルに含まれＲＳＲＰが最も高いマクロセルである近隣セルＡをセル切替先として選定する。
【０１８０】
この場合は、第２無線基地局１２０は、近隣セル情報２０００が示す自セルのＲＳＲＰ（６０）と、近隣セルＡのＲＳＲＰ（５０）と、の差分に基づいてバタツキ回避用のハンドオーバ閾値を算出する。たとえば、第２無線基地局１２０は、自セルのＲＳＲＰ値と近隣セルＡのＲＳＲＰ値の差が＋１０［ｄＢ］であるため、バタツキ回避用のハンドオーバ閾値として１０以上の閾値（「ａ３−Ｏｆｆｓｅｔ」または「ｈｙｓｔｅｒｅｓｉｓ」）を算出する。
【０１８１】
また、第２無線基地局１２０は、ハンドオーバ用の近隣セル情報として近隣セル情報２０００を受信した場合は、近隣セル情報２０００に基づいて移動機１０３のハンドオーバを実施する。たとえば、第２無線基地局１２０は、自セルのＲＳＲＰと近隣セルのＲＳＲＰとを比較し、自セルのＲＳＲＰより近隣セルのＲＳＲＰの方が所定値以上高い場合は移動機１０３を近隣セルへハンドオーバさせる。
【０１８２】
このように、実施の形態２によれば、通信速度が低い、または移動速度が高い移動機１０３を小セル１２１からマクロセル１１１へ切り替えることで、小セル１２１における無線リソースの利用効率の向上を図ることができる。
【０１８３】
たとえば、通信速度が低い移動機１０３は、小セル１２１による大容量通信を要する可能性が低い。また、移動速度が高い移動機１０３は、短時間で小セル１２１の圏外となる可能性が高い。
【０１８４】
このため、通信速度が低い、または移動速度が高い移動機１０３の接続先を小セル１２１からマクロセル１１１へ切り替えさせることで、小セル１２１の容量を空けることができる。このため、たとえば通信速度が高く移動速度が低い他の移動機を小セル１２１に接続させ、小セル１２１における無線リソースの利用効率の向上を図ることができる。
【０１８５】
また、セル切替元の第２無線基地局１２０が、セル切替先の第１無線基地局１１０における移動機１０３のハンドオーバの閾値を、移動機１０３において測定された小セル１２１およびマクロセル１１１の各ＲＳＲＰの差分に基づいて算出した閾値に設定させる。これにより、移動機１０３がセル切替の直後にセル切替元へ切り戻ることを回避し、セル切替元セルとセル切替先との間でのバタツキを回避することが可能になる。
【０１８６】
（実施の形態３）
実施の形態３について、実施の形態１と異なる部分について説明する。実施の形態３においては、バタツキ回避用のハンドオーバ閾値の通知に、Ｓ１ＡＰやＸ２ＡＰの「ＨＡＮＤＯＶＥＲ  ＲＥＱＵＥＳＴ」メッセージのうちの、現状で未使用の「Ｍｅａｓｕｒｅｍｅｎｔ  ＩＤ」を使用する場合について説明する。
【０１８７】
（セル切替先の無線基地局装置によるハンドオーバ処理）
図２１は、セル切替先の無線基地局装置によるハンドオーバ処理の一例を示すフローチャートである。セル切替先の第２無線基地局１２０は、たとえば図２１に示す各ステップを繰り返し実行する。
【０１８８】
図２１に示すステップＳ２１０１〜Ｓ２１０６は、図９に示したステップＳ９０１〜Ｓ９０６と同様である。ただし、ステップＳ２１０２において、第２無線基地局１２０は、「ＨＡＮＤＯＶＥＲ  ＲＥＱＵＥＳＴ」メッセージのＲＲＣコンテナ内の「Ｍｅａｓｕｒｅｍｅｎｔ  ＩＤ」が所定値（３２）であるか否かを判断する（ステップＳ２１０２）。
【０１８９】
ステップＳ２１０２において、「Ｍｅａｓｕｒｅｍｅｎｔ  ＩＤ」が所定値である場合（ステップＳ２１０２：Ｙｅｓ）は、「ＨＡＮＤＯＶＥＲ  ＲＥＱＵＥＳＴ」メッセージにバタツキ回避用のハンドオーバ閾値が格納されていると判断することができる。この場合は、第２無線基地局１２０は、ステップＳ２１０３へ移行する。
【０１９０】
ステップＳ２１０２において、「Ｍｅａｓｕｒｅｍｅｎｔ  ＩＤ」が所定値でない場合（ステップＳ２１０２：Ｎｏ）は、「ＨＡＮＤＯＶＥＲ  ＲＥＱＵＥＳＴ」メッセージにバタツキ回避用のハンドオーバ閾値が格納されていないと判断することができる。この場合は、第２無線基地局１２０は、ステップＳ２１０４へ移行する。
【０１９１】
（バタツキ回避用のハンドオーバ閾値の指定の通知に用いるメッセージ）
図２２は、バタツキ回避用のハンドオーバ閾値の指定の通知に用いるメッセージの一例を示す図である。第１無線基地局１１０は、たとえば図２２に示すメッセージ２２００を、バタツキ回避用のハンドオーバ閾値の指定の通知に用いることができる。
【０１９２】
メッセージ２２００は、３ＧＰＰにおいて規定された、Ｓ１ＡＰの「ＨＡＮＤＯＶＥＲ  ＲＥＱＵＥＳＴ」メッセージの「Ｓｏｕｒｃｅ  ｅＮＢ  ｔｏ  Ｔａｒｇｅｔ  ｅＮＢ  Ｔｒａｎｓｐａｒｅｎｔ  Ｃｏｎｔａｉｎｅｒ  ｉｎｆｏｒｍａｔｉｏｎ  ＲＲＣ  Ｃｏｎｔａｉｎｅｒ」（ＲＲＣコンテナ）の「Ｍｅａｓｕｒｅｍｅｎｔ  ＩＤ」である。
【０１９３】
第１無線基地局１１０は、セル切替指示用のメッセージを第２無線基地局１２０へ送信する場合に、たとえばメッセージ２２００の「ｍｅａｓＩｄ」に所定値（図２２に示す例では３２）を設定する。
【０１９４】
第２無線基地局１２０は、たとえば図２１に示したステップＳ２１０２において、メッセージ２２００の「ｍｅａｓＩｄ」を参照することで、受信したメッセージがセル切替指示用のメッセージか否かを判断することができる。
【０１９５】
ここではＳ１ＡＰの「ＨＡＮＤＯＶＥＲ  ＲＥＱＵＥＳＴ」メッセージを用いる場合について説明したが、Ｘ２ＡＰの「ＨＡＮＤＯＶＥＲ  ＲＥＱＵＥＳＴ」メッセージを用いる場合も同様である。また、バタツキ回避用のハンドオーバ閾値自体の通知には、たとえば図１６に示したメッセージ１６００を用いることができる。
【０１９６】
このように、実施の形態３によれば、バタツキ回避用のハンドオーバ閾値の通知に「Ｍｅａｓｕｒｅｍｅｎｔ  ＩＤ」を使用する構成において、上述した実施の形態１と同様の効果を得ることができる。
【０１９７】
なお、実施の形態３について、実施の形態１と異なる部分について説明したが、実施の形態３を実施の形態２に適用することもできる。すなわち、実施の形態２において、バタツキ回避用のハンドオーバ閾値の通知に、Ｓ１ＡＰやＸ２ＡＰの「ＨＡＮＤＯＶＥＲ  ＲＥＱＵＥＳＴ」メッセージのうちの、現状で未使用の「Ｍｅａｓｕｒｅｍｅｎｔ  ＩＤ」を使用してもよい。
【０１９８】
（実施の形態４）
実施の形態４について、実施の形態１と異なる部分について説明する。実施の形態４においては、バタツキ回避用のハンドオーバ閾値の通知に、Ｓ１ＡＰやＸ２ＡＰの「ＨＡＮＤＯＶＥＲ  ＲＥＱＵＥＳＴ」メッセージに新規に追加したＩＥ（以下、「新規ＩＥ」と称する。）を使用する場合について説明する。
【０１９９】
（セル切替先の無線基地局装置によるハンドオーバ処理）
図２３は、セル切替先の無線基地局装置によるハンドオーバ処理の一例を示すフローチャートである。セル切替先の第２無線基地局１２０は、たとえば図２３に示す各ステップを繰り返し実行する。
【０２００】
図２３に示すステップＳ２３０１〜Ｓ２３０６は、図９に示したステップＳ９０１〜Ｓ９０６と同様である。ただし、ステップＳ２３０２において、第２無線基地局１２０は、「ＨＡＮＤＯＶＥＲ  ＲＥＱＵＥＳＴ」メッセージに新規ＩＥが設定されているか否かを判断する（ステップＳ２３０２）。
【０２０１】
ステップＳ２３０２において、新規ＩＥが設定されている場合（ステップＳ２３０２：Ｙｅｓ）は、「ＨＡＮＤＯＶＥＲ  ＲＥＱＵＥＳＴ」メッセージにバタツキ回避用のハンドオーバ閾値が格納されていると判断することができる。この場合は、第２無線基地局１２０は、ステップＳ２３０３へ移行する。
【０２０２】
ステップＳ２３０２において、新規ＩＥが設定されていない場合（ステップＳ２３０２：Ｎｏ）は、「ＨＡＮＤＯＶＥＲ  ＲＥＱＵＥＳＴ」メッセージにバタツキ回避用のハンドオーバ閾値が格納されていないと判断することができる。この場合は、第２無線基地局１２０は、ステップＳ２３０４へ移行する。
【０２０３】
（バタツキ回避用のハンドオーバ閾値の指定の通知に用いるメッセージ）
図２４は、バタツキ回避用のハンドオーバ閾値の指定の通知に用いるメッセージの一例を示す図である。第１無線基地局１１０は、たとえば図２４に示すメッセージ２４００を、バタツキ回避用のハンドオーバ閾値の指定の通知に用いることができる。
【０２０４】
メッセージ２４００は、３ＧＰＰにおいて規定された、Ｓ１ＡＰの「ＨＡＮＤＯＶＥＲ  ＲＥＱＵＥＳＴ」メッセージの「Ｓｏｕｒｃｅ  ｅＮＢ  ｔｏ  Ｔａｒｇｅｔ  ｅＮＢ  Ｔｒａｎｓｐａｒｅｎｔ  Ｃｏｎｔａｉｎｅｒ  ｉｎｆｏｒｍａｔｉｏｎ  ＲＲＣ  Ｃｏｎｔａｉｎｅｒ」（ＲＲＣコンテナ）である。
【０２０５】
第１無線基地局１１０は、セル切替指示用のメッセージを第２無線基地局１２０へ送信する場合に、たとえばメッセージ２４００の「ＰｉｎｇＰｏｎｇＨｏ  ｔｈｒｅｓｈｏｌｄ」（仮名）に新規ＩＥを設定する。
【０２０６】
第２無線基地局１２０は、たとえば図２３に示したステップＳ２３０２において、メッセージ２４００の「ＰｉｎｇＰｏｎｇＨｏ  ｔｈｒｅｓｈｏｌｄ」を参照することで、受信したメッセージがセル切替指示用のメッセージか否かを判断することができる。
【０２０７】
第２無線基地局１２０は、受信したメッセージがセル切替指示用のメッセージであると判断した場合は、メッセージ２４００の「ａ３−Ｏｆｆｓｅｔ」や「ｈｙｓｔｅｒｅｓｉｓ」からバタツキ回避用のハンドオーバ閾値を取得する。
【０２０８】
ここではＳ１ＡＰの「ＨＡＮＤＯＶＥＲ  ＲＥＱＵＥＳＴ」メッセージを用いる場合について説明したが、Ｘ２ＡＰの「ＨＡＮＤＯＶＥＲ  ＲＥＱＵＥＳＴ」メッセージを用いる場合も同様である。
【０２０９】
このように、実施の形態４によれば、バタツキ回避用のハンドオーバ閾値の通知に新規ＩＥを使用する構成において、上述した実施の形態１と同様の効果を得ることができる。
【０２１０】
なお、実施の形態４について、実施の形態１と異なる部分について説明したが、実施の形態４を実施の形態２に適用することもできる。すなわち、実施の形態２において、バタツキ回避用のハンドオーバ閾値の通知に、「ＨＡＮＤＯＶＥＲ  ＲＥＱＵＥＳＴ」メッセージに新規に追加した新規ＩＥを使用してもよい。
【０２１１】
以上説明したように、無線基地局装置、無線通信システムおよび制御方法によれば、無線リソースの利用効率の向上を図ることができる。
【０２１２】
たとえば、従来、移動体通信では、一つの無線基地局がサービスを提供するエリア（セル）の無線リソースは有限である。サービスを受ける移動機は、同じセル内にいる複数の移動機と無線リソースを分け合って通信を行っている。たとえば、ＬＴＥ（Ｌｏｎｇ  Ｔｅｒｍ  Ｅｖｏｌｕｔｉｏｎ）においては、有限のリソースブロックを通信中のＵＥ（Ｕｓｅｒ  Ｅｑｕｉｐｍｅｎｔ）が共有することにより通信が行われる。
【０２１３】
近年、スマートフォンの普及が進み、アプリケーションによるバックグラウンドの通信が定常化したことで、ユーザ操作の有無によらず移動機の通信量は増加している。移動機の通信量が増加したことで、セル内で共有している無線リソースが枯渇し、サービスの品質（通信速度など）が低下する現象が発生し始めている。
【０２１４】
増加する通信量（トラヒック）への対策として、各通信事業者はセル半径が広い従来のマクロセル内に、セル半径が小さい小セルを配置し、利用可能な無線リソースを増加させることで、移動機の通信速度を向上させる施策を行っている。
【０２１５】
小セルは、移動速度の高い移動機についてはセル切替が頻発し、サービスの品質が低下するという課題がある。また、セル切替前に大容量通信を行っていたユーザが、切替先のセルで十分なリソースが確保できなかった場合に、セル切替後に通信速度が低下するという課題がある。
【０２１６】
通常、移動機は受信する電波の強度が高いセルに接続する。小セルを増設すると、ユーザ（移動機）に割り当てられるリソース数は増加するが、従来技術では、リソースの有効活用を考慮せずにセルが選定される。このため、低速通信で足りるユーザまで小セルに切替えてしまい、結果的に一台の移動機が利用できる無線リソースは減少し、大容量通信が行えない状況が発生する。
【０２１７】
これに対して、上述した各実施の形態によれば、たとえば、ユーザの通信速度と移動速度に応じて移動機を自セルへ留まらせるかもしくは周辺の適切なセルへ切替えることにより、無線リソースを有効活用することができる。これにより、たとえば、ユーザの用途に合った、安定、かつ最大限の通信パフォーマンスを提供することができる。また、セル切替時に元のセルに切り戻ることを抑えることで、セル切替時のバタツキが回避され、通信品質の安定化を図ることができる。
【０２１８】
たとえば、同じ場所にとどまって高速通信サービスを受けたいユーザは小セルに残し、カバー範囲が広いマクロセルの無線リソースは多くの在圏ユーザのために空けることができる。小セルでは収容ユーザ数が少ないため、残ったユーザはより高速な通信サービスを受けることが可能になる。
【符号の説明】
【０２１９】
１００  無線通信システム
１０１〜１０４  移動機
１１０  第１無線基地局
１１１  マクロセル
１２０  第２無線基地局
１２１  小セル
１３０，２００  無線基地局装置
１３１  取得部
１３２  制御部
２０１  プロセッサ
２０２  記憶装置
２０３  ＢＢ処理回路
２０４  ＲＦ信号処理回路
２０５，３０８  アンテナ
２０６  ＮＩＦ回路
２０９，３２０  バス
３０１  ＲＯＭ
３０２  ＳＯＡＰ
３０３  ＲＲＣ
３０４  Ｓ１ＡＰ
３０５  Ｘ２ＡＰ
３０６  ＭＥＭ
３０７  ＲＦ処理部
３０９  Ｌ１／Ｌ２処理部
３１０  トランスポート処理部
３１１  ＣＮＴ
４１０  ＡＰＬ
４１１  ＯＡＭ
４１２  呼処理
４２０  ＰＦ
４３０  ＯＳ
５０１  無線通信部
５０２  ネットワーク通信部
５０３  測定指示制御部
５０４  測定情報監視部
５０５  セル切替制御部
５０６  移動速度監視部
５０７  移動速度管理テーブル記憶部
５０８  通信速度監視部
５０９  通信速度管理テーブル記憶部
１０００，１１００，１５００，１６００，１７００，２２００，２４００  メッセージ
１２００，２０００  近隣セル情報
１３００  移動速度管理テーブル
１４００  通信速度管理テーブル
【図１Ａ】
2016051536.tif 000003
【図１Ｂ】
2016051536.tif 000004
【図１Ｃ】
2016051536.tif 000005
【図２】
2016051536.tif 000006
【図３】
2016051536.tif 000007
【図４】
2016051536.tif 000008
【図５Ａ】
2016051536.tif 000009
【図５Ｂ】
2016051536.tif 000010
【図６Ａ】
2016051536.tif 000011
【図６Ｂ】
2016051536.tif 000012
【図７】
2016051536.tif 000013
【図８】
2016051536.tif 000014
【図９】
2016051536.tif 000015
【図１０】
2016051536.tif 000016
【図１１】
2016051536.tif 000017
【図１２】
2016051536.tif 000018
【図１３】
2016051536.tif 000019
【図１４】
2016051536.tif 000020
【図１５】
2016051536.tif 000021
【図１６】
2016051536.tif 000022
【図１７】
2016051536.tif 000023
【図１８Ａ】
2016051536.tif 000024
【図１８Ｂ】
2016051536.tif 000025
【図１９】
2016051536.tif 000026
【図２０】
2016051536.tif 000027
【図２１】
2016051536.tif 000028
【図２２】
2016051536.tif 000029
【図２３】
2016051536.tif 000030
【図２４】
2016051536.tif 000031
【手続補正書】
【提出日】平成28年11月24日(2016.11.24)
【手続補正１】
【補正対象書類名】特許請求の範囲
【補正対象項目名】全文
【補正方法】変更
【補正の内容】
【特許請求の範囲】
【請求項１】
自セルに接続している移動機であって、自セルよりセル半径が大きく収容数が多い他セルに接続可能な移動機の通信量および前記移動機の移動速度を示す各情報を取得する取得部と、
前記取得部によって取得された前記各情報に基づいて、前記通信量が所定量以下、または前記移動速度が所定速度以上である場合に、前記移動機の接続先を前記他セルに切り替える制御を行う制御部と、
を備え、前記他セルは、前記移動機の接続先が前記他セルに切り替えられた場合に、前記移動機において測定された前記他セルおよび前記他セルと異なるセルの各通信品質の差分と閾値との比較結果に基づいて前記移動機をハンドオーバさせるセルであり、
前記制御部は、前記移動機の接続先を前記他セルに切り替える場合に、前記他セルにおける前記閾値を、前記移動機において測定された自セルおよび前記他セルの各通信品質の差分に基づいて算出した閾値に設定させる、
ことを特徴とする無線基地局装置。
【請求項２】
自セルに接続している移動機であって、自セルよりセル半径が小さく収容数が少ない他セルに接続可能な移動機の通信量および前記移動機の移動速度を示す各情報を取得する取得部と、
前記取得部によって取得された前記各情報に基づいて、前記通信量が所定量より多く、かつ前記移動速度が所定速度より低い場合に、前記移動機の接続先を前記他セルに切り替える制御を行う制御部と、
を備え、前記他セルは、前記移動機の接続先が前記他セルに切り替えられた場合に、前記移動機において測定された前記他セルおよび前記他セルと異なるセルの各通信品質の差分と閾値との比較結果に基づいて前記移動機をハンドオーバさせるセルであり、
前記制御部は、前記移動機の接続先を前記他セルに切り替える場合に、前記他セルにおける前記閾値を、前記移動機において測定された自セルおよび前記他セルの各通信品質の差分に基づいて算出した閾値に設定させる、
ことを特徴とする無線基地局装置。
【請求項３】
前記制御部は、前記通信量が前記所定量以下、または前記移動速度が前記所定速度以上である場合に、前記移動機の接続先を前記他セルに切り替えないことを特徴とする請求項２に記載の無線基地局装置。
【請求項４】
無線基地局装置が、自セルに接続している移動機であって、自セルよりセル半径が大きく収容数が多い他セルに接続可能な移動機の通信量および前記移動機の移動速度を示す各情報を取得し、
前記無線基地局装置が、取得した前記各情報に基づいて、前記通信量が所定量以下、または前記移動速度が所定速度以上である場合に、前記移動機の接続先を前記他セルに切り替える制御を行い、
前記他セルは、前記移動機の接続先が前記他セルに切り替えられた場合に、前記移動機において測定された前記他セルおよび前記他セルと異なるセルの各通信品質の差分と閾値との比較結果に基づいて前記移動機をハンドオーバさせるセルであり、
前記無線基地局装置が、前記移動機の接続先を前記他セルに切り替える場合に、前記他セルにおける前記閾値を、前記移動機において測定された自セルおよび前記他セルの各通信品質の差分に基づいて算出した閾値に設定させる、
ことを特徴とする制御方法。
【請求項５】
無線基地局装置が、自セルに接続している移動機であって、自セルよりセル半径が小さく収容数が少ない他セルに接続可能な移動機の通信量および前記移動機の移動速度を示す各情報を取得し、
前記無線基地局装置が、取得した前記各情報に基づいて、前記通信量が所定量より多く、かつ前記移動速度が所定速度より低い場合に、前記移動機の接続先を前記他セルに切り替える制御を行い、
前記他セルは、前記移動機の接続先が前記他セルに切り替えられた場合に、前記移動機において測定された前記他セルおよび前記他セルと異なるセルの各通信品質の差分と閾値との比較結果に基づいて前記移動機をハンドオーバさせるセルであり、
前記無線基地局装置が、前記移動機の接続先を前記他セルに切り替える場合に、前記他セルにおける前記閾値を、前記移動機において測定された自セルおよび前記他セルの各通信品質の差分に基づいて算出した閾値に設定させる、
ことを特徴とする制御方法。
【手続補正２】
【補正対象書類名】明細書
【補正対象項目名】全文
【補正方法】変更
【補正の内容】
【発明の詳細な説明】
【技術分野】
【０００１】
本発明は、無線基地局装置および制御方法に関する。
【背景技術】
【０００２】
従来、セル半径が大きいマクロセル内に、セル半径が小さい小セルを配置する技術が知られている。また、セルチェンジの変更元の基地局が、セルチェンジのタイミングよりも早いタイミングで、データ流入量を示す流入量制御信号を制御局へ送信する技術が知られている（たとえば、下記特許文献１参照。）。
【０００３】
また、基地局にてトラヒック量および移動速度の監視を行い、マクロセルおよび小セルの切り替えを実施する技術が知られている（たとえば、下記特許文献２参照。）。また、無線基地局が収容するセルから移動端末を追い出すように無線基地局の送信電力を制御する技術が知られている（たとえば、下記特許文献３参照。）。
【先行技術文献】
【特許文献】
【０００４】
【特許文献１】特開２００７−８９１４１号公報
【特許文献２】特開平９−２６１７２３号公報
【特許文献３】国際公開第２０１２／０２０４８５号
【発明の概要】
【発明が解決しようとする課題】
【０００５】
しかしながら、上述した従来技術では、たとえば、小セルに対して、短時間で小セルの圏外となる移動中の移動機や、大容量通信を行わない移動機などが接続すると、小セルの無線リソースを効率よく利用することができないという問題がある。
【０００６】
１つの側面では、本発明は、無線リソースの利用効率の向上を図ることができる無線基地局装置および制御方法を提供することを目的とする。
【課題を解決するための手段】
【０００７】
上述した課題を解決し、目的を達成するため、本発明の一側面によれば、自セルに接続している移動機であって、自セルよりセル半径が大きく収容数が多い他セルに接続可能な移動機の通信量および前記移動機の移動速度を示す各情報を取得し、取得した前記各情報に基づいて、前記通信量が所定量以下、または前記移動速度が所定速度以上である場合に、前記移動機の接続先を前記他セルに切り替える制御を行う無線基地局装置および制御方法が提案される。
【０００８】
本発明の別の側面によれば、自セルに接続している移動機であって、自セルよりセル半径が小さく収容数が少ない他セルに接続可能な移動機の通信量および前記移動機の移動速度を示す各情報を取得し、取得した前記各情報に基づいて、前記通信量が所定量より多く、かつ前記移動速度が所定速度より低い場合に、前記移動機の接続先を前記他セルに切り替える制御を行う無線基地局装置および制御方法が提案される。
【発明の効果】
【０００９】
本発明の一側面によれば、無線リソースの利用効率の向上を図ることができる。
【図面の簡単な説明】
【００１０】
【図１Ａ】実施の形態１にかかる無線通信システムの一例を示す図である。
【図１Ｂ】実施の形態１にかかる無線基地局装置の一例を示す図である。
【図１Ｃ】図１Ｂに示した無線基地局装置における信号の流れの一例を示す図である。
【図２】無線基地局装置のハードウェア構成の一例を示す図である。
【図３】無線通信装置の構成の一例を示す図である。
【図４】ＣＮＴの一例を示す図である。
【図５Ａ】ＡＰＬの呼制御に関する構成の一例を示す図である。
【図５Ｂ】図５Ａに示したＡＰＬの呼制御に関する構成における信号の流れの一例を示す図である。
【図６Ａ】マクロセルから小セルへの切替の一例を示すシーケンス図（その１）である。
【図６Ｂ】マクロセルから小セルへの切替の一例を示すシーケンス図（その２）である。
【図７】セル切替元の無線基地局装置による処理（その１）の一例を示すフローチャートである。
【図８】セル切替元の無線基地局装置による処理（その２）の一例を示すフローチャートである。
【図９】セル切替先の無線基地局装置によるハンドオーバ処理の一例を示すフローチャートである。
【図１０】セル切替用の近隣セル情報の測定指示に用いるメッセージの一例を示す図である。
【図１１】近隣セル情報の報告に用いるメッセージの一例を示す図である。
【図１２】近隣セル情報の一例を示す図である。
【図１３】移動速度管理テーブルの一例を示す図である。
【図１４】通信速度管理テーブルの一例を示す図である。
【図１５】ＨＡＮＤＯＶＥＲ  ＲＥＱＵＥＳＴで通知されるＣａｕｓｅの一例を示す図である。
【図１６】バタツキ回避用のハンドオーバ閾値の通知に用いるメッセージの一例を示す図である。
【図１７】移動機への測定指示に用いるメッセージの一例を示す図である。
【図１８Ａ】小セルからマクロセルへの切替の一例を示すシーケンス図（その１）である。
【図１８Ｂ】小セルからマクロセルへの切替の一例を示すシーケンス図（その２）である。
【図１９】セル切替元の無線基地局装置による処理の一例を示すフローチャートである。
【図２０】近隣セル情報の一例を示す図である。
【図２１】セル切替先の無線基地局装置によるハンドオーバ処理の一例を示すフローチャートである。
【図２２】バタツキ回避用のハンドオーバ閾値の指定の通知に用いるメッセージの一例を示す図である。
【図２３】セル切替先の無線基地局装置によるハンドオーバ処理の一例を示すフローチャートである。
【図２４】バタツキ回避用のハンドオーバ閾値の指定の通知に用いるメッセージの一例を示す図である。
【発明を実施するための形態】
【００１１】
以下に図面を参照して、本発明にかかる無線基地局装置および制御方法の実施の形態を詳細に説明する。
【００１２】
（実施の形態１）
（実施の形態１にかかる無線通信システム）
図１Ａは、実施の形態１にかかる無線通信システムの一例を示す図である。図１Ａに示すように、実施の形態１にかかる無線通信システム１００は、第１無線基地局１１０と、第２無線基地局１２０と、移動機１０１〜１０４と、を含む。第１無線基地局１１０は、マクロセル１１１を形成するマクロ基地局である。
【００１３】
第２無線基地局１２０は、小セル１２１（スモールセル）を形成するスモール基地局である。小セル１２１は、たとえば、マクロセル１１１よりセル半径が小さく、かつマクロセル１１１より収容数が少ないセルである。収容数は、たとえば接続可能な移動機の数である。また、小セル１２１は、移動機ごとの最高通信速度がマクロセル１１１より高いセルであってもよい。小セル１２１には、一例としては、フェムトセル、ピコセル、マイクロセルなど各種のセルを適用することができる。
【００１４】
移動機１０１〜１０４は、マクロセル１１１に在圏しており、第１無線基地局１１０との間で無線通信が可能である。また、移動機１０３，１０４は、小セル１２１にも在圏しており、第２無線基地局１２０との間で無線通信が可能である。
【００１５】
本実施の形態において、通信状態の移動機が接続先のセルを切り替える処理であって、移動機の通信速度および移動速度に基づいて行われる動作をセル切替と称する。また、本実施の形態において、通信状態の移動機が接続先のセルを切り替える動作であって、移動機における近隣セルの電波状況が自セルの電波状況を上回ったことによって行われる動作をハンドオーバと称する。
【００１６】
図１Ｂは、実施の形態１にかかる無線基地局装置の一例を示す図である。図１Ｃは、図１Ｂに示した無線基地局装置における信号の流れの一例を示す図である。図１Ａに示した第２無線基地局１２０は、たとえば図１Ｂ，図１Ｃに示す無線基地局装置１３０により実現することができる。無線基地局装置１３０は、取得部１３１と、制御部１３２と、を備える。
【００１７】
取得部１３１は、自セル（小セル１２１）に接続しており、かつマクロセル１１１（他セル）に接続可能な移動機１０３について、移動機１０３の通信速度を示す通信速度情報と、移動機１０３の通信量を示す通信量情報と、を取得する。そして、取得部１３１は、取得した各情報を制御部１３２へ出力する。
【００１８】
移動機１０３の通信量は、たとえば、小セル１２１による移動機１０３の上り通信および下り通信の少なくともいずれかの通信量である。また、通信量は、たとえば時間あたりの通信量（通信速度）である。たとえば、取得部１３１は、自セルと移動機１０３との間の時間あたりの通信量を測定することによって通信量情報を取得することができる。
【００１９】
また、取得部１３１は、移動機１０３の移動速度を直接的または間接的に示す情報を移動機１０３から受信することによって移動速度情報を取得することができる。なお、移動機１０３の移動速度を示す移動速度情報は、たとえば移動機１０３が移動中（移動速度＞０）であるか停止中（移動速度＝０）であるかを示す情報であってもよい。
【００２０】
制御部１３２は、取得部１３１から出力された各情報に基づいて、移動機１０３の通信量が所定量以下、または移動機１０３の移動速度が所定速度以上である場合に、移動機１０３の接続先をマクロセル１１１に切り替える制御を行う。たとえば、制御部１３２は、移動機１０３および第１無線基地局１１０の少なくともいずれかへ、移動機１０３の接続先をマクロセル１１１に切り替えることを指示する制御信号を送信する。一方、制御部１３２は、移動機１０３の通信量が所定量より高く、かつ移動機１０３の移動速度が所定速度より低い場合は、移動機１０３の接続先をマクロセル１１１に切り替えない。
【００２１】
また、たとえば、マクロセル１１１（第１無線基地局１１０）は、移動機１０３の接続先がマクロセル１１１に切り替えられた場合に、移動機１０３において測定されたマクロセル１１１およびマクロセル１１１と異なるセルの各通信品質を取得する。マクロセル１１１と異なるセルには、たとえば小セル１２１が含まれる。
【００２２】
そして、マクロセル１１１は、取得した各通信品質の差分と閾値との比較結果に基づいて、移動機１０３をマクロセル１１１と異なるセルへハンドオーバさせる。たとえば、マクロセル１１１は、各通信品質の差分が閾値を超えた場合に、移動機１０３をマクロセル１１１と異なるセルへハンドオーバさせる。
【００２３】
この場合に、第２無線基地局１２０の制御部１３２は、移動機１０３の接続先をマクロセル１１１に切り替える際に、移動機１０３において測定された小セル１２１およびマクロセル１１１の各通信品質の差分に基づく閾値を算出してもよい。そして、制御部１３２は、マクロセル１１１における移動機１０３のハンドオーバの閾値を、算出した閾値に設定させる制御を行う。
【００２４】
たとえば、制御部１３２は、移動機１０３の接続先をマクロセル１１１に切り替える場合に、算出した閾値を第１無線基地局１１０へ通知することにより、マクロセル１１１における移動機１０３のハンドオーバの閾値を、算出した閾値に設定させる。これにより、セル切替元のセルとセル切替先との間の切戻りによるバタツキを回避することができる。
【００２５】
また、図１Ｂ，図１Ｃに示す無線基地局装置１３０を、図１Ａに示した第１無線基地局１１０に適用してもよい。たとえば、移動機１０３が、無線基地局装置１３０（第１無線基地局１１０）が形成するマクロセル１１１に接続しているとする。
【００２６】
この場合に、制御部１３２は、移動機１０３の通信量が所定量より高く、かつ移動機１０３の移動速度が所定速度より低い場合に、移動機１０３の接続先を小セル１２１に切り替える制御を行う。たとえば、制御部１３２は、移動機１０３および第２無線基地局１２０の少なくともいずれかへ、移動機１０３の接続先を小セル１２１に切り替えることを指示する制御信号を送信する。一方、制御部１３２は、移動機１０３の通信量が所定量以下、または移動機１０３の移動速度が所定速度以上である場合は、移動機１０３の接続先を小セル１２１に切り替えない。
【００２７】
また、図１Ｂ，図１Ｃに示す無線基地局装置１３０を、図１Ａに示した第１無線基地局１１０および第２無線基地局１２０の両方に適用してもよい。
【００２８】
（無線基地局装置のハードウェア構成）
図２は、無線基地局装置のハードウェア構成の一例を示す図である。図１Ｂに示した無線基地局装置１３０（第１無線基地局１１０および第２無線基地局１２０の少なくともいずれか）は、たとえば図２に示す無線基地局装置２００により実現することができる。無線基地局装置２００は、プロセッサ２０１と、記憶装置２０２と、ＢＢ処理回路２０３と、ＲＦ信号処理回路２０４と、アンテナ２０５と、ＮＩＦ回路２０６と、を備える。プロセッサ２０１、記憶装置２０２、ＢＢ処理回路２０３、ＲＦ信号処理回路２０４およびＮＩＦ回路２０６は、たとえばバス２０９によって接続される。
【００２９】
プロセッサ２０１は、無線基地局装置２００の全体の制御を司る。たとえば、プロセッサ２０１は、ＢＢ処理回路２０３が行う処理以外のユーザ管理処理や無線基地局装置２００の動作の制御などを行う。
【００３０】
記憶装置２０２には、たとえば主記憶装置および補助記憶装置が含まれる。主記憶装置は、たとえばＲＡＭ（Ｒａｎｄｏｍ  Ａｃｃｅｓｓ  Ｍｅｍｏｒｙ）である。主記憶装置は、プロセッサ２０１のワークエリアとして使用される。補助記憶装置は、たとえば磁気ディスク、フラッシュメモリなどの不揮発メモリである。補助記憶装置には、無線基地局装置２００を動作させる各種のプログラムが記憶されている。補助記憶装置に記憶されたプログラムは、主記憶装置にロードされてプロセッサ２０１によって実行される。
【００３１】
ＢＢ処理回路２０３は、移動機１０１〜１０４と無線基地局装置２００との間で送受信されるＢＢ信号の処理を行う。ＢＢ信号の処理には、たとえば、符号化、変調、復調、復号、通信プロトコル処理、スケジューリングに関する処理などが含まれる。
【００３２】
ＲＦ信号処理回路２０４は、移動機１０１〜１０４と無線基地局装置２００との間で送受信される無線信号のＲＦ（Ｒａｄｉｏ  Ｆｒｅｑｕｅｎｃｙ：高周波）処理を行う。ＲＦ処理には、たとえば、デジタルアナログ変換、アナログデジタル変換、周波数変換、信号増幅およびフィルタリングなどが含まれる。
【００３３】
ＮＩＦ回路２０６は、携帯電話網を経由した他の無線基地局との信号の送受信のための信号処理を行うネットワークインタフェース回路である。
【００３４】
（無線通信装置）
図３は、無線通信装置の構成の一例を示す図である。図３に示すように、無線基地局装置２００は、ＲＯＭ３０１と、ＳＯＡＰ３０２と、ＲＲＣ３０３と、Ｓ１ＡＰ３０４と、Ｘ２ＡＰ３０５と、ＭＥＭ３０６と、ＲＦ処理部３０７と、アンテナ３０８と、を備える。また、無線基地局装置２００は、Ｌ１／Ｌ２処理部３０９と、トランスポート処理部３１０と、ＣＮＴ３１１と、を備える。ＳＯＡＰ３０２、ＲＲＣ３０３、Ｓ１ＡＰ３０４、Ｘ２ＡＰ３０５、ＭＥＭ３０６、ＲＦ処理部３０７、Ｌ１／Ｌ２処理部３０９およびトランスポート処理部３１０は、バス３２０によって接続されている。
【００３５】
ＲＯＭ３０１（Ｒｅａｄ  Ｏｎｌｙ  Ｍｅｍｏｒｙ）は、無線基地局装置２００を動作させるためのプログラム、局データファイル、その他の各種のファイルなどを記憶する。
【００３６】
ＳＯＡＰ３０２（Ｓｉｍｐｌｅ  Ｏｂｊｅｃｔ  Ａｃｃｅｓｓ  Ｐｒｏｔｏｃｏｌ）は、無線基地局装置２００におけるコンフィグレーション管理、統計管理、フォルト管理、セキュリティ管理などの処理を行う。
【００３７】
ＲＲＣ３０３（Ｒａｄｉｏ  Ｒｅｓｏｕｒｃｅ  Ｃｏｎｔｒｏｌ：無線リソース制御）は、移動機間のコネクション管理を行う。
【００３８】
Ｓ１ＡＰ３０４（Ｓ１  Ａｐｐｌｉｃａｔｉｏｎ  Ｐｒｏｔｏｃｏｌ：Ｓ１アプリケーションプロトコル）は、ＥＰＣ（Ｅｖｏｌｖｅｄ  Ｐａｃｋｅｔ  Ｃｏｒｅ：モバイルコア）間のシグナリングサービスに関する処理を行う。
【００３９】
Ｘ２ＡＰ３０５（Ｘ２  Ａｐｐｌｉｃａｔｉｏｎ  Ｐｒｏｔｏｃｏｌ：Ｘ２アプリケーションプロトコル）は、無線基地局間のシグナリングサービスに関する処理を行う。
【００４０】
ＭＥＭ３０６は、揮発性メモリ、各ブロックが使用するワークメモリである。
【００４１】
ＲＦ処理部３０７は、移動機１０１〜１０４と無線基地局装置２００との間で送受信される無線信号のＲＦ処理を行う。ＲＦ処理には、たとえば、デジタルアナログ変換、アナログデジタル変換、周波数変換、信号増幅およびフィルタリングなどが含まれる。
【００４２】
Ｌ１／Ｌ２処理部３０９は、パケット制御や、ＲＬＣ（Ｒａｄｉｏ  Ｌｉｎｋ  Ｃｏｎｔｒｏｌ）／ＰＤＣＰ（Ｐａｃｋｅｔ  Ｄａｔａ  Ｃｏｎｖｅｒｇｅｎｃｅ  Ｐｒｏｔｏｃｏｌ）／ＭＡＣ（Ｍｅｄｉａ  Ａｃｃｅｓｓ  Ｃｏｎｔｒｏｌ）／ＰＨＹ（物理層）の各レイヤのプロトコル処理を行う。
【００４３】
トランスポート処理部３１０は、携帯電話網との間の通信の信号終端処理を行う。携帯電話網との間の通信の信号終端処理には、たとえば、ＧＴＰ−Ｕ（ＧＰＲＳ  Ｔｕｎｎｅｌｉｎｇ  Ｐｒｏｔｏｃｏｌ  ｆｏｒ  Ｕｓｅｒ  Ｐｌａｎｅ）、ＩＣＭＰ（Ｉｎｔｅｒｎｅｔ  Ｃｏｎｔｒｏｌ  Ｍｅｓｓａｇｅ  Ｐｒｏｔｏｃｏｌ）、ＵＤＰ（Ｕｓｅｒ  Ｄａｔａｇｒａｍ  Ｐｒｏｔｏｃｏｌ）、ＳＣＴＰ（Ｓｔｒｅａｍ  Ｃｏｎｔｒｏｌ  Ｔｒａｎｓｍｉｓｓｉｏｎ  Ｐｒｏｔｏｃｏｌ）、ＴＣＰ（Ｔｒａｎｓｍｉｓｓｉｏｎ  Ｃｏｎｔｒｏｌ  Ｐｒｏｔｏｃｏｌ）などの信号終端処理が含まれる。
【００４４】
ＣＮＴ３１１は、ＩＰ（Ｉｎｔｅｒｎｅｔ  Ｐｒｏｔｏｃｏｌ）のプロトコル処理、呼制御処理、保守運用に関するＯＡＭ（Ｏｐｅｒａｔｉｏｎ  Ａｄｍｉｎｉｓｔｒａｔｉｏｎ  Ｍａｉｎｔｅｎａｎｃｅ）処理、Ｓ１／Ｘ２回線終端処理、ＮＡＴ（Ｎｅｔｗｏｒｋ  Ａｄｄｒｅｓｓ  Ｔｒａｎｓｌａｔｉｏｎ）処理、帯域制御処理、装置障害監視処理などを行う制御部である。また、ＣＮＴ３１１は、一点鎖線に示すように、ＲＦ処理部３０７、Ｌ１／Ｌ２処理部３０９、トランスポート処理部３１０などの装置内制御を行う。
【００４５】
ＳＯＡＰ３０２、ＲＲＣ３０３、Ｓ１ＡＰ３０４、Ｘ２ＡＰ３０５およびＣＮＴ３１１は、たとえば図２に示したプロセッサ２０１および記憶装置２０２により実現することができる。ＲＯＭ３０１およびＭＥＭ３０６は、たとえば図２に示した記憶装置２０２により実現することができる。Ｌ１／Ｌ２処理部３０９は、たとえば図２に示したＢＢ処理回路２０３により実現することができる。ＲＦ処理部３０７は、たとえば図２に示したＲＦ信号処理回路２０４により実現することができる。トランスポート処理部３１０は、たとえば図２に示したＮＩＦ回路２０６により実現することができる。
【００４６】
（ＣＮＴ）
図４は、ＣＮＴの一例を示す図である。図３に示したＣＮＴ３１１は、たとえば、図４に示すように、ＡＰＬ４１０と、ＰＦ４２０と、ＯＳ４３０と、を備える。ＡＰＬ４１０は、呼制御処理、ＯＡＭ処理、無線基地局装置の設定や運用を行うアプリケーション処理部である。ＡＰＬ４１０は、ＯＡＭ４１１（保守運用）および呼処理４１２に関する処理や、無線基地局装置２００の設定や運用に関する処理を行う。
【００４７】
ＯＡＭ４１１には、たとえば、再開制御、装置制御、ＳＷ（スイッチ）更新、運用管理、セル管理、保守ＩＦ（インタフェース）制御などが含まれる。呼処理４１２には、たとえば、呼制御、規制制御、リソース管理、共通ＣＨ（チャネル）制御、局間制御などが含まれる。
【００４８】
ＰＦ４２０（ＰｌａｔＦｏｒｍ）は、無線基地局装置２００におけるプラットフォーム層の処理を行う。ＯＳ４３０（Ｏｐｅｒａｔｉｎｇ  Ｓｙｓｔｅｍ：オペレーティングシステム）は、無線基地局装置２００におけるＯＳ層の処理を行う。
【００４９】
（ＡＰＬの呼制御に関する構成）
図５Ａは、ＡＰＬの呼制御に関する構成の一例を示す図である。図５Ｂは、図５Ａに示したＡＰＬの呼制御に関する構成における信号の流れの一例を示す図である。図５Ａ，図５Ｂに示すように、ＡＰＬ４１０は、呼制御に関する構成として、無線通信部５０１と、ネットワーク通信部５０２と、測定指示制御部５０３と、測定情報監視部５０４と、セル切替制御部５０５と、を備える。また、ＡＰＬ４１０は、呼制御に関する構成として、移動速度監視部５０６と、移動速度管理テーブル記憶部５０７と、通信速度監視部５０８と、通信速度管理テーブル記憶部５０９と、を備える。
【００５０】
無線通信部５０１は、Ｌ１／Ｌ２処理部３０９を介して、移動機１０１〜１０４のうちの自局に接続した移動機との制御信号の送受信およびユーザデータの送受信を行う。ネットワーク通信部５０２は、トランスポート処理部３１０を介して、携帯電話網との間で制御信号の送受信を行う。
【００５１】
測定指示制御部５０３は、移動機１０１〜１０４のうちの自局に接続した移動機に対して、セル切替のトリガを検出するため、およびセル切替先を選択するために、無線通信部５０１を介して近隣セル情報の測定指示を行う。この場合に、測定指示制御部５０３は、多くの近隣セルを検出できるよう、移動機に対し、最低レベルの閾値での近隣セル情報の測定指示を行うことによりＥｖｅｎｔ  Ａ４（Ｎｅｉｇｈｂｏｕｒ  ｂｅｃｏｍｅｓ  ｂｅｔｔｅｒ  ｔｈａｎ  ｔｈｒｅｓｈｏｌｄ）による定期測定を実施する。
【００５２】
また、測定指示制御部５０３は、自局がセル切替先である場合に、セル切替元の無線基地局から通知されたバタツキ回避用のハンドオーバ閾値での近隣セル情報の測定を指示する測定指示を行う。これにより、セル切替元のセルとセル切替先との間の切戻りによるバタツキを回避することができる。
【００５３】
測定情報監視部５０４は、無線通信部５０１を介して、自局に接続した移動機から報告される測定情報の監視を行う。そして、測定情報監視部５０４は、移動機から報告されるセル切替用の近隣セル情報の測定報告をトリガに、報告された近隣セル情報からセル切替先の選択と、バタツキ回避用のハンドオーバ閾値の算出と、を行う。また、測定情報監視部５０４は、セル切替制御部５０５に対してセル切替判定要求を行う。
【００５４】
たとえば、測定情報監視部５０４は、自セルがマクロセル１１１（自局が第１無線基地局１１０である場合）である場合は、報告された近隣セル情報に小セルが含まれる場合に、近隣セル情報のリスト中の最上位の小セルをセル切替先として選択する。
【００５５】
また、測定情報監視部５０４は、自セルが小セル１２１（自局が第２無線基地局１２０である場合）である場合は、報告された近隣セル情報にマクロセルが含まれる場合に、近隣セル情報のリスト中の最上位のマクロセルをセル切替先として選択する。
【００５６】
また、測定情報監視部５０４は、バタツキ回避用のハンドオーバ閾値を、移動機から報告された自セルのＲＳＲＰ（Ｒｅｆｅｒｅｎｃｅ  Ｓｉｇｎａｌ  Ｒｅｃｅｉｖｅｄ  Ｐｏｗｅｒ：基準信号受信電力）と、選択したセル切替先のＲＳＲＰと、に基づいて算出することができる。
【００５７】
セル切替制御部５０５は、移動速度情報と通信速度情報をベースにセル切替の要否を判定する。そして、セル切替制御部５０５は、セル切替を要すると判断した場合は、測定情報監視部５０４で選択されたセル切替先を対象として、測定情報監視部５０４で算出されたバタツキ回避用のハンドオーバ閾値をセル切替指示用のメッセージに設定する。そして、セル切替制御部５０５は、無線通信部５０１とネットワーク通信部５０２に対してセル切替指示を行う。セル切替の要否の判断については後述する。
【００５８】
セル切替制御部５０５は、セル切替を要すると判断した場合は、測定情報監視部５０４から通知されたバタツキ回避用のハンドオーバ閾値をセル切替先に通知するメッセージに設定する。そして、セル切替制御部５０５は、測定情報監視部５０４で選択したセル切替先を対象として、無線通信部５０１とネットワーク通信部５０２に対してセル切替指示を行う。
【００５９】
移動速度監視部５０６は、移動機（ユーザ）の移動速度を特定可能な移動速度情報を、Ｌ１／Ｌ２処理部３０９を介して移動機から受信する。そして、移動速度監視部５０６は、受信した移動速度情報、または移動速度情報から特定した移動速度を移動速度管理テーブル記憶部５０７に書き込む。
【００６０】
移動機（たとえば移動機１０３）は、たとえば、ＧＰＳ（Ｇｌｏｂａｌ  Ｐｏｓｉｔｉｏｎｉｎｇ  Ｓｙｓｔｅｍ：全地球測位システム）や加速度センサなどを用いて自機の移動速度を測定する。そして、移動機は、測定した移動速度を示す移動速度情報を第１無線基地局１１０へ送信する。または、移動機は、ＧＰＳなどを用いて自機の位置を測定し、測定した位置を示す移動速度情報を第１無線基地局１１０へ送信してもよい。この場合は、移動速度監視部５０６は、移動速度情報が示す移動機の位置の変化に基づいて移動機の移動速度を特定することができる。
【００６１】
通信速度監視部５０８は、移動機（ユーザ）の通信速度を示す通信速度情報を、たとえばＬ１／Ｌ２処理部３０９（ＢＢ処理回路２０３）へ移動機の通信速度を問い合わせることにより取得する。そして、通信速度監視部５０８は、取得した通信速度情報を通信速度管理テーブル記憶部５０９に書き込む。
【００６２】
Ｌ１／Ｌ２処理部３０９を実現するＢＢ処理回路２０３は、移動機の通信を監視することにより移動機の通信速度を測定し、通信速度監視部５０８からの問い合わせに対して移動機の通信速度の測定結果を通信速度監視部５０８へ通知する。
【００６３】
図１Ｂ，図１Ｃに示した取得部１３１は、たとえば移動速度監視部５０６および通信速度監視部５０８により実現することができる。図１Ｂ，図１Ｃに示した制御部１３２は、たとえば無線通信部５０１、ネットワーク通信部５０２、測定指示制御部５０３、測定情報監視部５０４およびセル切替制御部５０５により実現することができる。
【００６４】
（マクロセルから小セルへの切替）
図６Ａおよび図６Ｂは、マクロセルから小セルへの切替の一例を示すシーケンス図である。図６Ａ，図６Ｂに示す例では、マクロセル１１１を形成する第１無線基地局１１０（セル切替元）に接続している移動機１０３について、小セル１２１を形成する第２無線基地局１２０（セル切替先）へのセル切替を行う場合について説明する。
【００６５】
＜セル切替用測定指示シーケンス＞
まず、移動機１０３と第１無線基地局１１０との間で呼接続が完了すると（ステップＳ６０１）、セル切替のトリガを検出してセル切替先を選択するため、「セル切替用測定指示シーケンス」が実行される。
【００６６】
すなわち、第１無線基地局１１０が、移動機１０３に対して、セル切替判断用の近隣セル情報の測定指示を行う（ステップＳ６０２）。セル切替判断用の測定指示は、たとえばＥｖｅｎｔ  Ａ４による測定の指示である。また、セル切替判断用の測定指示は、たとえばＲＲＣの「ＲＲＣ  ＣＯＮＮＥＣＴＩＯＮ  ＲＥＣＯＮＦＩＧＵＲＡＴＩＯＮ」メッセージにより行われる。また、セル切替判断用の測定指示は、多くの近隣セルを検出できるように、たとえば最低レベルの閾値での近隣セル情報の測定を指示する測定指示である。
【００６７】
ステップＳ６０２により、移動機１０３は、ステップＳ６０２において通知された最低レベルの閾値でのセル切替用の近隣セル情報の測定を開始する。すなわち、移動機１０３は、近隣の各セルのＲＳＲＰを測定し、ＲＳＲＰが最低レベルの閾値を超えるセルに関する情報をセル切替用の近隣セル情報として第１無線基地局１１０へ報告する。
【００６８】
＜移動速度情報・通信速度情報取得シーケンス＞
また、移動機１０３と第１無線基地局１１０との間において、「移動速度情報・通信速度情報取得シーケンス」が実行される。すなわち、第１無線基地局１１０は、移動機１０３の移動速度を特定可能な移動速度情報を移動機１０３から周期的に取得する（ステップＳ６０３）。ステップＳ６０３は、たとえばＲＲＣの「ＭＥＡＳＵＲＥＭＥＮＴ  ＲＥＰＯＲＴ」を用いて行うことができる。
【００６９】
また、第１無線基地局１１０は、移動機１０３の通信速度を示す通信速度情報を周期的に取得する（ステップＳ６０４）。たとえば、第１無線基地局１１０は、第１無線基地局１１０と移動機１０３との間の通信における時間あたりのトラヒック量を測定することにより通信速度情報を取得することができる。
【００７０】
第１無線基地局１１０は、ステップＳ６０３，Ｓ６０４により取得した情報をテーブルに書き込む（ステップＳ６０５）。たとえば、第１無線基地局１１０は、ステップＳ６０３により取得した移動速度情報を第１無線基地局１１０の移動速度管理テーブル記憶部５０７の移動速度管理テーブルに書き込む。また、第１無線基地局１１０は、ステップＳ６０４により取得した通信速度情報を第１無線基地局１１０の通信速度管理テーブル記憶部５０９の通信速度管理テーブルに書き込む。
【００７１】
＜セル切替判定・セル切替実行シーケンス＞
つぎに、「セル切替判定・セル切替実行シーケンス」が実行される。すなわち、移動機１０３が、第１無線基地局１１０に対してセル切替用の近隣セル情報を周期的に報告する（ステップＳ６０６）。
【００７２】
これに対して、第１無線基地局１１０は、セル切替後のバタツキ回避用のハンドオーバ閾値を算出するとともに、移動機１０３の小セル１２１へのセル切替の要否を判断する（ステップＳ６０７）。バタツキ回避用のハンドオーバ閾値は、たとえば上述した最低レベルの閾値より高い閾値である。第１無線基地局１１０は、たとえば、ステップＳ６０７において、以下の（１）〜（３）の条件をすべて満たす場合に、移動機１０３の小セル１２１へのセル切替を要すると判断する。
【００７３】
（１）移動機１０３の近隣セルに小セル１２１が存在する。
（２）移動機１０３の移動速度が閾値未満である。
（３）移動機１０３の通信速度が閾値を超過している。
【００７４】
（１）は、ステップＳ６０６によって報告されたセル切替用の近隣セル情報に基づいて判断することができる。（２）は、ステップＳ６０５によって移動速度管理テーブル記憶部５０７に格納された移動速度情報に基づいて判断することができる。（３）は、ステップＳ６０５によって通信速度管理テーブル記憶部５０９に記憶された通信速度情報に基づいて判断することができる。図６Ａ，図６Ｂに示す例では、第１無線基地局１１０は、ステップＳ６０７において、移動機１０３の小セル１２１へのセル切替を要すると判断したとする。
【００７５】
この場合は、第１無線基地局１１０は、小セル１２１（第２無線基地局１２０）に対するセル切替要求を実施する（ステップＳ６０８）。ステップＳ６０８は、たとえばＳ１ＡＰの「ＨＡＮＤＯＶＥＲ  ＲＥＱＵＩＲＥＤ」メッセージや「ＨＡＮＤＯＶＥＲ  ＲＥＱＵＥＳＴ」メッセージを用いて行われる。または、ステップＳ６０８は、Ｘ２ＡＰの「ＨＡＮＤＯＶＥＲ  ＲＥＱＵＥＳＴ」メッセージを用いて行われる。また、ステップＳ６０８において、第１無線基地局１１０は、ステップＳ６０７において算出したバタツキ回避用のハンドオーバ閾値を第２無線基地局１２０へ通知する。
【００７６】
つぎに、第２無線基地局１２０が、第１無線基地局１１０を介して、移動機１０３に対して、小セル１２１へのセル切替指示と、ハンドオーバ用の近隣セル情報の測定指示と、を行う（ステップＳ６０９）。また、第２無線基地局１２０は、ステップＳ６０９において、移動機１０３に対して、ステップＳ６０８によって通知されたバタツキ回避用のハンドオーバ閾値でのハンドオーバ用の近隣セル情報の測定指示を行う。
【００７７】
つぎに、移動機１０３が、接続先をマクロセル１１１（第１無線基地局１１０）から小セル１２１（第２無線基地局１２０）へ切り替える（ステップＳ６１０）。また、移動機１０３は、ステップＳ６０９において通知されたバタツキ回避用のハンドオーバ閾値でのハンドオーバ用の近隣セル情報の測定を開始する。
【００７８】
すなわち、移動機１０３は、近隣の各セルのＲＳＲＰを測定し、ＲＳＲＰがバタツキ回避用のハンドオーバ閾値を超えるセルに関する情報をハンドオーバ用の近隣セル情報として第２無線基地局１２０へ報告する。これに対して、第２無線基地局１２０は、移動機１０３から報告されたハンドオーバ用の近隣セル情報に基づいて移動機１０３のハンドオーバを行う。
【００７９】
これにより、セル切替の直後に移動機１０３が第１無線基地局１１０に切り戻るバタツキを回避することができる。「セル切替判定・セル切替実行シーケンス」の後においては、第２無線基地局１２０は、移動機１０３に関してセル切替元となる。
【００８０】
＜セル切替用測定指示シーケンス＞
つぎに、移動機１０３と第２無線基地局１２０との間で「セル切替用測定指示シーケンス」が実行される。すなわち、第２無線基地局１２０が、移動機１０３に対して、セル切替判断用の近隣セル情報の測定指示を行う（ステップＳ６１２）。ステップＳ６１２における測定指示は、ステップＳ６０２における第１無線基地局１１０による測定指示と同様である。
【００８１】
ステップＳ６１２により、移動機１０３は、ステップＳ６１２において通知された最低レベルの閾値でのセル切替用の近隣セル情報の測定を開始する。すなわち、移動機１０３は、近隣の各セルのＲＳＲＰを測定し、ＲＳＲＰが最低レベルの閾値を超えるセルに関する情報をセル切替用の近隣セル情報として第２無線基地局１２０へ報告する。
【００８２】
また、移動機１０３は、セル切替用の近隣セル情報の測定とともに、ステップＳ６０９において通知されたバタツキ回避用のハンドオーバ閾値でのハンドオーバ用の近隣セル情報の測定も行う。
【００８３】
＜移動速度情報・通信速度情報取得シーケンス＞
また、移動機１０３と第２無線基地局１２０との間において、「移動速度情報・通信速度情報取得シーケンス」が実行される。すなわち、第２無線基地局１２０は、移動機１０３の移動速度を特定可能な移動速度情報を移動機１０３から周期的に取得する（ステップＳ６１３）。ステップＳ６１３は、たとえばＲＲＣの「ＭＥＡＳＵＲＥＭＥＮＴ  ＲＥＰＯＲＴ」を用いて行うことができる。また、第２無線基地局１２０は、移動機１０３の通信速度を示す通信速度情報を周期的に取得する（ステップＳ６１４）。
【００８４】
第２無線基地局１２０は、ステップＳ６１３，Ｓ６１４により取得した情報をテーブルに書き込む（ステップＳ６１５）。たとえば、第２無線基地局１２０は、ステップＳ６１３により取得した移動速度情報を第２無線基地局１２０の移動速度管理テーブル記憶部５０７の移動速度管理テーブルに書き込む。また、第２無線基地局１２０は、ステップＳ６１４により取得した通信速度情報を第２無線基地局１２０の通信速度管理テーブル記憶部５０９の通信速度管理テーブルに書き込む。
【００８５】
（セル切替元の無線基地局装置による処理）
図７は、セル切替元の無線基地局装置による処理（その１）の一例を示すフローチャートである。第１無線基地局１１０は、移動機１０３が自局に接続している場合に、移動機１０３について図７に示す各ステップを実行する。たとえば、第１無線基地局１１０は、図７に示す各ステップを一定時間（一例としては１分）ごとに実行する。
【００８６】
まず、第１無線基地局１１０は、移動機１０３に対してセル切替用の近隣セル情報の測定指示を行う（ステップＳ７０１）。ステップＳ７０１は、たとえば測定指示制御部５０３が無線通信部５０１を介して移動機１０３へ制御信号を送信することにより行われる。
【００８７】
つぎに、第１無線基地局１１０は、移動機１０３に対して移動速度情報を問い合わせる（ステップＳ７０２）。ステップＳ７０２は、たとえば移動速度監視部５０６がＬ１／Ｌ２処理部３０９を介して移動機１０３へ制御信号を送信することにより行われる。
【００８８】
つぎに、第１無線基地局１１０は、移動機１０３から移動速度情報を受信する（ステップＳ７０３）。ステップＳ７０３は、たとえば移動速度監視部５０６がＬ１／Ｌ２処理部３０９を介して移動機１０３から制御信号を受信することにより行われる。
【００８９】
つぎに、第１無線基地局１１０は、移動速度管理テーブル記憶部５０７の移動速度管理テーブルに、ステップＳ７０３によって受信した移動機１０３の移動速度情報を書き込む（ステップＳ７０４）。ステップＳ７０４は、たとえば移動速度監視部５０６により行われる。ステップＳ７０４において、移動速度監視部５０６は、移動速度管理テーブルに移動機１０３の移動速度情報がすでに記憶されている場合は、たとえば新たな移動速度情報を上書きで移動速度管理テーブルに書き込む。
【００９０】
つぎに、第１無線基地局１１０は、移動機１０３の通信速度を測定する（ステップＳ７０５）。ステップＳ７０５は、たとえば通信速度監視部５０８がＬ１／Ｌ２処理部３０９（ＢＢ処理回路２０３）へ移動機１０３の通信速度を問い合わせることにより行われる。
【００９１】
つぎに、第１無線基地局１１０は、通信速度管理テーブル記憶部５０９の通信速度管理テーブルに、ステップＳ７０５によって測定した通信速度を示す移動機１０３の通信速度情報を書き込み（ステップＳ７０６）、一連の処理を終了する。ステップＳ７０６は、たとえば通信速度監視部５０８により行われる。ステップＳ７０６において、通信速度監視部５０８は、通信速度管理テーブルに移動機１０３の通信速度情報がすでに記憶されている場合は、たとえば新たな通信速度情報を上書きで通信速度管理テーブルに書き込む。
【００９２】
図８は、セル切替元の無線基地局装置による処理（その２）の一例を示すフローチャートである。第１無線基地局１１０は、移動機１０３が自局に接続している場合に、移動機１０３について図８に示す各ステップを繰り返し実行する。たとえば、第１無線基地局１１０は、図７に示した各ステップとともに、図８に示す各ステップを繰り返し実行する。
【００９３】
まず、第１無線基地局１１０は、移動機１０３からセル切替用の近隣セル情報の報告があったか否かを判断し（ステップＳ８０１）、セル切替用の近隣セル情報の報告があるまで待つ（ステップＳ８０１：Ｎｏのループ）。ステップＳ８０１は、たとえば測定情報監視部５０４が無線通信部５０１を介して移動機１０３からの近隣セル情報の受信を監視することにより行われる。
【００９４】
ステップＳ８０１において、セル切替用の近隣セル情報の報告があると（ステップＳ８０１：Ｙｅｓ）、第１無線基地局１１０は、近隣セル情報のリスト中に小セルがあるか否かを判断する（ステップＳ８０２）。ステップＳ８０２は、たとえば測定情報監視部５０４により行われる。近隣セル情報のリスト中に小セルがない場合（ステップＳ８０２：Ｎｏ）は、第１無線基地局１１０は、セル切替を行わずにステップＳ８０１へ戻る。
【００９５】
ステップＳ８０２において、近隣セル情報のリスト中に小セルがある場合（ステップＳ８０２：Ｙｅｓ）は、第１無線基地局１１０は、近隣セル情報のリスト中の最上位の小セル（たとえば小セル１２１）をセル切替先に選定する（ステップＳ８０３）。リスト中の最上位の小セルは、たとえば、リスト中で移動機１０３との間の通信品質（たとえばＲＳＲＰ）が最も高い小セルである。ステップＳ８０３は、たとえば測定情報監視部５０４により行われる。
【００９６】
つぎに、第１無線基地局１１０は、近隣セル情報によって移動機１０３から報告された自セルのＲＳＲＰと、ステップＳ８０３によりセル切替先に選定した小セルのＲＳＲＰと、からバタツキ回避用のハンドオーバ閾値を算出する（ステップＳ８０４）。ステップＳ８０４において用いる各ＲＳＲＰは、移動機１０３から受信した近接セル情報から取得することができる。ステップＳ８０４は、たとえば測定情報監視部５０４により行われる。
【００９７】
つぎに、第１無線基地局１１０は、移動速度管理テーブル記憶部５０７に記憶された移動速度管理テーブルから移動機１０３の移動速度情報を読み出す（ステップＳ８０５）。また、第１無線基地局１１０は、通信速度管理テーブル記憶部５０９に記憶された通信速度管理テーブルから移動機１０３の通信速度情報を読み出す（ステップＳ８０６）。ステップＳ８０５，Ｓ８０６は、たとえばセル切替制御部５０５により行われる。
【００９８】
つぎに、第１無線基地局１１０は、ステップＳ８０５により読み出した移動速度情報が示す移動速度が閾値未満か否かを判断する（ステップＳ８０７）。ステップＳ８０７における閾値は、一例としては、平均歩行速度を想定した６［ｋｍ／ｈ］とすることができる。ステップＳ８０７は、たとえばセル切替制御部５０５により行われる。
【００９９】
ステップＳ８０７において、移動速度が閾値以上である場合（ステップＳ８０７：Ｎｏ）は、第１無線基地局１１０は、移動機１０３のセル切替を行わずに、一連の処理を終了する（セル切替未実施）。この場合は、移動機１０３は、マクロセル１１１による通信を継続する。
【０１００】
ステップＳ８０７において、移動速度が閾値未満である場合（ステップＳ８０７：Ｙｅｓ）は、第１無線基地局１１０は、ステップＳ８０６により読み出した通信速度情報が示す通信速度が閾値を超過しているか否かを判断する（ステップＳ８０８）。ステップＳ８０８における閾値は、一例としては５［Ｍｂｐｓ］とすることができる。ステップＳ８０８は、たとえばセル切替制御部５０５により行われる。
【０１０１】
ステップＳ８０８において、通信速度が閾値を超過していない場合（ステップＳ８０８：Ｎｏ）は、第１無線基地局１１０は、移動機１０３のセル切替を行わずに、一連の処理を終了する（セル切替未実施）。この場合は、移動機１０３は、マクロセル１１１による通信を継続する。
【０１０２】
ステップＳ８０８において、通信速度が閾値を超過している場合（ステップＳ８０８：Ｙｅｓ）は、第１無線基地局１１０は、セル切替指示用のメッセージを編集する（ステップＳ８０９）。セル切替指示用のメッセージには、たとえば「ＨＡＮＤＯＶＥＲ  ＲＥＱＵＥＳＴ」メッセージを用いることができる。「ＨＡＮＤＯＶＥＲ  ＲＥＱＵＥＳＴ」メッセージは、たとえばＳ１ＡＰやＸ２ＡＰの「ＨＡＮＤＯＶＥＲ  ＲＥＱＵＥＳＴ」メッセージである。ステップＳ８０９は、たとえばセル切替制御部５０５により行われる。
【０１０３】
つぎに、第１無線基地局１１０は、ステップＳ８０３によってセル切替先に選定した小セルへの移動機１０３のセル切替を実施し（ステップＳ８１０）、一連の処理を終了する（セル切替実施）。ステップＳ８１０は、ステップＳ８０９によって編集したセル切替指示用のメッセージを第２無線基地局１２０へ送信することにより行われる。また、ステップＳ８０９は、たとえばセル切替制御部５０５がネットワーク通信部５０２を介して第２無線基地局１２０へ制御信号を送信することにより行われる。
【０１０４】
なお、バタツキ回避用のハンドオーバ閾値は、たとえばステップＳ８０８において、通信速度が閾値を超過していると判断された場合、すなわち移動機１０３のセル切替を行うと判断した場合にのみ算出するようにしてもよい。また、ステップＳ８０７，Ｓ８０８の順序は入れ替えてもよい。
【０１０５】
（セル切替先の無線基地局装置によるハンドオーバ処理）
図９は、セル切替先の無線基地局装置によるハンドオーバ処理の一例を示すフローチャートである。セル切替先の第２無線基地局１２０は、たとえば図９に示す各ステップを繰り返し実行する。
【０１０６】
まず、第２無線基地局１２０は、第１無線基地局１１０からの「ＨＡＮＤＯＶＥＲ  ＲＥＱＵＥＳＴ」メッセージを受信したか否かを判断し（ステップＳ９０１）、受信するまで待つ（ステップＳ９０１：Ｎｏのループ）。ステップＳ９０１は、たとえば測定指示制御部５０３により行われる。
【０１０７】
ステップＳ９０１において、「ＨＡＮＤＯＶＥＲ  ＲＥＱＵＥＳＴ」メッセージを受信すると（ステップＳ９０１：Ｙｅｓ）、第２無線基地局１２０は、ステップＳ９０２へ移行する。すなわち、第２無線基地局１２０は、受信した「ＨＡＮＤＯＶＥＲ  ＲＥＱＵＥＳＴ」メッセージによって第１無線基地局１１０から通知されたＣａｕｓｅの判定を行う。たとえば、第２無線基地局１２０は、「ＨＡＮＤＯＶＥＲ  ＲＥＱＵＥＳＴ」メッセージの「Ｒａｄｉｏ  Ｎｅｔｗｏｒｋ  Ｌａｙｅｒ  Ｃａｕｓｅ」が“Ｒｅｄｕｃｅ  Ｌｏａｄ  ｉｎ  Ｓｅｒｖｉｎｇ  Ｃｅｌｌ”であるか否かを判断する（ステップＳ９０２）。ステップＳ９０２は、たとえば測定指示制御部５０３により行われる。
【０１０８】
ステップＳ９０２において、“Ｒｅｄｕｃｅ  Ｌｏａｄ  ｉｎ  Ｓｅｒｖｉｎｇ  Ｃｅｌｌ”である場合（ステップＳ９０２：Ｙｅｓ）は、「ＨＡＮＤＯＶＥＲ  ＲＥＱＵＥＳＴ」メッセージにバタツキ回避用のハンドオーバ閾値が格納されていると判断できる。すなわち、「ＨＡＮＤＯＶＥＲ  ＲＥＱＵＥＳＴ」メッセージが、通常のハンドオーバではなく本実施の形態におけるセル切替を指示していると判断できる。
【０１０９】
この場合に、第２無線基地局１２０は、たとえばＲＲＣコンテナ内に格納されているバタツキ回避用のハンドオーバ閾値を取得する。そして、第２無線基地局１２０は、セル切替元の第１無線基地局１１０から通知されたバタツキ回避用のハンドオーバ閾値でのハンドオーバ用の近隣セル情報の測定を移動機１０３に指示し（ステップＳ９０３）、ステップＳ９０５へ移行する。ステップＳ９０３は、たとえば測定指示制御部５０３が無線通信部５０１を介して移動機１０３へ制御信号を送信することにより行われる。
【０１１０】
ステップＳ９０２において、“Ｒｅｄｕｃｅ  Ｌｏａｄ  ｉｎ  Ｓｅｒｖｉｎｇ  Ｃｅｌｌ”でない場合（ステップＳ９０２：Ｎｏ）は、「ＨＡＮＤＯＶＥＲ  ＲＥＱＵＥＳＴ」メッセージにバタツキ回避用のハンドオーバ閾値が格納されていないと判断できる。すなわち、「ＨＡＮＤＯＶＥＲ  ＲＥＱＵＥＳＴ」メッセージが、本実施の形態におけるセル切替ではなく通常のハンドオーバを指示していると判断できる。この場合は、第２無線基地局１２０は、第２無線基地局１２０において予め定義されているハンドオーバ閾値でのハンドオーバ用の近隣セル情報の測定を移動機１０３に指示する（ステップＳ９０４）。ステップＳ９０４は、たとえば測定指示制御部５０３が無線通信部５０１を介して移動機１０３へ制御信号を送信することにより行われる。
【０１１１】
つぎに、第２無線基地局１２０は、移動機１０３から、ハンドオーバ用の近隣セル情報を受信する（ステップＳ９０５）。ステップＳ９０５は、たとえば測定指示制御部５０３が無線通信部５０１を介して移動機１０３から制御信号を受信することにより行われる。つぎに、第２無線基地局１２０は、ステップＳ９０５によって受信した近隣セル情報に基づいて、移動機１０３のハンドオーバを要する場合は移動機１０３のハンドオーバを実施し（ステップＳ９０６）、一連の処理を終了する。
【０１１２】
ステップＳ９０６において、たとえば、第２無線基地局１２０は、ステップＳ９０５によって受信した近隣セル情報が示す各近隣セルのＲＳＲＰ（通信品質）のうちの最高のＲＳＲＰと自セルのＲＳＲＰとの差分を算出する。そして、第２無線基地局１２０は、算出した差分（該最高のＲＳＲＰ−自セルのＲＳＲＰ）が閾値を超えた場合に、該最高のＲＳＲＰに対応する近隣セルへ移動機１０３をハンドオーバさせる。閾値は、たとえば後述の「ａ３−Ｏｆｆｓｅｔ」や「ｈｙｓｔｅｒｅｓｉｓ」である。
【０１１３】
（セル切替用の近隣セル情報の測定指示に用いるメッセージ）
図１０は、セル切替用の近隣セル情報の測定指示に用いるメッセージの一例を示す図である。たとえば図７に示したステップＳ７０１において、第１無線基地局１１０は、たとえば図１０に示すメッセージ１０００を移動機１０３へ送信することによってセル切替用の近隣セル情報の測定指示を行うことができる。
【０１１４】
メッセージ１０００は、３ＧＰＰにおいて規定されている「ＲＲＣ  ＣＯＮＮＥＣＴＩＯＮ  ＲＥＣＯＮＦＩＧＵＲＡＴＩＯＮ」メッセージの「Ｍｅａｓｕｒｅｍｅｎｔ  Ｃｏｎｆｉｇｕｒａｔｉｏｎ」の「Ｒｅｐｏｒｔ  Ｃｏｎｆｉｇ  ＥＵＴＲＡ  ｉｎｆｏｒｍａｔｉｏｎ  ｅｌｅｍｅｎｔ」である。
【０１１５】
メッセージ１０００の「ｅｖｅｎｔＡ４」は、測定イベント（Ｎｅｉｇｈｂｏｕｒ  ｂｅｃｏｍｅｓ  ｂｅｔｔｅｒ  ｔｈａｎ  ｔｈｒｅｓｈｏｌｄ）を示す。メッセージ１０００の「ｔｈｒｅｓｈｏｌｄ−ＲＳＲＰ」は、測定閾値である。たとえば、第１無線基地局１１０は、多くの近隣セルを検出できるように、「ｔｈｒｅｓｈｏｌｄ−ＲＳＲＰ」に最低レベルの閾値を設定する。
【０１１６】
メッセージ１０００の「ｒｅｐｏｒｔＡｍｏｕｎｔ」は、測定回数を示す。たとえば、第１無線基地局１１０は、定期的に報告が行われるように、「ｒｅｐｏｒｔＡｍｏｕｎｔ」に“ｉｎｆｉｎｉｔｙ”を設定する。
【０１１７】
（近隣セル情報の報告に用いるメッセージ）
図１１は、近隣セル情報の報告に用いるメッセージの一例を示す図である。移動機１０３は、たとえば図１１に示すメッセージ１１００を第１無線基地局１１０へ送信することによって、測定した近隣セル情報を第１無線基地局１１０へ報告することができる。なお、メッセージ１１００は、ハンドオーバ用およびセル切替用の各近隣セル情報の測定に用いることができる。
【０１１８】
メッセージ１１００は、３ＧＰＰにおいて規定されているＲＲＣの「ＭＥＡＳＵＲＥＭＥＮＴ  ＲＥＰＯＲＴ」メッセージの「ｍｅａｓＲｅｓｕｌｔｓ  ｉｎｆｏｒｍａｔｉｏｎ  ｅｌｅｍｅｎｔ」である。
【０１１９】
たとえば、移動機１０３は、メッセージ１１００の「ｍｅａｓＩｄ」に、セル切替用のｍｅａｓＩｄとして自セル（マクロセル１１１）のＰＣＩ（Ｐｈｙｓｉｃａｌ  Ｃｅｌｌ  Ｉｄｅｎｔｉｔｙ：物理セルＩＤ）を設定する。また、移動機１０３は、メッセージ１１００の「ｒｓｒｐＲｅｓｕｌｔ」（ＭＰ）に自セル（マクロセル１１１）のＲＳＲＰを設定する。
【０１２０】
また、移動機１０３は、メッセージ１１００の「ｐｈｙｓＣｅｌｌＩｄ」に自セルと異なる近隣セルのＰＣＩを設定する。また、移動機１０３は、メッセージ１１００の「ｒｓｒｐＲｅｓｕｌｔ」（ＯＰ）に、自セルと異なる近隣セルのＲＳＲＰを設定する。
【０１２１】
（近隣セル情報）
図１２は、近隣セル情報の一例を示す図である。移動機１０３は、たとえば図１１に示したメッセージ１１００を用いて、たとえば図１２に示す近隣セル情報１２００を第１無線基地局１１０へ報告する。近隣セル情報１２００は、自セル（たとえばマクロセル１１１）と、近隣セルＡ〜Ｃ，…Ｘのそれぞれについて、対応するセルのＲＳＲＰ［ｄＢｍ］およびＰＣＩを示すリストである。
【０１２２】
また、近隣セル情報１２００においては、各セルの項目が、ＲＳＲＰが高い順に並べられている。また、近隣セル情報１２００のＲＳＲＰは、ＲＳＲＰの実際の値と対応付けられたインデックスによって表現されている。たとえば、近隣セル情報１２００の自セルのＲＳＲＰには、−８０［ｄＢｍ］を示すインデックスである“６０”が格納されている。
【０１２３】
また、第１無線基地局１１０は、ＰＣＩが示すセルの種別（たとえばマクロセルおよび小セル）を示す情報をＰＣＩごとに記憶している。このため、第１無線基地局１１０は、近隣セル情報１２００が示す各セルがマクロセルおよび小セルのいずれであるかをＰＣＩから判断することができる。
【０１２４】
また、第１無線基地局１１０は、セル切替用の近隣セル情報として近隣セル情報１２００を受信した場合は、近隣セル情報１２００に基づいて移動機１０３のセル切替の要否を判断する。図１２に示した例においては、近隣セル情報１２００の中に小セルが含まれているため、第１無線基地局１１０は、移動機１０３のセル切替を行うか否かを移動機１０３の通信速度および移動速度に基づいて判断する。そして、第１無線基地局１１０は、移動機１０３のセル切替を行うと判断すると、近隣セル情報１２００の各近隣セルに含まれＲＳＲＰが最も高い小セルである近隣セルＢをセル切替先として選定する。
【０１２５】
この場合は、第１無線基地局１１０は、近隣セル情報１２００が示す自セルのＲＳＲＰ（６０）と、近隣セルＢのＲＳＲＰ（４５）と、の差分に基づいてバタツキ回避用のハンドオーバ閾値を算出する。たとえば、第１無線基地局１１０は、自セルのＲＳＲＰ値と近隣セルＢのＲＳＲＰ値の差が＋１５［ｄＢ］であるため、バタツキ回避用のハンドオーバ閾値として１５以上の閾値（「ａ３−Ｏｆｆｓｅｔ」または「ｈｙｓｔｅｒｅｓｉｓ」）を算出する。
【０１２６】
また、第１無線基地局１１０は、ハンドオーバ用の近隣セル情報として近隣セル情報１２００を受信した場合は、近隣セル情報１２００に基づいて移動機１０３のハンドオーバを実施する。たとえば、第１無線基地局１１０は、自セルのＲＳＲＰと近隣セルのＲＳＲＰとを比較し、自セルのＲＳＲＰより近隣セルのＲＳＲＰの方が所定値以上高い場合は移動機１０３を近隣セルへハンドオーバさせる。
【０１２７】
（移動速度管理テーブル）
図１３は、移動速度管理テーブルの一例を示す図である。移動速度管理テーブル記憶部５０７には、たとえば図１３に示す移動速度管理テーブル１３００が記憶される。移動速度管理テーブル１３００は、ユーザ（移動機）ごとに、ユーザ名および移動速度［ｋｍ／ｈ］を示す。移動速度監視部５０６は、移動機１０３から移動速度情報を受信すると、移動速度情報が示す移動速度によって、移動速度管理テーブル１３００における移動機１０３に対応する移動速度を更新する。
【０１２８】
（通信速度管理テーブル）
図１４は、通信速度管理テーブルの一例を示す図である。通信速度管理テーブル記憶部５０９には、たとえば図１４に示す通信速度管理テーブル１４００が記憶される。通信速度管理テーブル１４００は、ユーザ（移動機）ごとに、ユーザ名および通信速度［Ｍｂｐｓ］を示す。通信速度監視部５０８は、移動機１０３から通信速度情報を受信すると、通信速度情報が示す通信速度によって、通信速度管理テーブル１４００における移動機１０３に対応する通信速度を更新する。
【０１２９】
（ＨＡＮＤＯＶＥＲ  ＲＥＱＵＥＳＴで通知されるＣａｕｓｅ）
図１５は、ＨＡＮＤＯＶＥＲ  ＲＥＱＵＥＳＴで通知されるＣａｕｓｅの一例を示す図である。第１無線基地局１１０は、たとえば図８に示したステップＳ８０９，Ｓ８１０において、図１５に示すメッセージ１５００をセル切替指示用のメッセージとして用いる。
【０１３０】
メッセージ１５００は、３ＧＰＰにおいて規定されたＳ１ＡＰの「ＨＡＮＤＯＶＥＲ  ＲＥＱＵＥＳＴ」メッセージの「Ｃａｕｓｅ  ｉｎｆｏｒｍａｔｉｏｎ  ｅｌｅｍｅｎｔ」である。たとえば、第１無線基地局１１０は、メッセージ１５００をセル切替指示用のメッセージとして用いる場合は、「Ｒａｄｉｏ  Ｎｅｔｗｏｒｋ  Ｌａｙｅｒ  Ｃａｕｓｅ」に“Ｒｅｄｕｃｅ  Ｌｏａｄ  ｉｎ  Ｓｅｒｖｉｎｇ  Ｃｅｌｌ”を設定する。
【０１３１】
第２無線基地局１２０は、たとえば図９に示したステップＳ９０２において、「Ｒａｄｉｏ  Ｎｅｔｗｏｒｋ  Ｌａｙｅｒ  Ｃａｕｓｅ」を参照することで、受信したメッセージがセル切替指示用のメッセージか否かを判断することができる。
【０１３２】
ここではＳ１ＡＰの「ＨＡＮＤＯＶＥＲ  ＲＥＱＵＥＳＴ」メッセージを用いる場合について説明したが、Ｘ２ＡＰの「ＨＡＮＤＯＶＥＲ  ＲＥＱＵＥＳＴ」メッセージを用いる場合も同様である。また、一例として「Ｒａｄｉｏ  Ｎｅｔｗｏｒｋ  Ｌａｙｅｒ  Ｃａｕｓｅ」を用いる場合について説明したが、他のＣａｕｓｅを用いてもよい。
【０１３３】
（バタツキ回避用のハンドオーバ閾値の通知に用いるメッセージ）
図１６は、バタツキ回避用のハンドオーバ閾値の通知に用いるメッセージの一例を示す図である。第１無線基地局１１０は、たとえば図１６に示すメッセージ１６００を、バタツキ回避用のハンドオーバ閾値の通知に用いることができる。
【０１３４】
メッセージ１６００は、３ＧＰＰにおいて規定された、Ｓ１ＡＰの「ＨＡＮＤＯＶＥＲ  ＲＥＱＵＥＳＴ」メッセージの「Ｓｏｕｒｃｅ  ｅＮＢ  ｔｏ  Ｔａｒｇｅｔ  ｅＮＢ  Ｔｒａｎｓｐａｒｅｎｔ  Ｃｏｎｔａｉｎｅｒ  ｉｎｆｏｒｍａｔｉｏｎ  ＲＲＣ  Ｃｏｎｔａｉｎｅｒ」（ＲＲＣコンテナ）である。
【０１３５】
メッセージ１６００の「ＲｅｐｏｒｔＣｏｎｆｉｇＴｏＡｄｄＭｏｄＬｉｓｔ」は、最大で３２のリスト情報である。たとえば、「ＲｅｐｏｒｔＣｏｎｆｉｇＴｏＡｄｄＭｏｄＬｉｓｔ」の３２番目の情報（未使用エリア）をバタツキ回避用のハンドオーバ閾値の通知に使用することができる。
【０１３６】
メッセージ１６００の「ｅｖｅｎｔＡ３」は、測定イベント（Ｎｅｉｇｈｂｏｕｒ  ｂｅｃｏｍｅｓ  ｏｆｆｓｅｔ  ｂｅｔｔｅｒ  ｔｈａｎ  ｓｅｒｖｉｎｇ）を示す。
【０１３７】
メッセージ１６００の「ａ３−Ｏｆｆｓｅｔ」は、測定基準オフセット値を示す。近隣セル（Ｎｅｉｇｈｂｏｕｒ）の測定結果が「ａ３−Ｏｆｆｓｅｔ」の分だけ自セル（ｓｅｒｖｉｎｇ）より良ければ測定報告が開始される。また、近隣セル（Ｎｅｉｇｈｂｏｕｒ）の測定結果が「ａ３−Ｏｆｆｓｅｔ」の分だけ自セル（ｓｅｒｖｉｎｇ）より良くなければ測定報告が終了する。
【０１３８】
メッセージ１６００の「ｈｙｓｔｅｒｅｓｉｓ」は、バタツキ回避用のオフセット値を示す。「ｈｙｓｔｅｒｅｓｉｓ」を大きく（たとえば最大値に）すると、測定報告の開始／終了条件に適合しにくくなり、ハンドオーバによるバタツキが抑制される。
【０１３９】
第１無線基地局１１０は、セル切替指示用のメッセージを第２無線基地局１２０へ送信する場合に、たとえばメッセージ１６００の「ａ３−Ｏｆｆｓｅｔ」や「ｈｙｓｔｅｒｅｓｉｓ」に、算出したバタツキ回避用のハンドオーバ閾値を設定する。
【０１４０】
第２無線基地局１２０は、第１無線基地局１１０からセル切替指示用のメッセージを受信した場合に、メッセージ１６００の「ａ３−Ｏｆｆｓｅｔ」や「ｈｙｓｔｅｒｅｓｉｓ」からバタツキ回避用のハンドオーバ閾値を取得する。
【０１４１】
ここではＳ１ＡＰの「ＨＡＮＤＯＶＥＲ  ＲＥＱＵＥＳＴ」メッセージを用いる場合について説明したが、Ｘ２ＡＰの「ＨＡＮＤＯＶＥＲ  ＲＥＱＵＥＳＴ」メッセージを用いる場合も同様である。
【０１４２】
（移動機への測定指示に用いるメッセージ）
図１７は、移動機への測定指示に用いるメッセージの一例を示す図である。第１無線基地局１１０や第２無線基地局１２０は、たとえば図１７に示すメッセージ１７００を移動機１０３への近隣セル情報の測定指示に用いることができる。
【０１４３】
メッセージ１７００は、３ＧＰＰにおいて規定された、「ＲＲＣ  ＣＯＮＮＥＣＴＩＯＮ  ＲＥＣＯＮＦＩＧＵＲＡＴＩＯＮ」メッセージの「Ｍｅａｓｕｒｅｍｅｎｔ  Ｃｏｎｆｉｇｕｒａｔｉｏｎ」の「Ｒｅｐｏｒｔ  Ｃｏｎｆｉｇ  ＥＵＴＲＡ  ｉｎｆｏｒｍａｔｉｏｎ  ｅｌｅｍｅｎｔ」である。
【０１４４】
たとえば、図６Ｂに示したステップＳ６０９において、第２無線基地局１２０は、第１無線基地局１１０を介してメッセージ１７００を移動機１０３へ送信することにより、移動機１０３に対してハンドオーバ用の近隣セル情報の測定指示を行う。また、第２無線基地局１２０は、メッセージ１７００の任意の項目（たとえば「ａ３−Ｏｆｆｓｅｔ」や「ｈｙｓｔｅｒｅｓｉｓ」）に、セル切替元の第１無線基地局１１０から通知されたバタツキ回避用のハンドオーバ閾値を格納する。
【０１４５】
このように、実施の形態１によれば、通信速度が高く移動速度が低い移動機１０３をマクロセル１１１から小セル１２１へ切り替えることで、小セル１２１における無線リソースの利用効率の向上を図ることができる。
【０１４６】
たとえば、通信速度が高く移動速度が低い移動機１０３は、小セル１２１に長時間在圏するとともに小セル１２１による大容量通信を要する可能性が高い。このため、通信速度が高く移動速度が低い移動機１０３が小セル１２１に接続することで、小セル１２１における無線リソースの利用効率の向上を図ることができる。
【０１４７】
また、セル切替元の第１無線基地局１１０が、セル切替先の第２無線基地局１２０における移動機１０３のハンドオーバの閾値を、移動機１０３において測定されたマクロセル１１１および小セル１２１の各ＲＳＲＰの差分に基づいて算出した閾値に設定させる。これにより、移動機１０３がセル切替の直後にセル切替元へ切り戻ることを回避し、セル切替元セルとセル切替先との間でのバタツキを回避することが可能になる。
【０１４８】
（実施の形態２）
実施の形態２について、実施の形態１と異なる部分について説明する。実施の形態２においては、小セル１２１を形成する第２無線基地局１２０に接続している移動機１０３について、マクロセル１１１を形成する第１無線基地局１１０へのセル切替を行う場合について説明する。
【０１４９】
（小セルからマクロセルへの切替）
図１８Ａおよび図１８Ｂは、小セルからマクロセルへの切替の一例を示すシーケンス図である。図１８Ａ，図１８Ｂに示す例では、小セル１２１を形成する第２無線基地局１２０（セル切替元）に接続している移動機１０３について、マクロセル１１１を形成する第１無線基地局１１０（セル切替先）へのセル切替を行う場合について説明する。
【０１５０】
＜セル切替用測定指示シーケンス＞
まず、移動機１０３と第２無線基地局１２０との間で呼接続が完了すると（ステップＳ１８０１）、セル切替のトリガを検出してセル切替先を選択するため、「セル切替用測定指示シーケンス」が実行される。すなわち、第２無線基地局１２０が、移動機１０３に対して、セル切替判断用の近隣セル情報の測定指示を行う（ステップＳ１８０２）。ステップＳ１８０２における測定指示は、図６Ａに示したステップＳ６０２における第１無線基地局１１０による測定指示と同様である。
【０１５１】
ステップＳ１８０２により、移動機１０３は、ステップＳ１８０２において通知された最低レベルの閾値でのセル切替用の近隣セル情報の測定を開始する。すなわち、移動機１０３は、近隣の各セルのＲＳＲＰを測定し、ＲＳＲＰが最低レベルの閾値を超えるセルに関する情報をセル切替用の近隣セル情報として第２無線基地局１２０へ報告する。
【０１５２】
＜移動速度情報・通信速度情報取得シーケンス＞
また、移動機１０３と第２無線基地局１２０との間において、「移動速度情報・通信速度情報取得シーケンス」が実行される。すなわち、第２無線基地局１２０は、移動機１０３の移動速度を特定可能な移動速度情報を移動機１０３から周期的に取得する（ステップＳ１８０３）。ステップＳ１８０３は、たとえばＲＲＣの「ＭＥＡＳＵＲＥＭＥＮＴ  ＲＥＰＯＲＴ」を用いて行うことができる。また、第２無線基地局１２０は、移動機１０３の通信速度を示す通信速度情報を周期的に取得する（ステップＳ１８０４）。
【０１５３】
第２無線基地局１２０は、ステップＳ１８０３，Ｓ１８０４により取得した情報をテーブルに書き込む（ステップＳ１８０５）。たとえば、第２無線基地局１２０は、ステップＳ１８０３により取得した移動速度情報を第２無線基地局１２０の移動速度管理テーブル記憶部５０７の移動速度管理テーブルに書き込む。また、第２無線基地局１２０は、ステップＳ１８０４により取得した通信速度情報を第２無線基地局１２０の通信速度管理テーブル記憶部５０９の通信速度管理テーブルに書き込む。
【０１５４】
＜セル切替判定・セル切替実行シーケンス＞
つぎに、「セル切替判定・セル切替実行シーケンス」が実行される。すなわち、移動機１０３が、第２無線基地局１２０に対してセル切替用の近隣セル情報を周期的に報告する（ステップＳ１８０６）。
【０１５５】
これに対して、第２無線基地局１２０は、セル切替後のバタツキ回避用のハンドオーバ閾値を算出するとともに、移動機１０３のマクロセル１１１へのセル切替の要否を判断する（ステップＳ１８０７）。バタツキ回避用のハンドオーバ閾値は、たとえば上述した最低レベルの閾値より高い閾値である。
【０１５６】
ステップＳ１８０７による判断は、図６Ｂに示したステップＳ６０７における第１無線基地局１１０による判断と同様である。図１８Ａ，図１８Ｂに示す例では、第２無線基地局１２０は、ステップＳ１８０７において、移動機１０３のマクロセル１１１へのセル切替を要すると判断したとする。
【０１５７】
この場合は、第２無線基地局１２０は、マクロセル１１１（第１無線基地局１１０）に対するセル切替要求を実施する（ステップＳ１８０８）。ステップＳ１８０８によるセル切替要求は、図６Ｂに示したステップＳ６０８における第１無線基地局１１０によるセル切替要求と同様である。
【０１５８】
つぎに、第１無線基地局１１０が、第２無線基地局１２０を介して、移動機１０３に対して、マクロセル１１１へのセル切替指示と、ハンドオーバ用の近隣セル情報の測定指示と、を行う（ステップＳ１８０９）。また、第１無線基地局１１０は、ステップＳ１８０９において、移動機１０３に対して、ステップＳ１８０８によって通知されたバタツキ回避用のハンドオーバ閾値でのハンドオーバ用の近隣セル情報の測定指示を行う。
【０１５９】
つぎに、移動機１０３が、接続先を小セル１２１（第２無線基地局１２０）からマクロセル１１１（第１無線基地局１１０）へ切り替える（ステップＳ１８１０）。また、移動機１０３は、ステップＳ１８０９において通知されたバタツキ回避用のハンドオーバ閾値でのハンドオーバ用の近隣セル情報の測定を開始する。
【０１６０】
すなわち、移動機１０３は、近隣の各セルのＲＳＲＰを測定し、ＲＳＲＰがバタツキ回避用のハンドオーバ閾値を超えるセルに関する情報をハンドオーバ用の近隣セル情報として第１無線基地局１１０へ報告する。これに対して、第１無線基地局１１０は、移動機１０３から報告されたハンドオーバ用の近隣セル情報に基づいて移動機１０３のハンドオーバを行う。
【０１６１】
これにより、セル切替の直後に移動機１０３が第２無線基地局１２０に切り戻るバタツキを回避することができる。「セル切替判定・セル切替実行シーケンス」の後においては、第１無線基地局１１０は、移動機１０３に関してセル切替元となる。
【０１６２】
＜セル切替用測定指示シーケンス＞
つぎに、移動機１０３と第１無線基地局１１０との間で「セル切替用測定指示シーケンス」が実行される。すなわち、第１無線基地局１１０が、移動機１０３に対して、セル切替判断用の近隣セル情報の測定指示を行う（ステップＳ１８１１）。ステップＳ１８１１における測定指示は、ステップＳ１８０２における第２無線基地局１２０による測定指示と同様である。
【０１６３】
ステップＳ１８１１により、移動機１０３は、ステップＳ１８１１において通知された最低レベルの閾値でのセル切替用の近隣セル情報の測定を開始する。すなわち、移動機１０３は、近隣の各セルのＲＳＲＰを測定し、ＲＳＲＰが最低レベルの閾値を超えるセルに関する情報をセル切替用の近隣セル情報として第１無線基地局１１０へ報告する。
【０１６４】
また、移動機１０３は、セル切替用の近隣セル情報の測定とともに、ステップＳ１８０９において通知されたバタツキ回避用のハンドオーバ閾値でのハンドオーバ用の近隣セル情報の測定も行う。
【０１６５】
＜移動速度情報・通信速度情報取得シーケンス＞
また、移動機１０３と第１無線基地局１１０との間において、「移動速度情報・通信速度情報取得シーケンス」が実行される。すなわち、第１無線基地局１１０は、移動機１０３の移動速度を特定可能な移動速度情報を移動機１０３から周期的に取得する（ステップＳ１８１２）。ステップＳ１８１２は、たとえばＲＲＣの「ＭＥＡＳＵＲＥＭＥＮＴ  ＲＥＰＯＲＴ」を用いて行うことができる。また、第１無線基地局１１０は、移動機１０３の通信速度を示す通信速度情報を周期的に取得する（ステップＳ１８１３）。
【０１６６】
第１無線基地局１１０は、ステップＳ１８１２，Ｓ１８１３により取得した情報をテーブルに書き込む（ステップＳ１８１４）。たとえば、第１無線基地局１１０は、ステップＳ１８１２により取得した移動速度情報を第１無線基地局１１０の移動速度管理テーブル記憶部５０７の移動速度管理テーブルに書き込む。また、第１無線基地局１１０は、ステップＳ１８１３により取得した通信速度情報を第１無線基地局１１０の通信速度管理テーブル記憶部５０９の通信速度管理テーブルに書き込む。
【０１６７】
（セル切替元の無線基地局装置による処理）
図１９は、セル切替元の無線基地局装置による処理の一例を示すフローチャートである。実施の形態２においてセル切替元である第２無線基地局１２０は、移動機１０３が自局に接続している場合に、移動機１０３について図１９に示す各ステップを繰り返し実行する。たとえば、第２無線基地局１２０は、図７に示した第１無線基地局１１０による処理と同様の処理を行うとともに、図１９に示す各ステップを繰り返し実行する。
【０１６８】
まず、第２無線基地局１２０は、移動機１０３からセル切替用の近隣セル情報の報告があったか否かを判断し（ステップＳ１９０１）、セル切替用の近隣セル情報の報告があるまで待つ（ステップＳ１９０１：Ｎｏのループ）。ステップＳ１９０１は、たとえば測定情報監視部５０４が無線通信部５０１を介して移動機１０３からの近隣セル情報の受信を監視することにより行われる。
【０１６９】
ステップＳ１９０１において、セル切替用の近隣セル情報の報告があると（ステップＳ１９０１：Ｙｅｓ）、第２無線基地局１２０は、近隣セル情報のリスト中にマクロセルがあるか否かを判断する（ステップＳ１９０２）。ステップＳ１９０２は、たとえば測定情報監視部５０４により行われる。近隣セル情報のリスト中にマクロセルがない場合（ステップＳ１９０２：Ｎｏ）は、第２無線基地局１２０は、セル切替を行わずにステップＳ１９０１へ戻る。
【０１７０】
ステップＳ１９０２において、近隣セル情報のリスト中にマクロセルがある場合（ステップＳ１９０２：Ｙｅｓ）は、第２無線基地局１２０は、近隣セル情報のリスト中の最上位のマクロセル（たとえばマクロセル１１１）をセル切替先に選定する（ステップＳ１９０３）。リスト中の最上位のマクロセルは、たとえば、リスト中で移動機１０３との間の通信品質（たとえばＲＳＲＰ）が最も高いマクロセルである。ステップＳ１９０３は、たとえば測定情報監視部５０４により行われる。
【０１７１】
つぎに、第２無線基地局１２０は、近隣セル情報によって移動機１０３から報告された自セルのＲＳＲＰと、ステップＳ１９０３によりセル切替先に選定したマクロセルのＲＳＲＰと、からバタツキ回避用のハンドオーバ閾値を算出する（ステップＳ１９０４）。ステップＳ１９０４において用いる各ＲＳＲＰは、移動機１０３から受信した近接セル情報から取得することができる。ステップＳ１９０４は、たとえば測定情報監視部５０４により行われる。
【０１７２】
つぎに、第２無線基地局１２０は、移動速度管理テーブル記憶部５０７に記憶された移動速度管理テーブルから移動機１０３の移動速度情報を読み出す（ステップＳ１９０５）。また、第２無線基地局１２０は、通信速度管理テーブル記憶部５０９に記憶された通信速度管理テーブルから移動機１０３の通信速度情報を読み出す（ステップＳ１９０６）。ステップＳ１９０５，Ｓ１９０６は、たとえばセル切替制御部５０５により行われる。
【０１７３】
つぎに、第２無線基地局１２０は、ステップＳ１９０５により読み出した移動速度情報が示す移動機１０３の移動速度が閾値未満か否かを判断する（ステップＳ１９０７）。ステップＳ１９０７における閾値は、一例としては、平均歩行速度を想定した６［ｋｍ／ｈ］とすることができる。ステップＳ１９０７は、たとえばセル切替制御部５０５により行われる。
【０１７４】
ステップＳ１９０７において、移動速度が閾値以上である場合（ステップＳ１９０７：Ｎｏ）は、第２無線基地局１２０は、ステップＳ１９０９へ移行する。移動速度が閾値未満である場合（ステップＳ１９０７：Ｙｅｓ）は、第２無線基地局１２０は、ステップＳ１９０６により読み出した通信速度情報が示す移動機１０３の通信速度が閾値を超過しているか否かを判断する（ステップＳ１９０８）。ステップＳ１９０８における閾値は、一例としては５［Ｍｂｐｓ］とすることができる。ステップＳ１９０８は、たとえばセル切替制御部５０５により行われる。
【０１７５】
ステップＳ１９０８において、通信速度が閾値を超過している場合（ステップＳ１９０８：Ｙｅｓ）は、第２無線基地局１２０は、移動機１０３のセル切替を行わずに、一連の処理を終了する（セル切替未実施）。この場合は、移動機１０３は、小セル１２１による通信を継続する。通信速度が閾値を超過していない場合（ステップＳ１９０８：Ｎｏ）は、第２無線基地局１２０は、セル切替指示用のメッセージを編集する（ステップＳ１９０９）。ステップＳ１９０９は、たとえばセル切替制御部５０５により行われる。
【０１７６】
つぎに、第２無線基地局１２０は、ステップＳ１９０３によってセル切替先に選定したマクロセルへの移動機１０３のセル切替を実施し（ステップＳ１９１０）、一連の処理を終了する（セル切替実施）。ステップＳ１９１０は、ステップＳ１９０９によって編集したセル切替指示用のメッセージを第１無線基地局１１０へ送信することにより行われる。また、ステップＳ１９０９は、たとえばセル切替制御部５０５がネットワーク通信部５０２を介して第１無線基地局１１０へ制御信号を送信することにより行われる。
【０１７７】
（近隣セル情報）
図２０は、近隣セル情報の一例を示す図である。実施の形態２において、移動機１０３は、たとえば図１１に示したメッセージ１１００を用いて、たとえば図２０に示す近隣セル情報２０００を第２無線基地局１２０へ報告する。近隣セル情報２０００のフォーマットは、たとえば図１２に示した近隣セル情報１２００と同様である。
【０１７８】
第２無線基地局１２０は、セル切替用の近隣セル情報として近隣セル情報２０００を受信した場合は、近隣セル情報２０００に基づいて移動機１０３のセル切替の要否を判断する。図２０に示した例においては、近隣セル情報２０００の中にマクロセルが含まれているため、第２無線基地局１２０は、移動機１０３のマクロセルへのセル切替を行うか否かを移動機１０３の通信速度および移動速度に基づいて判断する。
【０１７９】
そして、第２無線基地局１２０は、移動機１０３のセル切替を行うと判断すると、近隣セル情報２０００の各近隣セルに含まれＲＳＲＰが最も高いマクロセルである近隣セルＡをセル切替先として選定する。
【０１８０】
この場合は、第２無線基地局１２０は、近隣セル情報２０００が示す自セルのＲＳＲＰ（６０）と、近隣セルＡのＲＳＲＰ（５０）と、の差分に基づいてバタツキ回避用のハンドオーバ閾値を算出する。たとえば、第２無線基地局１２０は、自セルのＲＳＲＰ値と近隣セルＡのＲＳＲＰ値の差が＋１０［ｄＢ］であるため、バタツキ回避用のハンドオーバ閾値として１０以上の閾値（「ａ３−Ｏｆｆｓｅｔ」または「ｈｙｓｔｅｒｅｓｉｓ」）を算出する。
【０１８１】
また、第２無線基地局１２０は、ハンドオーバ用の近隣セル情報として近隣セル情報２０００を受信した場合は、近隣セル情報２０００に基づいて移動機１０３のハンドオーバを実施する。たとえば、第２無線基地局１２０は、自セルのＲＳＲＰと近隣セルのＲＳＲＰとを比較し、自セルのＲＳＲＰより近隣セルのＲＳＲＰの方が所定値以上高い場合は移動機１０３を近隣セルへハンドオーバさせる。
【０１８２】
このように、実施の形態２によれば、通信速度が低い、または移動速度が高い移動機１０３を小セル１２１からマクロセル１１１へ切り替えることで、小セル１２１における無線リソースの利用効率の向上を図ることができる。
【０１８３】
たとえば、通信速度が低い移動機１０３は、小セル１２１による大容量通信を要する可能性が低い。また、移動速度が高い移動機１０３は、短時間で小セル１２１の圏外となる可能性が高い。
【０１８４】
このため、通信速度が低い、または移動速度が高い移動機１０３の接続先を小セル１２１からマクロセル１１１へ切り替えさせることで、小セル１２１の容量を空けることができる。このため、たとえば通信速度が高く移動速度が低い他の移動機を小セル１２１に接続させ、小セル１２１における無線リソースの利用効率の向上を図ることができる。
【０１８５】
また、セル切替元の第２無線基地局１２０が、セル切替先の第１無線基地局１１０における移動機１０３のハンドオーバの閾値を、移動機１０３において測定された小セル１２１およびマクロセル１１１の各ＲＳＲＰの差分に基づいて算出した閾値に設定させる。これにより、移動機１０３がセル切替の直後にセル切替元へ切り戻ることを回避し、セル切替元セルとセル切替先との間でのバタツキを回避することが可能になる。
【０１８６】
（実施の形態３）
実施の形態３について、実施の形態１と異なる部分について説明する。実施の形態３においては、バタツキ回避用のハンドオーバ閾値の通知に、Ｓ１ＡＰやＸ２ＡＰの「ＨＡＮＤＯＶＥＲ  ＲＥＱＵＥＳＴ」メッセージのうちの、現状で未使用の「Ｍｅａｓｕｒｅｍｅｎｔ  ＩＤ」を使用する場合について説明する。
【０１８７】
（セル切替先の無線基地局装置によるハンドオーバ処理）
図２１は、セル切替先の無線基地局装置によるハンドオーバ処理の一例を示すフローチャートである。セル切替先の第２無線基地局１２０は、たとえば図２１に示す各ステップを繰り返し実行する。
【０１８８】
図２１に示すステップＳ２１０１〜Ｓ２１０６は、図９に示したステップＳ９０１〜Ｓ９０６と同様である。ただし、ステップＳ２１０２において、第２無線基地局１２０は、「ＨＡＮＤＯＶＥＲ  ＲＥＱＵＥＳＴ」メッセージのＲＲＣコンテナ内の「Ｍｅａｓｕｒｅｍｅｎｔ  ＩＤ」が所定値（３２）であるか否かを判断する（ステップＳ２１０２）。
【０１８９】
ステップＳ２１０２において、「Ｍｅａｓｕｒｅｍｅｎｔ  ＩＤ」が所定値である場合（ステップＳ２１０２：Ｙｅｓ）は、「ＨＡＮＤＯＶＥＲ  ＲＥＱＵＥＳＴ」メッセージにバタツキ回避用のハンドオーバ閾値が格納されていると判断することができる。この場合は、第２無線基地局１２０は、ステップＳ２１０３へ移行する。
【０１９０】
ステップＳ２１０２において、「Ｍｅａｓｕｒｅｍｅｎｔ  ＩＤ」が所定値でない場合（ステップＳ２１０２：Ｎｏ）は、「ＨＡＮＤＯＶＥＲ  ＲＥＱＵＥＳＴ」メッセージにバタツキ回避用のハンドオーバ閾値が格納されていないと判断することができる。この場合は、第２無線基地局１２０は、ステップＳ２１０４へ移行する。
【０１９１】
（バタツキ回避用のハンドオーバ閾値の指定の通知に用いるメッセージ）
図２２は、バタツキ回避用のハンドオーバ閾値の指定の通知に用いるメッセージの一例を示す図である。第１無線基地局１１０は、たとえば図２２に示すメッセージ２２００を、バタツキ回避用のハンドオーバ閾値の指定の通知に用いることができる。
【０１９２】
メッセージ２２００は、３ＧＰＰにおいて規定された、Ｓ１ＡＰの「ＨＡＮＤＯＶＥＲ  ＲＥＱＵＥＳＴ」メッセージの「Ｓｏｕｒｃｅ  ｅＮＢ  ｔｏ  Ｔａｒｇｅｔ  ｅＮＢ  Ｔｒａｎｓｐａｒｅｎｔ  Ｃｏｎｔａｉｎｅｒ  ｉｎｆｏｒｍａｔｉｏｎ  ＲＲＣ  Ｃｏｎｔａｉｎｅｒ」（ＲＲＣコンテナ）の「Ｍｅａｓｕｒｅｍｅｎｔ  ＩＤ」である。
【０１９３】
第１無線基地局１１０は、セル切替指示用のメッセージを第２無線基地局１２０へ送信する場合に、たとえばメッセージ２２００の「ｍｅａｓＩｄ」に所定値（図２２に示す例では３２）を設定する。
【０１９４】
第２無線基地局１２０は、たとえば図２１に示したステップＳ２１０２において、メッセージ２２００の「ｍｅａｓＩｄ」を参照することで、受信したメッセージがセル切替指示用のメッセージか否かを判断することができる。
【０１９５】
ここではＳ１ＡＰの「ＨＡＮＤＯＶＥＲ  ＲＥＱＵＥＳＴ」メッセージを用いる場合について説明したが、Ｘ２ＡＰの「ＨＡＮＤＯＶＥＲ  ＲＥＱＵＥＳＴ」メッセージを用いる場合も同様である。また、バタツキ回避用のハンドオーバ閾値自体の通知には、たとえば図１６に示したメッセージ１６００を用いることができる。
【０１９６】
このように、実施の形態３によれば、バタツキ回避用のハンドオーバ閾値の通知に「Ｍｅａｓｕｒｅｍｅｎｔ  ＩＤ」を使用する構成において、上述した実施の形態１と同様の効果を得ることができる。
【０１９７】
なお、実施の形態３について、実施の形態１と異なる部分について説明したが、実施の形態３を実施の形態２に適用することもできる。すなわち、実施の形態２において、バタツキ回避用のハンドオーバ閾値の通知に、Ｓ１ＡＰやＸ２ＡＰの「ＨＡＮＤＯＶＥＲ  ＲＥＱＵＥＳＴ」メッセージのうちの、現状で未使用の「Ｍｅａｓｕｒｅｍｅｎｔ  ＩＤ」を使用してもよい。
【０１９８】
（実施の形態４）
実施の形態４について、実施の形態１と異なる部分について説明する。実施の形態４においては、バタツキ回避用のハンドオーバ閾値の通知に、Ｓ１ＡＰやＸ２ＡＰの「ＨＡＮＤＯＶＥＲ  ＲＥＱＵＥＳＴ」メッセージに新規に追加したＩＥ（以下、「新規ＩＥ」と称する。）を使用する場合について説明する。
【０１９９】
（セル切替先の無線基地局装置によるハンドオーバ処理）
図２３は、セル切替先の無線基地局装置によるハンドオーバ処理の一例を示すフローチャートである。セル切替先の第２無線基地局１２０は、たとえば図２３に示す各ステップを繰り返し実行する。
【０２００】
図２３に示すステップＳ２３０１〜Ｓ２３０６は、図９に示したステップＳ９０１〜Ｓ９０６と同様である。ただし、ステップＳ２３０２において、第２無線基地局１２０は、「ＨＡＮＤＯＶＥＲ  ＲＥＱＵＥＳＴ」メッセージに新規ＩＥが設定されているか否かを判断する（ステップＳ２３０２）。
【０２０１】
ステップＳ２３０２において、新規ＩＥが設定されている場合（ステップＳ２３０２：Ｙｅｓ）は、「ＨＡＮＤＯＶＥＲ  ＲＥＱＵＥＳＴ」メッセージにバタツキ回避用のハンドオーバ閾値が格納されていると判断することができる。この場合は、第２無線基地局１２０は、ステップＳ２３０３へ移行する。
【０２０２】
ステップＳ２３０２において、新規ＩＥが設定されていない場合（ステップＳ２３０２：Ｎｏ）は、「ＨＡＮＤＯＶＥＲ  ＲＥＱＵＥＳＴ」メッセージにバタツキ回避用のハンドオーバ閾値が格納されていないと判断することができる。この場合は、第２無線基地局１２０は、ステップＳ２３０４へ移行する。
【０２０３】
（バタツキ回避用のハンドオーバ閾値の指定の通知に用いるメッセージ）
図２４は、バタツキ回避用のハンドオーバ閾値の指定の通知に用いるメッセージの一例を示す図である。第１無線基地局１１０は、たとえば図２４に示すメッセージ２４００を、バタツキ回避用のハンドオーバ閾値の指定の通知に用いることができる。
【０２０４】
メッセージ２４００は、３ＧＰＰにおいて規定された、Ｓ１ＡＰの「ＨＡＮＤＯＶＥＲ  ＲＥＱＵＥＳＴ」メッセージの「Ｓｏｕｒｃｅ  ｅＮＢ  ｔｏ  Ｔａｒｇｅｔ  ｅＮＢ  Ｔｒａｎｓｐａｒｅｎｔ  Ｃｏｎｔａｉｎｅｒ  ｉｎｆｏｒｍａｔｉｏｎ  ＲＲＣ  Ｃｏｎｔａｉｎｅｒ」（ＲＲＣコンテナ）である。
【０２０５】
第１無線基地局１１０は、セル切替指示用のメッセージを第２無線基地局１２０へ送信する場合に、たとえばメッセージ２４００の「ＰｉｎｇＰｏｎｇＨｏ  ｔｈｒｅｓｈｏｌｄ」（仮名）に新規ＩＥを設定する。
【０２０６】
第２無線基地局１２０は、たとえば図２３に示したステップＳ２３０２において、メッセージ２４００の「ＰｉｎｇＰｏｎｇＨｏ  ｔｈｒｅｓｈｏｌｄ」を参照することで、受信したメッセージがセル切替指示用のメッセージか否かを判断することができる。
【０２０７】
第２無線基地局１２０は、受信したメッセージがセル切替指示用のメッセージであると判断した場合は、メッセージ２４００の「ａ３−Ｏｆｆｓｅｔ」や「ｈｙｓｔｅｒｅｓｉｓ」からバタツキ回避用のハンドオーバ閾値を取得する。
【０２０８】
ここではＳ１ＡＰの「ＨＡＮＤＯＶＥＲ  ＲＥＱＵＥＳＴ」メッセージを用いる場合について説明したが、Ｘ２ＡＰの「ＨＡＮＤＯＶＥＲ  ＲＥＱＵＥＳＴ」メッセージを用いる場合も同様である。
【０２０９】
このように、実施の形態４によれば、バタツキ回避用のハンドオーバ閾値の通知に新規ＩＥを使用する構成において、上述した実施の形態１と同様の効果を得ることができる。
【０２１０】
なお、実施の形態４について、実施の形態１と異なる部分について説明したが、実施の形態４を実施の形態２に適用することもできる。すなわち、実施の形態２において、バタツキ回避用のハンドオーバ閾値の通知に、「ＨＡＮＤＯＶＥＲ  ＲＥＱＵＥＳＴ」メッセージに新規に追加した新規ＩＥを使用してもよい。
【０２１１】
以上説明したように、無線基地局装置および制御方法によれば、無線リソースの利用効率の向上を図ることができる。
【０２１２】
たとえば、従来、移動体通信では、一つの無線基地局がサービスを提供するエリア（セル）の無線リソースは有限である。サービスを受ける移動機は、同じセル内にいる複数の移動機と無線リソースを分け合って通信を行っている。たとえば、ＬＴＥ（Ｌｏｎｇ  Ｔｅｒｍ  Ｅｖｏｌｕｔｉｏｎ）においては、有限のリソースブロックを通信中のＵＥ（Ｕｓｅｒ  Ｅｑｕｉｐｍｅｎｔ）が共有することにより通信が行われる。
【０２１３】
近年、スマートフォンの普及が進み、アプリケーションによるバックグラウンドの通信が定常化したことで、ユーザ操作の有無によらず移動機の通信量は増加している。移動機の通信量が増加したことで、セル内で共有している無線リソースが枯渇し、サービスの品質（通信速度など）が低下する現象が発生し始めている。
【０２１４】
増加する通信量（トラヒック）への対策として、各通信事業者はセル半径が広い従来のマクロセル内に、セル半径が小さい小セルを配置し、利用可能な無線リソースを増加させることで、移動機の通信速度を向上させる施策を行っている。
【０２１５】
小セルは、移動速度の高い移動機についてはセル切替が頻発し、サービスの品質が低下するという課題がある。また、セル切替前に大容量通信を行っていたユーザが、切替先のセルで十分なリソースが確保できなかった場合に、セル切替後に通信速度が低下するという課題がある。
【０２１６】
通常、移動機は受信する電波の強度が高いセルに接続する。小セルを増設すると、ユーザ（移動機）に割り当てられるリソース数は増加するが、従来技術では、リソースの有効活用を考慮せずにセルが選定される。このため、低速通信で足りるユーザまで小セルに切替えてしまい、結果的に一台の移動機が利用できる無線リソースは減少し、大容量通信が行えない状況が発生する。
【０２１７】
これに対して、上述した各実施の形態によれば、たとえば、ユーザの通信速度と移動速度に応じて移動機を自セルへ留まらせるかもしくは周辺の適切なセルへ切替えることにより、無線リソースを有効活用することができる。これにより、たとえば、ユーザの用途に合った、安定、かつ最大限の通信パフォーマンスを提供することができる。また、セル切替時に元のセルに切り戻ることを抑えることで、セル切替時のバタツキが回避され、通信品質の安定化を図ることができる。
【０２１８】
たとえば、同じ場所にとどまって高速通信サービスを受けたいユーザは小セルに残し、カバー範囲が広いマクロセルの無線リソースは多くの在圏ユーザのために空けることができる。小セルでは収容ユーザ数が少ないため、残ったユーザはより高速な通信サービスを受けることが可能になる。
【０２１９】
上述した実施の形態に関し、さらに以下の付記を開示する。
【０２２０】
（付記１）自セルに接続している移動機であって、自セルよりセル半径が大きく収容数が多い他セルに接続可能な移動機の通信量および前記移動機の移動速度を示す各情報を取得する取得部と、
前記取得部によって取得された前記各情報に基づいて、前記通信量が所定量以下、または前記移動速度が所定速度以上である場合に、前記移動機の接続先を前記他セルに切り替える制御を行う制御部と、
を備えることを特徴とする無線基地局装置。
【０２２１】
（付記２）前記制御部は、前記通信量が前記所定量より高く、かつ前記移動速度が前記所定速度より低い場合に、前記移動機の接続先を前記他セルに切り替えないことを特徴とする付記１に記載の無線基地局装置。
【０２２２】
（付記３）前記他セルは、自セルより移動機ごとの最高通信速度が低いセルであることを特徴とする付記１または２に記載の無線基地局装置。
【０２２３】
（付記４）前記他セルは、前記移動機の接続先が前記他セルに切り替えられた場合に、前記移動機において測定された前記他セルおよび前記他セルと異なるセルの各通信品質の差分と閾値との比較結果に基づいて前記移動機をハンドオーバさせるセルであり、
前記制御部は、前記移動機の接続先を前記他セルに切り替える場合に、前記他セルにおける前記閾値を、前記移動機において測定された自セルおよび前記他セルの各通信品質の差分に基づいて算出した閾値に設定させる、
ことを特徴とする付記１〜３のいずれか一つに記載の無線基地局装置。
【０２２４】
（付記５）自セルに接続している移動機であって、自セルよりセル半径が小さく収容数が少ない他セルに接続可能な移動機の通信量および前記移動機の移動速度を示す各情報を取得する取得部と、
前記取得部によって取得された前記各情報に基づいて、前記通信量が所定量より多く、かつ前記移動速度が所定速度より低い場合に、前記移動機の接続先を前記他セルに切り替える制御を行う制御部と、
を備えることを特徴とする無線基地局装置。
【０２２５】
（付記６）前記制御部は、前記通信量が前記所定量以下、または前記移動速度が前記所定速度以上である場合に、前記移動機の接続先を前記他セルに切り替えないことを特徴とする付記５に記載の無線基地局装置。
【０２２６】
（付記７）第１セルを形成する第１無線基地局装置と、
前記第１セルに接続可能な移動機と、
前記第１セルよりセル半径が小さく収容数が少ない第２セルを形成する第２無線基地局装置であって、前記第２セルに接続している前記移動機の通信量および前記移動機の移動速度を示す各情報に基づいて、前記通信量が所定量以下、または前記移動速度が所定速度以上である場合に、前記移動機の接続先を前記第１セルに切り替える制御を行う第２無線基地局装置と、
を含むことを特徴とする無線通信システム。
【０２２７】
（付記８）第１セルを形成する第１無線基地局装置と、
前記第１セルに接続可能な移動機と、
前記第１セルよりセル半径が大きく収容数が多い第２セルを形成する第２無線基地局装置であって、前記第２セルに接続している前記移動機の通信量および前記移動機の移動速度を示す各情報に基づいて、前記通信量が所定量より多く、かつ前記移動速度が所定速度より低い場合に、前記移動機の接続先を前記第１セルに切り替える制御を行う第２無線基地局装置と、
を含むことを特徴とする無線通信システム。
【０２２８】
（付記９）無線基地局装置が、
自セルに接続している移動機であって、自セルよりセル半径が大きく収容数が多い他セルに接続可能な移動機の通信量および前記移動機の移動速度を示す各情報を取得し、
取得した前記各情報に基づいて、前記通信量が所定量以下、または前記移動速度が所定速度以上である場合に、前記移動機の接続先を前記他セルに切り替える制御を行う、
ことを特徴とする制御方法。
【０２２９】
（付記１０）無線基地局装置が、
自セルに接続している移動機であって、自セルよりセル半径が小さく収容数が少ない他セルに接続可能な移動機の通信量および前記移動機の移動速度を示す各情報を取得し、
取得した前記各情報に基づいて、前記通信量が所定量より多く、かつ前記移動速度が所定速度より低い場合に、前記移動機の接続先を前記他セルに切り替える制御を行う、
ことを特徴とする制御方法。
【符号の説明】
【０２３０】
１００  無線通信システム
１０１〜１０４  移動機
１１０  第１無線基地局
１１１  マクロセル
１２０  第２無線基地局
１２１  小セル
１３０，２００  無線基地局装置
１３１  取得部
１３２  制御部
２０１  プロセッサ
２０２  記憶装置
２０３  ＢＢ処理回路
２０４  ＲＦ信号処理回路
２０５，３０８  アンテナ
２０６  ＮＩＦ回路
２０９，３２０  バス
３０１  ＲＯＭ
３０２  ＳＯＡＰ
３０３  ＲＲＣ
３０４  Ｓ１ＡＰ
３０５  Ｘ２ＡＰ
３０６  ＭＥＭ
３０７  ＲＦ処理部
３０９  Ｌ１／Ｌ２処理部
３１０  トランスポート処理部
３１１  ＣＮＴ
４１０  ＡＰＬ
４１１  ＯＡＭ
４１２  呼処理
４２０  ＰＦ
４３０  ＯＳ
５０１  無線通信部
５０２  ネットワーク通信部
５０３  測定指示制御部
５０４  測定情報監視部
５０５  セル切替制御部
５０６  移動速度監視部
５０７  移動速度管理テーブル記憶部
５０８  通信速度監視部
５０９  通信速度管理テーブル記憶部
１０００，１１００，１５００，１６００，１７００，２２００，２４００  メッセージ
１２００，２０００  近隣セル情報
１３００  移動速度管理テーブル
１４００  通信速度管理テーブル
【国際調査報告】
2016051536.tif 000032
2016051536.tif 000033
2016051536.tif 000034